(57)【特許請求の範囲】
【請求項１】
製品をユーザーに分配するための包装であって、
内側領域を有するシェル部；及び
前記内側領域に固定された挿入体であって、前記挿入体が、製品収容空間、分配置き場、及びスライド組立品を含み、前記挿入体が、前記製品収容空間から製品が取り出される口を有し、前記分配置き場が、前記分配置き場に製品が入る開口を有し、前記口の位置が、前記開口の位置から少なくとも部分的にオフセットする、挿入体；を備え、
前記スライド組立品が、レバー及びスライド開口を含み、前記スライド開口が、前記製品収容空間からの製品の１以上の個片の配置を受容するように構成され、
前記レバーが、前記スライド組立品を閉位置から開位置に移動するべく前記挿入体の側壁に向って前記ユーザーにより変位されるように適合され、
前記スライド組立品は、前記スライド組立品が閉位置にある時に前記口に連通した状態から前記スライド組立品が開位置にある時に前記開口に連通した状態へ前記スライド開口をスライドさせるように構成され、
前記挿入体の少なくとも一部がカバーにより被覆され、前記カバーが分配開口及びスロットを有し、前記分配開口が前記分配置き場からの製品の排出のために構成され、前記スロットが前記カバーからの前記レバーの少なくとも一部のそれを通じた突出のために構成される、包装。
【請求項２】
前記スライド組立品が前記閉位置に向って付勢される、請求項１に記載の包装。
【請求項３】
前記挿入体が副挿入体を含み、前記製品収容空間が前記副挿入体に配置される、請求項１に記載の包装。
【請求項４】
前記スライド組立品が前記副挿入体に配置される、請求項３に記載の包装。
【請求項５】
前記副挿入体が前記スライド組立品の変位を案内するガイドを含む、請求項４に記載の包装。
【請求項６】
前記スロットが前記スライド組立品の位置をロックするための少なくとも一つのノッチを含む、請求項１に記載の包装。
【請求項７】
製品をユーザーに分配するための包装であって、
内側領域を有するシェル部；及び
前記内側領域に固定された挿入体であって、前記挿入体が、製品収容空間、分配置き場、及び押しボタン組立品を含み、前記挿入体が、前記製品収容空間から製品が出る口を有し、前記分配置き場が、前記分配置き場に製品が入る開口を有し、前記口の位置が、前記開口の位置から少なくとも部分的にオフセットする、挿入体；を備え、
前記押しボタン組立品が、閉位置から開位置へ前記ユーザーにより押圧されるボタンを有し、前記ボタンは、本体及びアパーチャを有し、前記アパーチャが、前記ボタンの前記本体の少なくとも一部内に配置され、前記アパーチャが、前記製品収容空間から製品の１以上の個片の配置を受容するように構成され、前記アパーチャは、前記ボタンが前記閉位置にある時に前記口に連通し、前記ボタンが前記開位置にある時に前記開口に連通し、
前記挿入体の少なくとも一部がカバーにより被覆され、前記カバーが分配開口及びアパーチャスロットを有し、前記分配開口が前記分配置き場からの製品の排出のために構成され、前記アパーチャスロットが前記ボタンの少なくとも一部が前記カバーから突出するために構成される、包装。
【請求項８】
前記押しボタン組立品が前記閉位置に向って付勢される、請求項７に記載の包装。
【請求項９】
前記挿入体が副挿入体を更に含み、前記製品収容空間が前記副挿入体に配置される、請求項７に記載の包装。
【請求項１０】
前記押しボタン組立品が前記副挿入体に配置される、請求項９に記載の包装。
【請求項１１】
前記押しボタン組立品の前記ボタンは、前記ボタンの側面から延在する突起を有し、前記挿入体が、少なくとも一つのリセスを更に含み、前記少なくとも一つのリセスと前記突起は、前記ボタンの変位の案内を補助するように嵌合する、請求項７に記載の包装。
【請求項１２】
製品をユーザーに分配するための包装であって、
内側領域を有するシェル部；
前記内側領域に固定された挿入体であって、製品収容空間、分配置き場、及び傾斜部を含み、前記挿入体が、前記製品収容空間から製品が出る口を有し、前記分配置き場が、前記分配置き場に製品が入る開口を有し、前記口の位置が、前記開口の位置から少なくとも部分的にオフセットする、挿入体；及び
前記挿入体に配置された押しボタン組立品であって、当該押しボタン組立品が、閉位置から開位置へ前記ユーザーにより押圧されるように構成されたボタンを有し、前記ボタンが、前記ボタンの底面から延在するタブを含み、前記底面が、前記ボタンが閉位置にある時に前記製品収容空間から少なくとも一つの製品の配置を許容する距離だけ前記傾斜部から離間され、前記タブは、前記ボタンと前記傾斜部の間に配置された製品が前記分配置き場へ搬送されることを許容するべく前記ボタンが開位置に押圧される時に前記傾斜部の少なくとも一部を変位させるように構成される、押しボタン組立品、を備える包装。
【請求項１３】
前記押しボタン組立品が前記閉位置に向って付勢される、請求項１２に記載の包装。
【請求項１４】
前記挿入体の少なくとも一部がカバーにより被覆され、前記カバーが分配開口及びアパーチャスロットを有し、前記分配開口が前記分配置き場からの製品の排出のために構成され、前記アパーチャスロットが前記カバーからの前記ボタンの少なくとも一部の突出のために構成される、請求項１３に記載の包装。
【請求項１５】
前記傾斜部は、前記ユーザーにより前記ボタンが押圧される時に前記タブにより係合される少なくとも一つの延長部を含む、請求項１４に記載の包装。
【請求項１６】
前記押しボタン組立品の前記ボタンは、前記ボタンの側面から延在する突起を有し、前記挿入体が、少なくとも一つのリセスを更に含み、前記少なくとも一つのリセスと前記突起は、前記ボタンの変位の案内を補助するように嵌合する、請求項１４に記載の包装。
【請求項１７】
前記挿入体が更に副挿入体を含み、前記製品収容空間が前記副挿入体に設けられる、請求項１２に記載の包装。
【請求項１８】
前記押しボタン組立品が前記副挿入体に配置される、請求項１７に記載の包装。
【発明の詳細な説明】
【技術分野】
【０００１】
本発明は、薬の剤形又はタバコ製品といった品物を収容する包装、例えば、子供耐性、高齢者に易しい包装に関する。
【背景技術】
【０００２】
子供安全特性が付与された収容器が、薬剤製品の包装のために特に北米において本分野で良く知られている。子供安全特性は、子供耐性閉鎖（CRC（Child-ResistantClosure））とも言われる。一般的に、子供耐性閉鎖は、５歳未満の子供にとって開くことが困難であるが、５０歳以上のユーザー、特に６０歳以上のユーザーにとって概してユーザーフレンドリーである必要がある。米国政府は、閉鎖の有効度を評価するＣＲプロトコルを策定している。子供‐耐性プロトコル試験が食品医薬局によりＣＦＲタイトル１６、パート１７００の下で規定される。理想的には、これらは製品の使用が意図される消費者にとって簡単かつ便利である形で提供される。
【０００３】
製品の包装による環境からの保護及び破損からの保護といった多くの付加特性により製品が強化される。多くの製品は、消費者の利便及び包装の効率のため、多数の個別包装又は一括において包装される。典型的には、包装が開かれる時に製品の全体が露出する。環境、例えば、湿気から製品を保護する必要があるならば封止が要求される。
【０００４】
製品の保護を確実にする一つの方法は、包装の中身の全体のために封止を設けることである。この種のアプローチは、ある寸法、形状、又は他のデザイン制約を包装デザインに課すかもしれない。このアプローチでは、製品の全てが包装を開けた消費者又は子供に露出してしまうかもしれない。ある手段が製品の拘束のために必要とされ、これにより、それが適所に保持され、従って、アクセスが簡単であるが包装から落下しない。
【０００５】
別の方法は、保護用の封筒又は包みで製品を保護することである。包みが開けられると、製品の全体が露出する。ここでも、製品全体が環境に露出すると、もはやそれは保護されない。加えて、残りの製品の全体が子供に露出する。
【０００６】
包装の要求に応じ、その要求を満足するために管理の必要がある幾つかの相反する制約によりデザインが複雑になってしまうかもしれない。これにより消費者にとって追加の費用や望まない包装がもたらされ得る。
【発明の概要】
【課題を解決するための手段】
【０００７】
発明のある側面は、ベース側壁及び内側領域を有する第１シェル部と蓋側壁及び少なくとも一つの受け部を有する第２シェル部を備える包装である。ある実施形態によれば、ヒンジが前記第１シェル部と前記第２シェル部を結合する。前記包装は、前記第１シェル部と前記第２シェル部を一緒に開放可能にラッチするための少なくとも一つのラッチも含む。
【０００８】
前記少なくとも一つのラッチは、第１レバー脚部及び第２レバー脚部を含み、前記第２レバー脚部が前記第１シェル部から延在する枢動点に枢動可能に固定される。前記ラッチは、ユーザーにより変位されるように適合されてロック位置からロック解除位置に前記枢動点周りに前記第２脚部を枢動可能に変位させる前記第１レバー脚部の作動部も含む。前記ラッチは、前記第２レバー脚部に固定されたラッチ係合部も含み、前記ラッチ係合部は、前記第２レバー脚部がロック位置にある時に前記少なくとも一つの受け部にロック係合し、また前記第２レバー脚部がロック解除位置に動かされる時に前記受け部に非係合になるように構成される。
【０００９】
発明の別の側面は、ベース側壁及び内側領域を有する第１シェル部、蓋側壁及び少なくとも一つの受け部を有する第２シェル部であって、前記少なくとも一つの受け部が受け部アパーチャを有する第２シェル部、及びオプションとして前記第１シェル部と前記第２シェル部を結合するヒンジを備える包装である。挿入体が前記第１シェル部の前記内側領域内に配置され、前記挿入体が、前記第１シェル部と前記第２シェル部を一緒に開放可能にラッチするための少なくとも一つのラッチを有する。前記少なくとも一つのラッチは、前記挿入体に一体的に成形され、前記少なくとも一つのラッチの少なくとも一部が、空間により前記挿入体の本体から離間される。前記空間は、前記ラッチがロック位置から開位置に動かされるに応じて前記ラッチの少なくとも一部の変位を受容するように構成される。
【００１０】
前記ラッチは、第１端部及び第２端部を有するラッチ脚部を含み、前記第２端部が、前記挿入体の前記本体に取付けられる。前記ラッチは、前記第１シェル部と前記第２シェル部が一緒に閉位置にある時に前記少なくとも一つの受け部を受容するように構成されたラッチ開口も含む。加えて、前記ラッチは、前記ラッチ開口に配置されたラッチ係合部を含み、これは、前記第２シェル部が一緒に閉位置にある時に前記受け部アパーチャ内に延在して前記包装を閉じた状態にロックするように構成される。更に、前記ラッチは、前記受け部アパーチャから前記ラッチ係合部を非係合にするべくユーザーによりロック位置から変位されるように適合した作動部を含む。
【００１１】
発明の別の側面は、ベース側壁及び少なくとも一つの突起を有する第１シェル部、蓋側壁及びフックを有する第２シェル部、及びオプションとして、前記第１シェル部と前記第２シェル部を結合するヒンジを含む包装である。前記包装は、前記第１シェル部と前記第２シェル部を一緒に開放可能にラッチするための少なくとも一つのラッチも含む。
【００１２】
前記少なくとも一つのラッチは、ある角度で結合された第１脚部及び第２脚部を含む。前記第１脚部は、作動部を含み、前記作動部の少なくとも一部が前記サイドベース壁の開口内に延在し、前記開口が前記ベース側壁に沿う前記作動部のスライド移動を許容するように構成される。第２脚部は、スロット及びバネを有し、前記スロットが、前記第１シェル部の突起に嵌合するように構成され、前記第２脚部の変位を案内する。前記バネは、前記突起に接合してロック位置の前記ラッチを付勢するように構成される。前記少なくとも一つのラッチは、前記ラッチ係合部がロック位置にある時に前記フックにロック係合し、前記ラッチ係合部がロック解除位置にある時に前記フックから非係合になるべく構成されたラッチ係合部も含む。
【００１３】
発明の別の側面は、ベース側壁及び少なくとも一つの突起を有する第１シェル部、蓋側壁及びフックを有する第２シェル部、及びオプションとして、前記第１シェル部と前記第２シェル部を結合するヒンジを含む包装である。前記包装は、前記第１シェル部と前記第２シェル部を一緒に開放可能にラッチするための少なくとも一つのラッチも含む。
【００１４】
前記少なくとも一つのラッチは、ある角度で結合された第１脚部及び第２脚部を含む。前記第１脚部が作動部を含み、前記作動部の少なくとも一部が前記サイドベース壁の開口内に延在し、前記開口が前記ベース側壁に沿う前記作動部のスライド移動を許容するように構成される。第２脚部がスロット及びバネを有し、前記スロットが前記第１シェル部の突起に嵌合するように構成され、前記第２脚部の変位を案内する。前記バネは、前記突起に接合してロック位置の前記ラッチを付勢するように構成される。前記少なくとも一つのラッチは、前記ラッチ係合部がロック位置にある時に前記フックにロック係合し、前記ラッチ係合部がロック解除位置にある時に前記フックから非係合になるべく構成されたラッチ係合部も含む。
【００１５】
発明の別の側面は、ベース側壁及び少なくとも一つの突起を有する第１シェル部、蓋側壁及びフックを有する第２シェル部、及びオプションとして前記第１シェル部と前記第２シェル部を結合するヒンジを含む包装である。前記包装は、前記第１シェル部と前記第２シェル部を一緒に開放可能にラッチするための少なくとも一つのラッチも含む。
【００１６】
前記少なくとも一つのラッチは、前記ラッチの第２端部の近傍にラッチ係合部を含み、また前記ラッチがロック位置にある時に前記フックに係合し、前記ラッチが開位置にある時に前記フックから非係合になるように構成される。前記少なくとも一つのラッチは、前記少なくとも一つのラッチの第１端部の近傍に配置された作動部も含む。前記作動部は、ユーザーにより変位されるように適合され、ロック位置から開位置に前記ラッチ係合部を変位させる。前記少なくとも一つのラッチがスロットを有するアームも含み、前記スロットが前記アームの変位を案内するべく前記第１シェル部の突起に嵌合するように構成される。加えて、バネがロック位置の前記少なくとも一つのラッチを付勢する。前記バネは、前記アームから延在して前記突起に接合するように構成される。
【００１７】
更に、発明の別の側面は、ベース側壁及び内側領域を有する第１シェル部、蓋側壁及び少なくとも一つの蓋ラッチ接合部を有する第２シェル部、及びオプションとして前記第１シェル部と前記第２シェル部を結合するヒンジを含む包装である。前記包装は、前記第１シェル部の前記内側領域内に配置された挿入体も含み、前記挿入体が、上部領域及び前記第１シェル部と前記第２シェル部を一緒に開放可能にラッチするための少なくとも一つのラッチを有する。
【００１８】
前記少なくとも一つのラッチが前記挿入体に一体的に成形され、また第１脚部と第２脚部を含み、第２脚部が前記挿入体の前記本体に接続され、前記第２脚部の少なくとも一部が空間により前記第２脚部と前記挿入体の前記本体の間で離間される。前記第１脚部の少なくとも一部は、前記挿入体の前記上面の下に配置される。前記少なくとも一つのラッチが前記第１脚部に取付けられたベースラッチ接合部も含み、前記ベースラッチ接合部が前記挿入体のアパーチャの周囲に配置され、前記包装が閉位置にある時に前記ベースラッチ接合部が前記蓋ラッチ接合部にロック係合することが許容される。前記少なくとも一つのラッチがユーザーにより変位されるように適合した作動部も含み、前記蓋ラッチ接合部とのロック係合からロック解除係合に前記ベースラッチ接合部を変位させる。前記第２脚部は、ロック位置に前記作動部を付勢するように構成される。
【００１９】
加えて、発明の別の側面は、ベース側壁を有する第１シェル部、第１蓋ラッチ接合部及び第２蓋ラッチ接合部を有する第２シェル部、及びオプションとして前記第１シェル部と前記第２シェル部を結合するヒンジを含む包装である。前記包装は、前記第１及び第２蓋ラッチ接合部とのラッチ係合のための上部ラッチ及び下部ラッチも含む。
【００２０】
前記上部ラッチは、作動部、バネ、脚部、開口、及び第１ベースラッチ接合部を含む。前記下部ラッチは、作動部、バネ、脚部、開口、及び第２ベースラッチ接合部を含む。前記上部ラッチの前記脚部の少なくとも一部は、前記下部ラッチの前記脚部の少なくとも一部上に配置され、また前記下部ラッチの前記脚部にスライド係合状態にある。更に、前記下部脚部の前記第２ベースラッチ接合部の少なくとも一部は、前記上部脚部の前記開口を介して突出する。前記上部及び下部ラッチの前記作動部は、ユーザーにより変位されるように適合され、前記第１及び第２蓋ラッチ接合部とのロック係合からロック解除非係合に前記上部及び下部ラッチの前記ラッチ接合部を変位させる。
【００２１】
発明の別の側面は、内側領域を有する第１シェル部、少なくとも一つの蓋ラッチ接合部を有する第２シェル部、及びオプションとして前記第１シェル部と前記第２シェル部を結合するヒンジを含む包装である。前記包装は、前記内側領域に固定される挿入体も含む。前記挿入体は、少なくとも一つの製品収容空間、開口、傾斜タブ、及びガイドを有する。前記包装は、前記第１シェル部と前記第２シェル部を一緒に開放可能にラッチするための少なくとも一つのラッチも含む。
【００２２】
前記少なくとも一つのラッチは、第１脚部と第２脚部を含む。ラッチ接合部が第２脚部に取付けられ、前記ラッチ接合部が前記少なくとも一つのラッチがロック位置にある時に前記少なくとも一つの蓋ラッチ接合部にロック係合するように構成される。前記第２脚部は、前記ラッチがロックからロック解除位置に動く時に前記第２脚部の変位の案内を補助する前記第１シェル部からのガイドを受容するように構成された開口を含む。前記第２脚部は、前記傾斜タブに嵌合するように構成されたスロットも含み、前記スロットは、前記ラッチがロック位置からロック解除位置に動かされる時に前記タブの前記傾斜方向に前記ラッチ接合部を移動するように構成される。前記少なくとも一つのラッチは、前記第１脚部に取り付けられた作動部も含み、前記作動部は、ユーザーにより変位されるように適合され、前記少なくとも一つの蓋ラッチ接合部とのロック係合からロック解除非係合に前記ラッチ接合部を変位させる。バネは、前記作動部をロック位置に付勢するように構成される。
【００２３】
発明の別の側面は、内側領域とベース側壁を有する第１シェル部であって、前記ベース側壁が少なくとも一つの開口を有する第１シェル部、閉リップを有する第２シェル部、及びオプションとして前記第１シェル部と前記第２シェル部を結合するヒンジを含む包装である。前記包装は、少なくとも一つの作動部と上面を有する挿入体も含む。前記少なくとも一つの作動部は、前記ベース側壁の前記少なくとも一つの開口内に突入するように構成される。前記包装は、上部を有するガスケット、内側領域、及び少なくとも一つのバネも含む。前記ガスケットの前記内側領域は、前記挿入体の少なくとも一部を収容するように構成される。前記ガスケットの前記上部は、前記第１シェル部と第２シェル部が一緒に閉位置にある時に前記閉リップが着座してシールを形成する溝を有する。前記少なくとも一つの作動部は、ユーザーにより変位されるように適合され、前記バネが変位され、前記ガスケットが少なくとも部分的に変形され、前記溝から前記閉リップが離脱される。
【００２４】
発明の別の側面は、内側領域とベース側壁を有する第１シェル部であって、前記ベース側壁が少なくとも一つの開口を有する第１シェル部、閉リップ及び少なくとも一つの受け部を少なくとも有する第２シェル部であって、前記受け部が受け部アパーチャを有する第２シェル部、及びオプションとして前記第１シェル部と前記第２シェル部を結合するヒンジを含む包装である。前記包装は、挿入体ベース及び挿入体壁を有する挿入体も含む。
【００２５】
加えて、前記包装は、内面、外面、及びガスケットリップを有するガスケットを含む。前記ガスケットベースの少なくとも一部は、前記挿入体ベースの下に配置される。前記内面は前記挿入体壁に隣接する。前記ガスケットリップは前記閉リップにより係合されるように構成され、前記第１シェル部及び第２シェル部が一緒に閉位置にあり、シールを形成し、前記シールにより包囲された領域内への前記シール外の周囲空気の通路を封鎖する。
【００２６】
前記包装は、少なくとも一つのラッチを有する内側壁部材も含み、前記少なくとも一つのラッチは作動部及びラッチ接合部を有する。前記ラッチ接合部は、退去可能に前記受け部アパーチャ内に配置されるように構成され、前記第１及び第２シェル部が一緒に閉位置にある時に前記包装を閉じた状態にロックする。
【００２７】
発明の別の側面によれば、前記包装は、上部を有する蓋、フロント壁、及び閉リップを含む。前記包装は、ベースを有するスリーブ、側壁、開口、及び内側領域も含む。前記蓋は前記スリーブに枢動可能に取り付けられる。前記包装は、収容器側壁及び収容器ベースを有する収容器も含む。前記収容器は前記スリーブの前記内側領域内の配置のために構成される。前記収容器側壁及び前記収容器ベースは、製品収容空間を画定する。前記収容器側壁の上部領域は、収容器開口を画定する。スライドボタンは、ユーザーが開位置から閉位置へ前記スリーブ内で前記収容器をスライド移動するために前記収容器に取付けられる。前記収容器側壁は、前記包装及び前記収容器が閉位置にある時に前記閉リップと前記スリーブ側壁の少なくとも一部の間の溝内に受容されるように構成される。前記溝内での前記収容器側壁の配置により前記収容器開口周りにシールが形成される。
【００２８】
加えて、発明の別の側面は、側壁を有するベース、ショルダー、及び製品収容空間を含む包装である。前記包装は、前記ベースに対して枢動可能に取り付けられた蓋も含む。前記蓋は、蓋側壁上部、及び蓋閉リップを含む。前記蓋閉リップは、包装が閉位置にあるときに前記製品収容空間周りにシールを形成するように構成される。前記ベースショルダー及び蓋ショルダーは、前記包装が閉位置にある時に前記蓋が前記ベースから枢動可能に変位されることを阻止するように構成される。
【００２９】
前記包装は、少なくとも前記蓋の第１オリフィスに配置された押しボタンも含む。前記押しボタンは、前記ベースショルダーから前記蓋ショルダーを離間させるのに十分な距離だけ前記蓋を前記ベースから離間させるように変位されるように構成され、前記ベース周りに前記蓋が枢動することが許容されて前記包装が開けられる。
【００３０】
発明の別の側面は、内側領域を有する第１シェル部、第２シェル部、及びオプションとして前記第１シェル部と前記第２シェル部を結合するヒンジを含む包装である。挿入体が前記内側領域に固定され、前記挿入体が製品収容空間及び分配置き場を含む。前記製品収容空間は、前記製品収容空間から製品が取り出される口を有する。前記分配置き場が、前記分配置き場に製品が入る開口を有する。前記口の位置が前記開口の位置から少なくとも部分的にオフセットされる。
【００３１】
スライド組立品が前記挿入体に動作可能に取り付けられ、前記スライド組立品が前記スライド組立品を閉位置から開位置へ動かすべくユーザーにより変位されるように適合されるレバーを含む。スライド組立品は、スライド開口も含み、前記スライド開口は、前記スライド組立品が閉位置にある時に前記製品収容空間の前記口に連通して前記スライド開口が製品収容空間から製品を受け入れる。前記スライド開口は、前記スライド組立品が開位置に変位され、前記スライド開口にある前記製品収容空間から前記分配置き場へ製品を送り出す時に前記分配置き場の前記開口に連通する。加えて、バネは、前記スライド組立品の位置を付勢するように構成される。
【００３２】
加えて、発明の別の側面によれば、包装は、内側領域を有する第１シェル部、第２シェル部、及びオプションとして前記第１シェル部と前記第２シェル部を結合するヒンジを含む。前記包装は、前記内側領域に固定された挿入体も含む。前記挿入体は、製品収容空間及び分配置き場を含む。前記製品収容空間は、前記製品収容空間から製品が取り出される口を有する。前記分配置き場が、前記分配置き場に製品が入る開口を有する。前記口と前記開口が少なくとも部分的にオフセットされる。
【００３３】
前記挿入体は、前記挿入体に取付けられる押しボタン組立品も含む。前記押しボタン組立品は、アパーチャ及び少なくとも一つのバネを有するボタンを含む。前記アパーチャは、前記ボタンの前記本体の少なくとも一部内に配置される。前記アパーチャは、前記押しボタン組立品が閉位置にある時に前記口に連通して前記アパーチャが前記製品収容空間から製品を受け入れる。前記アパーチャは、前記押しボタン組立品が開位置に変位される時にディスペンサの前記開口に連通し、前記アパーチャ内の製品が前記開口を介して前記分配置き場へ送り出される。前記少なくとも一つのバネは、前記スライド組立品の位置を付勢するように構成される。
【００３４】
発明の別の側面は、内側領域を有する第１シェル部、第２シェル部、及びオプションとして前記第１シェル部と前記第２シェル部を結合するヒンジを含む包装である。前記包装は、前記内側領域に固定された挿入体も含む。前記挿入体は、製品収容空間及び分配置き場を含む。前記製品収容空間は、前記製品収容空間から製品が取り出される口を有する。前記分配置き場が、前記分配置き場に製品が入る開口を有する。前記口の位置は前記開口の位置から少なくとも部分的にオフセットされる。
【００３５】
前記挿入体は、前記挿入体に取付けられる押しボタン組立品も含む。前記押しボタン組立品は、ボタン、少なくとも一つのバネ、タブ、及び傾斜部を含む。前記ボタンの底部は、前記押しボタン組立品が閉位置にある時に前記製品収容空間の前記口から前記ボタンの前記底部と前記傾斜部の間への製品の配置を許容する距離だけ前記傾斜部から離間される。前記ボタンから延在する前記タブは、前記ボタン組立品が閉位置から開位置に動かされる時に前記傾斜部を変位させるように構成される。変位された前記傾斜部は、前記分配置き場の前記開口に連通するように動かされ、前記ボタンの下の前記製品が前記分配置き場へ搬送されることが許容される。前記少なくとも一つのバネは、前記スライド組立品の位置を付勢するように構成される。
【００３６】
発明の別の例示の実施形態によれば、前記包装の前記第１及び第２シェル部は、他のヒンジのうち、ダブルヒンジにより一緒に結合される。
【００３７】
発明の別の例示の実施形態によれば、前記包装は、とりわけ、前記第１シェル部の第１閉リップと前記第２シェル部の第２閉リップ間の係合により形成されるシールといったシールも含む。ある実施形態によれば、前記第１閉リップは、前記シールを形成するために前記第２閉リップの概して直線の薄い壁に係合し、歪ませ、変形させ、又は曲げる傾斜外壁を有する。加えて、前記包装は、補助のエラストマーの対面及び側面封止を含む。
【００３８】
更に、前記包装は、カバーにより被覆される挿入体を含む。前記挿入体は、製品収容空間を含む。前記カバーは、前記製品収容空間の少なくとも一部を被覆し、また、前記挿入体からの製品の排出のために構成された分配開口も提供する。前記分配開口の構成は、取り出される製品の形状に少なくとも部分的に依存する。
【００３９】
発明の別の例示の実施形態によれば、前記挿入体は、前記挿入体が前記第１ベース部に挿入される時、前記第１シェル部での適切な位置に前記挿入体を案内することを補助する前記第１シェル部のバネ又はラッチバネに係合する下向きに延在するタブも含む。
【００４０】
発明の別の例示の実施形態によれば、少なくとも前記第２シェル部及び前記挿入体が一体的に成形され第１部材を形成する。前記第１部材は、スナップ適合により第１シェル部又は前記第１シェル部のベースといった第２部材に取付けられる。
【図面の簡単な説明】
【００４１】
【図１】図１は、包装組立品の一実施形態の斜視図であり、内部を示すように開けられた蓋を示す。
【図２】図２は、図１と同様の図であるが、挿入体トレイの部分が除去されて下方の詳細を図示する。
【図２Ａ】図２Ａは、図２と同様の図であり、変更された第１及び第３脚部６０及び９０を有し、またピボット８４及び１０２を有しない代替の実施形態を示す。
【図３】図３は、図２と同様の図であり、その開放位置に前進されたラッチを示す。
【図３Ａ】図３Ａは、図３と同様の図であり、図２Ａの代替の実施形態を示す。
【図４】図４は、係合したラッチの一つを示す詳細な側面図である。
【図５】図５は、図４と同様の図であり、非係合のラッチを示す。
【図６】図６は、発明のある実施形態による包装の斜視図であり、開いた時の包装を示す。
【図７】図７は、図６の実施形態の斜視図であり、閉じた時の包装を示す。
【図８】図８は、図６の実施形態の切取図であり、ベース窪みの詳細を示す。
【図９】図９は、図６の実施形態の平面図であり、ベースシェルの内部を示す。
【図１０】図１０は、図６の実施形態の平面図であり、ベースシェルの外部を示す。
【図１１】図１１は、図６の実施形態のベースシェルの外部の斜視図である。
【図１２】図１２は、図６の実施形態の斜視図であり、切取によりベース窪みと蓋ウェルの関係を示す閉じた時の包装を示す。
【図１３】図１３は、図６の実施形態の蓋シェルの斜視図である。
【図１４】図１４は、開いた時の図６の実施形態の斜視図であり、ウェル内の製品スティック及びセルを被覆する封止シートと共に、切取によりウェルを示す。
【図１５】図１５は、包装の別の実施形態の斜視図であり、異なるウェル配置及び形状を示す。
【図１６】図１６は、包装の別の実施形態の詳細図であり、ベースシェル及び／又は蓋シェルのための波型シェル壁を示す。
【図１７】（ベースシェルを示す）図１７は、ウェルの周りに周囲シールを有する別の実施形態の図９及び１３と同様の図である。
【図１８】（蓋シェルを示す）図１８は、ウェルの周りに周囲シールを有する別の実施形態の図９及び１３と同様の図である。
【図１９】図１９は、閉じた時の包装の別の実施形態の断面図であり、包装に結合してブリスターシート及びウェルの周りの周囲シールを有する。
【図２０】図２０は、開いた時の図１９の実施形態の切取斜視図である。
【図２１】図２１は、発明の一実施形態の斜視図である。
【図２２】図２２は、図２１の実施形態と同様の図であり、離されたシェルを示す。
【図２３】図２３は、図２１の実施形態の断面図であり、引出しの詳細を示す。
【図２４】図２４は、図２１の実施形態の平面図であり、シェルが除かれており、ラッチと引出しの詳細を示す。傾斜部７０、７２、８４及び８６が模式にて示される。
【図２５】図２５は、図２１の実施形態の引出しの分離斜視図であり、引出しの底部を主に示す。
【図２６】図２６は、図２１の実施形態の引出しの分離斜視図であり、引出しの上部を主に示す。
【図２７】図２７は、図２１の実施形態に係るラッチの一方側の分離斜視図である。
【図２８】図２８は、図２１の実施形態に係るラッチの他方側の分離斜視図である。
【図２９】図２９は、図２１の実施形態の横断面図である。
【図３０】図３０は、図２１の実施形態の斜視切取図であり、内壁を示す。
【図３１】図３１は、図２１の実施形態の別の部分であり、より詳細に内部を示す。
【図３２】図３２は、開位置に示された包装組立品の実施形態の斜視図であり、挿入体が無くして、枢動可能ラッチがレスト又はロック位置にある。
【図３３】図３３は、図３２の実施形態と同様の図であるが、開位置にある枢動可能ラッチを示す。
【図３４】図３４は、レスト位置にある枢動可能ラッチを有する（第２シェル部を図示しない）包装組立品の実施形態の斜視図である。
【図３５】図３５は、図３２〜３４の実施形態に示された枢動可能ラッチの斜視図である。
【図３６】図３６は、ダブルヒンジを有する包装組立品の実施形態の一部の側面断面図である。
【図３７】図３７は、ダブルヒンジを有する包装組立品の一部の断面図である。
【図３８】図３８は、開位置にある包装組立品の実施形態の一部の断面図であり、包装組立品が、可撓性の第２閉リップと傾斜外壁を有する第１閉リップを有する。
【図３９】図３９は、包装組立品が閉位置にある図３８に図示した包装の一部の断面図である。
【図４０】図４０は、包装内に対面封止又は側面封止のいずれかを形成することを補助するべく構成された補助シールを有する閉位置にある包装組立品の実施形態の断面図である。
【図４１】図４１は、包装内に対面封止を形成することを補助するべく構成された補助シールを有する閉位置にある包装組立品の実施形態の断面図である。
【図４２】図４２は、包装内に側面封止を形成することを補助するべく構成された補助シールを有する閉位置にある包装組立品の実施形態の断面図である。
【図４３】図４３は、包装内に対面封止又は側面封止のいずれかを形成することを補助するべく構成された補助シールを有する包装組立品の実施形態の断面図である。
【図４４】図４４は、包装内に封止を形成することを補助するべく構成された第２閉リップを有する包装組立品の実施形態の断面図である。
【図４５】図４５は、包装内に対面封止又は側面封止のいずれかを形成することを補助するべく構成された補助シールを有する包装組立品の実施形態の断面図である。
【図４６】図４６は、包装内に封止を形成することを補助するべく構成された第２閉リップを有する包装組立品の実施形態の断面図である。
【図４７】図４７は、包装内に対面封止又は側面封止のいずれかを形成することを補助するべく構成された補助シールを有する包装組立品の実施形態の断面図である。
【図４８】図４８は、包装内に封止を形成することを補助するべく構成された第２閉リップを有する包装組立品の実施形態の断面図である。
【図４９】図４９は、包装内に封止を形成することを補助するべく構成された第２閉リップを有する包装組立品の実施形態の断面図である。
【図５０】図５０は、包装内に対面封止を形成することを補助するべく構成された補助シールを有する包装組立品の実施形態の断面図である。
【図５１】図５１は、包装内に対面封止を形成することを補助するべく構成された補助シールを有する包装組立品の実施形態の断面図である。
【図５２】図５２は、包装内に対面封止及び側面封止を形成することを補助するべく構成された補助シールを有する包装組立品の実施形態の断面図である。
【図５３】図５３は、包装内に対面封止を形成することを補助するべく構成された補助シールを有する包装組立品の実施形態の断面図である。
【図５４】図５４は、側面封止を提供するべく構成された第２閉リップ及び傾斜外壁、並びに包装内に対面封止を形成することを補助するべく構成された補助シールを有する閉位置にある包装組立品の実施形態の一部の断面図である。
【図５５】図５５は、蓋が開いて内部を示す状態の包装組立品の実施形態の斜視図である。
【図５６】図５６は、図５５に図示された包装組立品の側面図である。
【図５７】図５７は、図５５に図示された包装の第１シェル部及び挿入体の斜視図である。
【図５８】図５８は、図５５に図示された包装の第１シェル部の斜視図である。
【図５９】図５９は、図５５に図示された包装の挿入体の斜視図であり、挿入体が、一体的に成形されたラッチを有する。
【図６０】図６０は、レスト又はロック位置の図５９に図示の一体的に成形されたラッチの部分の斜視図である。
【図６１】図６１は、レスト又はロック位置のラッチと開いた包装を示す挿入体が無い包装組立品の実施形態の上面図である。
【図６２】図６２は、開位置にあるラッチと開いた包装を示す挿入体が無い包装組立品の実施形態の上面図である。
【図６３】図６３は、図６１に図示の包装の斜視図である。
【図６４】図６４は、図６２に図示の包装の斜視図である。
【図６５】図６５は、図６１に図示の包装の第１シェル部の斜視図である。
【図６６】図６６は、包装組立品の実施形態の斜視図であり、開いた包装と閉じた又はレスト位置のラッチを示す。
【図６７】図６７は、蓋が開いて内部を示す状態の包装組立品の実施形態の斜視図である。
【図６８】図６８は、図６８に図示された包装の第１シェル部及び挿入体の上面図である。
【図６９】図６９は、図６８に図示された包装の第１シェル部及びラッチの上面図である。
【図７０】図７０は、図６８に図示された包装の第１シェル部の上面図である。
【図７１】図７１は、図６８に図示された包装のラッチの斜視図であり、レスト又はロック位置にあるラッチが示される。
【図７２】図７２は、図６８に図示された包装のラッチの斜視図であり、開位置にあるラッチが示される。
【図７３ａ】図７３ａは、包装組立品の実施形態の斜視図であり、蓋が開いて内部を示し、またラッチがレスト又はロック位置にある。
【図７３ｂ】図７３ｂは、包装組立品の実施形態の斜視図であり、蓋が開いて内部を示し、またラッチがレスト又はロック位置にある。
【図７４】図７４は、図７３ａ及び７３ｂに図示の包装組立品のための挿入体の実施形態の底面図である。
【図７５】図７５は、図７４に図示の挿入体の斜視図である。
【図７６】図７６は、成形後、ラッチの第１及び第２脚部が包装組立品の挿入体の組立のための位置に折られる前の図７４に図示の挿入体の斜視図である。
【図７７】図７７は、包装組立品の実施形態の斜視図であり、蓋が開いて内部を示し、ラッチがロック又はレスト位置にある。
【図７８】図７８は、図７７に図示の包装の斜視図であり、但し、挿入体がない。
【図７９】図７９は、図７７に図示の包装の斜視図であり、但し、挿入体及び第１及び第２ラッチが無い。
【図８０】図８０は、重畳した第１及び第２ラッチの斜視図である。
【図８１】図８１は、レスト又はロック位置に示される２つのラッチを有する挿入体の実施形態の底面図である。
【図８２】図８２は、レスト又はロック位置のラッチを有する図８１に図示の挿入体の斜視図である。
【図８３】図８３は、レスト又はロック位置の第１ラッチを有し、また挿入体から第２ラッチが外された図８１に図示された挿入体の部分の斜視図である。
【図８４】図８４は、図８１に図示された挿入体の底面図であるが、ラッチが開位置にある。
【図８５】図８５は、図８４に図示された挿入体の斜視図であるが、ラッチが開位置にある。
【図８６】図８６は、本発明のある実施形態による開位置にあるガスケットを有する包装組立品の斜視図を図示する。
【図８７】図８７は、図８６に図示の包装組立品の側面図である。
【図８８】図８８は、図８６に図示の包装組立品の第１シェル部、挿入体、及びガスケットの上面図である。
【図８９】図８９は、包装組立品の図８６のＡ−Ａ断面ラインに沿って取られた断面図である。
【図９０】図９０は、図８８に図示されたガスケットの斜視図である。
【図９１】図９１は、開位置に示された一体化されたシール及び開放バネを有する包装組立品の実施形態の斜視図である。
【図９２】図９２は、第２シェル部が無い図９１に図示された包装組立品のフロント図である。
【図９３】図９３は、包装組立品が第２シェル部と閉位置にあるとした図９１の断面ラインＡ−Ａに沿って取られた断面図である。
【図９４】図９４は、図９３の円Ｂ−Ｂにより特定された包装組立品の部分断面図である。
【図９５】図９５は、図９１に図示された包装組立品の内側壁部材の斜視図である。
【図９６】図９６は、本発明の実施形態による包装の第１シェル部内に挿入された挿入体の断面図である。
【図９７】図９７は、包装組立品の実施形態による第１及び第２部材のフロント斜視図である。
【図９８】図９８は、図９７に図示された包装組立品のリア斜視図である。
【図９９】図９９は、スライドボタンを有し蓋及びスライドボタンラッチが開位置にある包装組立品の実施形態のフロント斜視図である。
【図１００】図１００は、図９９に図示された包装組立品のリア斜視図である。
【図１０１】図１０１は、図９９に図示された包装組立品の側面斜視かつ部分的な切出図であり、包装組立品が閉じられている。
【図１０２】図１０２は、図１０１に図示された包装組立品の一部の斜視図である。
【図１０３】図１０３は、図１０１に図示された包装組立品の一部の斜視図であり、スライドボタンラッチが開位置に移動されている。
【図１０４】図１０４は、閉位置に示され、また押しボタン組立品を有する回転可能な包装組立品の実施形態の斜視図である。
【図１０５】図１０５は、開位置に示され、また図１０４に図示された回転可能な包装組立品の斜視図である。
【図１０６】図１０６は、図１０５に図示された回転可能な包装組立品のリア斜視図である。
【図１０７】図１０７は、スライド組立品を有する挿入体の実施形態の第１側面斜視図である。
【図１０８】図１０８は、カバーが除かれた図１０７に図示された挿入体の第１側面斜視図である。
【図１０９】図１０９は、カバーが除かれた図１０７に図示された挿入体の第２側面斜視図である。
【図１１０】図１１０は、カバーが除かれた図１０７に図示された挿入体のフロント斜視図である。
【図１１１】図１１１は、スライド組立品を有する副挿入体の実施形態の斜視図である。
【図１１２】図１１２は、押しボタン組立品を有する挿入体の実施形態の側面斜視図である。
【図１１３】図１１３は、カバーが除かれた図１１２に図示された挿入体の側面斜視図である。
【図１１４】図１１４は、図１１３に図示の挿入体のリア斜視図である。
【図１１５】図１１５は、図１１３に図示の挿入体のフロント斜視図である。
【図１１６】図１１６は、押しボタン組立品を有する挿入体の実施形態の図１１３のＡ−Ａラインに沿って取られた断面図である。
【図１１７】図１１７は、押しボタン組立品及び傾斜部を有する挿入体の実施形態の側面斜視図である。
【図１１８】図１１８は、カバーが除かれた図１１７に図示された挿入体の側面斜視図である。
【図１１９】図１１９は、図１１８に図示した挿入体のフロント斜視図である。
【図１２０】図１２０は、図１１８に図示した挿入体のリア斜視図である。
【図１２１】図１２１は、副挿入体、傾斜部、及び押しボタン組立品の一部の実施形態の底部平面図である。
【図１２２】図１２２は、副挿入体及び押しボタン組立品の一部の図１２１のＡ−Ａラインに沿って取られた断面図である。
【図１２３】図１２３は、押しボタン組立品の一実施形態の斜視図である。
【発明を実施するための形態】
【００４２】
ここで、幾つかの実施形態を開示する添付図面を参照して本発明をより十分に説明する。しかしながら、この発明は、多くの異なる形態において実施され得、本明細書に説明の実施形態に限定されるように解釈されるべきではない。むしろ、これらの実施形態は、発明の例であり、本発明は、請求項の文言により示唆される完全なスコープを有する。一貫して同様の数値が同様の要素を示す。
【００４３】
図１乃至５を参照すると、包装４０が、図示の実施形態において次の共通の特徴、第１シェル部４２、第２シェル部４４、ヒンジ５６、及びラッチ５８を有するように示される。本明細書においては、包装は、開放可能に結合して開閉可能である２つの部分又はリーフを有する包装として広義に定義される。２つの部分又はリーフは、等しく、又は同サイズ、又は本明細書で定義のような包装になるように一致する端部を有する必要はない。
【００４４】
図示の実施形態においては、第１シェル部４２が、第１周辺部４６及び第２周辺部４８を有し、第２シェル部４４が、第１周辺部５０及び第２周辺部５２を有する。第２周辺部４８及び５２が、第１周辺部４６及び５０を除けば、シェル部４２及び４４の周囲の全体である。
【００４５】
図示の実施形態においては、シェル部４４の第２周辺部５２が、以下に説明のようにラッチ５８により係合若しくは非係合になる第１ラッチ接合部５４を含む。図示の実施形態においては、ヒンジ５６が、第１シェル部４２と第２シェル部４４をそれらの第１部分４６及び５０で結合し、クラムシェル包装を画定する。しかしながら、ヒンジ及びヒンジで連結された部分は、必須ではなく、この明細書に開示の任意の発明の任意の実施形態を実行するために必要ではない。例えば、ヒンジ５６の代わりに、第１及び第２シェル部４２及び４４が２以上のフック又はこれらの各第１周辺部４６又は５０の間に別のラッチを有し、第１及び第２シェル部４２及び４４を開放可能に係合する。
【００４６】
図示の実施形態においては、ラッチ５８は、第１シェル部４２及び第２シェル部４４の第２部分４８及び５２を一緒にラッチするために設けることができる。図示のラッチ５８は、第１脚部６０及び第２脚部６２、作動部６４、及び第２ラッチ接合部６６を含む。第１及び第２脚部６０及び６２は、ある角度（これは、例えば、９０度及び／又は第２シェル部４４の側端と第２シェル部のフロント端の間の個々の角度に対応する）で接続され、第１脚部６０が第１シェル部４２に固定される。
【００４７】
図示の実施形態においては、第１脚部６０の作動部６４がユーザーの指により概して横方向（図１乃至３Ａにおいて「Ｌ」として示唆された方向）に変位するように配置され、第２脚部６２が図２及び４に示すラッチ位置から図３及び図５に示す開放位置へ概して長手方向に変位できる。図示の実施形態においては、作動部６４は、ヒトの指で内側へそれを押すことにより横方向に変位可能である。この実施形態においては、作動部の横変位が、第１脚部６０（第１脚部６０は、図１乃至３Ａにおいて「Ｖ」として示唆された方向に延在する）に対して垂直であり、また従って第２シェル部４４の側端にも垂直であり、第２シェル部４４のフロント端部に平行であり、なぜなら第２脚部が第２シェル部４４のフロント端に平行に配置され、また２つの脚部間の角度が９０度であるためである。オプションとしては、図２、２Ａ、３、及び３Ａに開示のように、板バネ１０６といった弾性部材を設けることができ、この変位に抵抗してそのラッチ位置に向けて作動部６４を付勢する。図示の実施形態においては、板バネ１０６が、オプションとして挿入体７８の一部（図示の実施形態の以下に説明のリセス１１０を画定する側壁）を押圧し、作動部６４の進行に弾性的に抵抗する。
【００４８】
図示の実施形態においては、第２ラッチ接合部６６が、第２脚部６２に固定される。図示の実施形態の第２ラッチ接合部６６は、図１、２、４に示すように第２脚部６２がそのラッチ位置にある時に第１ラッチ接合部５４に係合し、図３及び図５に示すように第２脚部６２がその開放位置にある時に第１ラッチ接合部５４を開放するように構成される。オプションとしては、図２及び３に示すように、板バネ１０６のように機能する板バネ１０８が設けられる。
【００４９】
図示の実施形態に共通及びオプション特性に加えて、図面に図示の包装４０は、任意の１以上の多数の追加のオプション特性を有することができる。単独に若しくは任意の組み合わせにしても、これらのオプションの特性のゼロ、一つ、又は１以上を採用可能である。
【００５０】
図１〜５の実施形態の第１オプション特性は、第１及び第２シェル部４２及び４４が、接合周縁６８及び７０を有することができることである。接合周縁は、概して適合であり、包装４０が閉じられる時に重ね合わされる周縁として定義される。
【００５１】
図１〜５の実施形態の第２オプション特性は、包装４０が閉じられるときに外部環境から包装４０の内部を隔離するようにリップシール機構を設けることができることである。例えば、包装４０は、囲み７４を画定する第１シェル部４２上の第１閉リップ７２と、第２シェル部４４上の接合の第２閉リップ７６を含むことができる。第２閉リップ７６が、第１閉リップ７２に係合するように配置され、第１シェル部４２及び第２シェル部４４がラッチされる時に囲み７４の外の周囲の空気から囲み７４を封止する。「閉じたループ」は、リングの如く、リップが無端又は連続することを意味する。ループは、丸い、楕円、丸み付いた角部を有する矩形、不規則であるか、若しくは幾つかの他の形状を有することができる。
【００５２】
図１〜５の実施形態の第３のオプション特性は、第１シェル部の一部として挿入体７８を設けることができることであり、第１閉リップ７２を規定し、かつ第１シェル部４２の残部１０４に結合される。図１に図示の挿入体７８は、閉リップ７２内に配置され、かつ側壁１１２により画定されたリセス１１０を有するトレイ７８の形態を取ることができる。リセスは、収容器の閉じた部分を画定できる。トレイ７８は、閉リップ７２の外に設けられた周囲フランジ１１４も含むことができる。図示の実施形態においては、周囲フランジ１１４が、ラッチ５８及び８８の殆どを隠すが、アパーチャ１１６及び１１８を含んで第１及び第２ラッチ接合部５４及び６６の間、並びにラッチ接合部８６及び９８の間の係合を許容する。
【００５３】
図１〜５の実施形態の第４のオプション特性は、ラッチ５８の少なくとも一部及びラッチ８８の少なくとも一部が、挿入体７８のフランジ１１４と第１シェル部４２の間に配置できることである。これによりラッチ５８及び８８が隠され、第２及び第４脚部６２及び９２又は板バネ１０６及び１０８を支える支持面として働く側壁１１２が設けられ、ラッチ５８及び８８をこれらのラッチ位置へ付勢する。収容器を閉じるように十分にラッチするように代替的に単一のラッチを設けることができるため、第２ラッチ８８及びそれが係合する構造が本質的若しくは必要ではないものと理解されるべきである。例えば、単一のラッチ８８は、第２及び第４接合部６６及び９８の両方を支持するように変更されることができ、それらは同一の方向にラッチするように変更されることができる。
【００５４】
図１〜５の実施形態の第５のオプション特性は、第２脚部６２がラッチ位置（例えば、図１、２、及び４に図示される）から開放位置（例えば、図３及び５に図示される）に向って概して長手方向に変位される時に第２脚部６２が曲げられて付勢接合部８２に接触するために、第２脚部６２が係合するように曲げ湾曲部８０を配置可能なことである。図示の実施形態においては、曲げ湾曲部８０は、第４脚部９２の曲げ部分であり、これは、ラッチ５８及び８８がそれら各自のラッチ解除位置に向って反対方向に移動するに応じて第２脚部６２が左に移動し、曲げ湾曲部８０が右に移動する利益を有する。２つのラッチの相対移動により、固定構造体に対するいずれかのラッチの移動速度と比較して、これらの通過速度が倍増され、第２脚部の曲げ速度が倍増される。
【００５５】
図１〜５の実施形態の第６のオプション特性は、第１脚部６０が、回転軸８４により第１シェル部４２に固定されることができることである。回転軸８４の設置によりユーザーが作動部６４を変位させて第１シェル部４２に対して第１脚部６０を枢動させることができる。代替的に、回転軸８４が固定された取付点又は支持点により代替されることができ、第１脚部６０が弾性を備えるならば、これらいずれもが別の、若しくは代替の支持力を提供してラッチ５８をそのラッチ位置へ付勢する。
【００５６】
図１〜５の実施形態の第７のオプション特性は、収容器ラッチ構造が、更に、第３ラッチ接合部８６及び第２ラッチ８８を含むことができることである。第３ラッチ接合部８６は、第１及び第２シェル部４２及び４４のいずれか一つに設けられることができる。第２ラッチ８８は、第１シェル部４２及び第２シェル部４４の第２部分４８及び５２を一緒に開放可能にラッチするために設けられる。
【００５７】
図１〜５の実施形態の第８のオプション特性は、第２ラッチ８８が、第３及び第４脚部９０及び９２、作動部９４、及び第４ラッチ接合部８８を含むことができることである。第３及び第４脚部９０及び９２は、此処に図示したように、ある角度で結合可能である。第３脚部９０は、第３ラッチ接合部８６との関係において第１及び第２シェル部４２及び４４の他方に対して固定可能である。第３脚部９０の作動部９４は、ユーザーの指により概して横に変位されるように位置付け可能である。図示の実施形態の第３脚部９０の作動部９４を変位することにより、第４脚部９２が概して長手方向にラッチ位置から開放位置へ変位される。
【００５８】
第４ラッチ接合部８８は、第４脚部９２に固定可能である。第４ラッチ接合部８８は、図示の実施形態に開示のように、第４脚部９２がそのラッチ位置にある時に第３ラッチ接合部８６に係合するように構成可能である。第４ラッチ接合部８８は、図示の実施形態に開示のように、第４脚部９２がその開放位置にある時に第３ラッチ接合部８６を開放するように構成可能である。
【００５９】
図１〜５の実施形態の第９のオプション特性は、第１及び第３脚部６９及び９０の作動部６４及び９４が、少なくとも５ｃｍ離間し、オプションとしては少なくとも６ｃｍ離間し、オプションとしては少なくとも７ｃｍ離間し、オプションとしては少なくとも８ｃｍ離間し、オプションとしては少なくとも９ｃｍ離間し、オプションとしては少なくとも１０ｃｍ離間する。
【００６０】
図１〜５の実施形態の第１０のオプション特性は、第１及び第３脚部６９及び９０の作動部６４及び９４が、第１シェル部４２及び第２シェル部４４の第２部分４８及び５２をラッチ解除するために同時に作動されなければならないようにオプションとして配置可能である。
【００６１】
第９及び第１０のオプション特性、又はこれらのいずれか一つは、高齢者への易しさを除く子供耐性の包装４０を提供するように用いることができる。この目的のために望ましくは、作動部６４及び９４が十分に離間し、包装４０の中身へのアクセスを有するべきではない小さな子供が一つの手で同時に両方を操作することが困難又は不可能であると判別する。望ましくは、作動部６４及び９４が一緒に十分に近接し、包装４０の中身へのアクセスを有するべき、高齢者を含む大人が、片手で同時に作動部６４及び９４の両方を操作して包装を開けることが可能、好適には容易であると判断する。
【００６２】
第１１のオプションの子供耐性の特性として、図１〜５の実施形態が、ラッチ解除になる時に自動的に包装を開ける開きバネ、圧縮材（ｓｔｒｕｔ）、又は同種のものを有しない。ラッチ５８及び８８が非係合になる時、第２シェル部４４、本例の場合の蓋が自動的に弾性的に開かない；第２シェル部４４が包装を開けるために手動で持ち上げられなければならない。この目的のため、第１シェル部４２が曲げ湾曲部９６に合致する凹みを有し、第２シェル部４４の第２周辺部５２が凹みを覆う。
【００６３】
ユーザーは、ラッチ５８及び８８が開放される時、閉じられた包装４０の凹みを覆う第２周辺部５２の部分を持ち上げて包装４０を開け、その中身へアクセスすることができる。これは子供耐性の特性であり、なぜなら、通常動作においては、作動部６４及び９４の両方が片手で操作され、他方の手により第２シェル部４４が持ち上げられるためである。ユーザーの手は、包装を開けるために同時に２つの作動部６４及び９４を操作するのに十分に広い必要がある。また、包装４０を開けることは、他方との関係において一方の部材を握ることや捩じることといった複雑な動きを要求せず、必要な付勢力を制御することにより簡単に設定することができ、開けるのに大きい力を要求しない。
【００６４】
図１〜５の実施形態の第１２のオプション特性は、第２及び第４脚部６２及び９２がオプションとしてそれらのラッチ位置にある際に概して平行に配置可能であることである。「概して平行」は、各脚部の長さの大部分が、包装がラッチされた時、それらの互いの長さに沿って約同一の距離をあけて隣り合って延在することを意味する。本明細書から理解されるように、脚部らの個別の動きの一部が横であるため、包装４０がラッチ解除される時に脚部らが平行のままである必要はない。
【００６５】
図１〜５の実施形態の第１３のオプション特性は、第２及び第４脚部６２及び９２が、これらのラッチ位置からこれらの開放位置に向けて反対方向に概して長手方向に変位されるようにオプションとして配置可能であることである。
【００６６】
図１〜５の実施形態の第１４のオプション特性は、曲げ湾曲部８０及び９６が、係合した脚部６２又は９２がラッチ位置から開放位置に概して長手方向に変位される時に係合した脚部６２又は９２を曲げて付勢接合部９８又は１００に接触させるために、第２及び第４脚部６２及び９２の一つ又はオプションとして双方により係合されるようにオプションとして配置可能であることである。
【００６７】
図示の実施形態においては、第２及び第４脚部６２及び９２が、各々、第４脚部９２により規定された曲げ湾曲部８０及び第１シェル部４２の第２部分４８を画定する壁の凹みにより規定された曲げ湾曲部９６の曲げ湾曲部に係合する。この２つの曲げ湾曲部の並列が、包装４０がラッチ解除される時に第２脚部６２の横変位を増加させ、これに関しては次のように説明可能である。第４脚部９２に対して曲げ湾曲部９６を係合することにより、第４脚部９２並びに曲げ湾曲部８０が、包装に関して横内側に変位し、また横内側に第２脚部６２も変位する。曲げ湾曲部８０を第２脚部６２に係合することにより更に横内側に第２脚部６２が更に変位される。これにより複合レバーと同等の動きが提供される。オプションとして、ただ第２脚部６２が、側壁１１２、又はオプションとして又は追加としてアパーチャ１１６の側壁により支持され、ラッチ解除に抵抗する方向の付勢力を生成する。
【００６８】
図１〜５の実施形態の第１５のオプション特性は、そのラッチ位置に向けて作動部を付勢するための一つの方法である。第１曲げ湾曲部８０は、第２脚部６２により係合されるように配置して提供可能であり、第２脚部６２がそのラッチ位置からその開放位置へ概して長手方向に変位される時に第２脚部６２を曲げて第１付勢接合部８２に接触させる。
【００６９】
第１６の本機構のオプションの精巧においては、第２曲げ湾曲部９６が第４脚部９２により係合されるように設けられかつ配置されることが可能であり、第４脚部９２がそのラッチ位置からその開放位置へ概して長手方向に変位される時に第４脚部９２を曲げて第２付勢接合部８２に接触させる。
【００７０】
図１〜５の実施形態の第１７のオプション特性は、第１脚部６０が第１回転軸８４により第１シェル部４２に固定可能であり、第３脚部９０も第２回転軸１０２により第１シェル部４２に固定可能である。
【００７１】
図６乃至２０を参照すると、包装１２０は、ベースシェル１２２、蓋シェル１２４、一体型ヒンジ１２６、第１閉鎖部１２８、及び第２閉鎖部１３０を含む。デザインの詳細に依存して異なる方法により製造することができる。図示の実施形態においては、ベースシェル１２２、蓋シェル１２４、一体型ヒンジ１２６、及び閉鎖部１２８及び１３０が、一つの金型において一回の射出で成形された、単一の射出成形部材１２０として形成される。代替の実施形態においては、１以上の部材又は部分が別々に形成され、一個の包装を形成するように結合され、若しくは個々の部材が１以上の金型又は１回以上の射出で形成可能である。包装は、またブロー成形又は熱形成可能である。
【００７２】
ベースシェル１２２は、内及び外面１３２及び１３４を有する。それは、少なくとも第１ベース窪みを有し、ここでは５個のベース窪み１３６、１３８、１４０、１４２、及び１４４をその内面１３２に有する。窪みは、ベースシェル１２２の凹みにより形成される。図示の実施形態においては、１３６といった各ベース窪みが、ベースシェル１２２から概して平坦な縁の封止面まで延在して１３６といった窪みを囲む起立壁１４６により画定される。図示の実施形態においては、少なくとも２つの隣接するベース窪みの、ここでは全ての５個の図示のベース窪みの起立壁１４６及び１４８が離間され、これらの間に１５０といったギャップを規定する。
【００７３】
図示の実施形態においては、ベース窪み１３６〜１４４、より端的には１４６及び１４８といった起立壁が、変形に対してベースシェル１２２を補強する。この補強は、曲げに対してベースシェル１２２を補強するのに有効であり、従って包装１２０が閉じられて閉鎖部１２８〜１３１が係合されている際にベースシェル１２２を開ける又はさもなければ曲げることによりベース窪み１３６〜１４４の中身へアクセスに対してその内容物をより安全に保つ。
【００７４】
図示の実施形態においては、１３６といったベース窪みは、ベースシェル１２２の概して平坦な縁の封止面１５６〜１６４に概して平行である長さ（１４６及び１４８といった長い起立壁に沿って測定される）及び幅（１５２及び１５４といった短い起立壁に沿って測定される）、及びベースシェル１２２の概して平坦な縁の封止面１５６〜１６４に対して概して垂直な深さを有する。
【００７５】
図示の実施形態においては、縁の封止面１５６〜１６４が、ベースシェル１２２の個々のベース窪み１３６、１３８、１４０、１４２、及び１４４の概して平坦な縁の封止面１５６、１５８、１６０、１６２、及び１６４により規定された非連続面である。代替の実施形態においては、２つの窪み間の１４８及び１６６といった対面する起立壁を合体させることができ、これにより、１５０といったギャップを減じ若しくは除去し、ともすれば縁の封止面１５６〜１６４の部分を結合して単一、連続の封止面１５６〜１６４を形成する。
【００７６】
代替の実施形態においては、図１６に示すように、ベース窪みが、ベースシェル１２２のうね１６８により形成される。うね付られた構造においては、内面１３２及び外面１３４両方が波形になる。
【００７７】
図示の実施形態においては、ベース窪み１３６〜１４４が、それらの幅の少なくとも３倍の大きさの長さを有し、それらの幅のおおまかに２０倍に図示されている。
【００７８】
蓋シェル１２４は、内及び外面１７２及び１７４も有する。それは、少なくとも第１及び第２蓋窪み、ここにおいて５個の蓋窪み１７６、１７８、１８０、１８２、及び１８４を内面１７２に有する。窪みは、蓋シェル１２４の凹みにより形成可能である。図示の実施形態においては、１７６といった各蓋窪みは、蓋シェル１２４から概して平坦な縁の封止面に延在して１７６といった窪みを囲む起立壁１８６により画定される。図示の実施形態においては、少なくとも２つの隣接の蓋窪みの、ここにおいては全５個の図示の蓋窪みの起立壁１８６及び１８８が離間し、これらの間に１９０といったギャップを規定する。
【００７９】
図示の実施形態においては、蓋窪み１７６〜１８４、より端的には１８６及び１８８といった起立壁が、変形に対して蓋シェル１２４を補強する。この補強は、曲げに対して蓋シェル１２４を補強するのに有効であり、従って、包装１２０が閉じられて閉鎖部１２８〜１３１が係合されている際に蓋シェル１２４を開ける又はさもなければ曲げることにより蓋窪み１７６〜１８４の中身へアクセスすることに対してその内容物をより安全に保つ。
【００８０】
図示の実施形態においては、１７６といった蓋窪みは、蓋シェル１２４の概して平坦な縁の封止面１９６〜２０４に概して平行である長さ（１８６及び１８８といった長い起立壁に沿って測定される）及び幅（１９２及び１９４といった短い起立壁に沿って測定される）、及び蓋シェル１２４の概して平坦な縁の封止面１９６〜２０４に対して概して垂直な深さを有する。
【００８１】
図示の実施形態においては、縁の封止面１９６〜２０４は、蓋シェル１２４の個々の蓋窪み１７６、１７８、１８０、１８２、及び１８４の概して平坦な縁の封止面１９６、１９８、２００、２０２、及び２０４により規定された非連続面である。代替の実施形態においては、２つの窪み間の１９８及び２０６といった対面する起立壁を合体させることができ、これにより、１９０といったギャップを減じ若しくは除去し、ともすれば縁の封止面１９６〜２０４の部分を結合して単一、連続の封止面１９６〜２０４を形成する。
【００８２】
図示の実施形態においては、蓋窪み１７６〜１８４が、それらの幅の少なくとも３倍の大きさの長さを有し、それらの幅の大まかに２０倍に図示されている。
【００８３】
図示の実施形態においては、ベース窪み１３６〜１４４を収容器の外部から隔離するベースシェル１２２及び蓋シェル１２４の部分が、各々、少なくとも０．５ｍｍ厚であり、代替的に少なくとも０．８ｍｍ厚であり、代替的に少なくとも１ｍｍ厚であり、代替的に少なくとも２ｍｍ厚であり、窪みに収容される特定の品物の要求に見合うように湿気、酸素、又は双方の通路に対して十分なバリア層若しくは封止を提供するのに十分な厚みである。シェルは、例えば、ポリエチレン又はポリプロピレンから製造可能である。
【００８４】
一体型ヒンジ１２６が、ベースシェル１２２及び蓋シェル１２４を結合する。ヒンジ１２６によりベースシェル１２２及び蓋シェル１２４が一緒の態様で閉じる。非一体型ヒンジもオプションとして用いることができるが、製造コストが増加するかもしれない。
【００８５】
包装１２０は、少なくとも一つの閉鎖部、この実施形態においては２個を有する。包装１２０が閉じられると、図１２に示すように、蓋シェル１２４及びベースシェル１２２の縁の封止面が対面してお互いに隣接し、窪みへのアクセスを阻止する。閉鎖部、この場合の第１閉鎖部１２８〜１２９及び第２閉鎖部１３０〜１３１は、閉じたとき蓋シェル１２４にベースシェル１２２を開放可能に固定する。
【００８６】
第１閉鎖部１２８〜１２９は、蓋シェル１２４に固定された少なくとも一つの第１上向き蓋接合部２１０（図７及び１３参照）、及び包装１２０が（図２に示すように）閉じられる時に通常は蓋接合部２１０により支持され、かつベースシェル１２２に固定された第１閉鎖部デテント１２８の少なくとも一つの第１下向きベース接合部２１２を備える。代替の実施形態においては、第１閉鎖部が中央に設けられ、単一の閉鎖部が包装１２０の確保に使用可能である。
【００８７】
図９の参照により最も理解できるように、第１下向きベース接合部２１２は、対応の（ベース）シェル１２２に弾性的に設けられる。デテント１２８は、弾性タブ２１４のその近位部分２１６に設けられる。弾性タブの遠位部分２１８が、この実施形態においては、包装１２０の残部に接触することなくタブ２１４が（図９の配向に関して）下方に曲げられることが可能な量を増加させるようにオフセットされる。
【００８８】
タブ２１４に設けられる第１下向きベース接合部２１２は、図示の成形されたままの位置に通常は付勢され、そこでそれが蓋シェル１２４に固定された第１上向き蓋接合部２１０（図７及び１３参照）に係合し、デテント１２８がアパーチャ１２９内に挿入される。第１下向きベース接合部２１２は、この場合には包装１２０の残部に向うその付勢に抗して弾性的に曲げ可能であり、第１上向き蓋接合部２１０を非係合とし、アパーチャ１２９からデテント１２８を外して第１閉鎖部１２８を開放する。
【００８９】
第２閉鎖部１３０〜１３１は、蓋シェル１２４に固定された少なくとも一つの第２上向き蓋接合部２２０（図７及び１３参照）、及び包装１２０が閉じられる時に通常は蓋接合部２２０により支持され、かつベースシェル１２２に固定された第２閉鎖部デテント１３０の第２下向きベース接合部２１２を備える。
【００９０】
図９の参照により最も理解できるように、デテント１３０の第２下向きベース接合部は、対応の（ベース）シェル１２２に弾性的に設けられる。デテント１３０は、弾性タブ２２２のその近位部分２２４に設けられる。弾性タブ２２２の遠位部分２２６が、この実施形態においては、包装１２０の残部に接触することなくタブ２２２が（図９の配向に関して）上方に曲げられることが可能な量を増加させるようにオフセットされる。第２閉鎖部１３０〜１３１は、上述のように第１閉鎖部１２８〜１２９と同様の態様にて機能する。
【００９１】
第１閉鎖部１２８は、第２閉鎖部１３０から離間される。図示の実施形態においては、第１及び第２閉鎖部１２８〜１２９及び１３０〜１３１が、通常、包装１２０を開けるために少なくとも実質的に同時に操作される必要がある。第１及び第２閉鎖部の弾性的に設けられた接合部は、片手の親指と指で遠位部分２１８及び２２６を摘まむにして、別の閉鎖部の弾性的に設けられた接合部に向けて一方の閉鎖部の弾性的に設けられた接合部を付勢することにより閉鎖部を開放するように作動可能である。片手で遠位部分２１８及び２２６を内側に摘まみつつ、包装を開けるように親指タブ２２８が連動可能である。包装１２０の異なる部分の２つの弾性タブ及び親指タブの操作を必要とすることにより子供耐性の閉鎖部になるが、依然として幼い子供よりも大きい手の全長を有する大人にとっては比較して簡単に開けることができる。
【００９２】
図１４に図示のように包装１２０は、個々のベース窪みを気密封止するためにベース窪み１３６〜１４４を囲む概して平坦な縁の封止面１５６〜１６４に密着された封止シート２３０を含む。封止シートは、例えば、超音波溶接、溶剤溶接、熱封止、接着剤、又は本分野で知られた手法を含む他の手法により密着可能である。図１４に図示のように包装１２０は、個々の蓋窪みを気密封止するために蓋窪み１７６〜１８４を囲む概して平坦な縁の封止面１９６〜２０４に密着された封止シート２３２も含む。オプションとして、封止された窪みは、以下で定義の「湿密」であり得る。
【００９３】
ある場合に何ら封止が要求されないならば、可撓性フィルムは封止を提供するためにバリア及び封止特性を有する必要がない。例えば、紙シールが用いられる。別の実施形態においては、ポケットの設計が包装に製品を保持するといったためであり、何らの可撓性フィルムが要求されない。
【００９４】
可撓性フィルム材料は、一つの区部が一緒に開けられることを許容する態様にて形成可能である。封止シート２３０及び２３２は、オプションとして、例えば、隣接の窪みの間で、シート２３０の切れ目２３４〜２４０及びシート２３２の切れ目２４２〜２４８のように、脆弱化され、切断され、又は開口され、（２３４及び２３６といった２個の隣接する切れ目の間に）２７０といった別々に除去可能な細片を規定し、隣接の窪みを非封止又は開けること無く個別に除去されて一つの窪みを非封止又は開けることができる。製品にアクセスするため、消費者が可撓性フィルム材料を剥がし取り、区分の一つが露出する。追加的又は代替的に、区分を開けるために治具を使用可能である。別のオプションは、窪みを被覆する可撓性フィルムを介して引かれる糸又は他の材料を有するプルタブが設けられ、区分が開けられる。
【００９５】
様々な実施形態においては、シート２３０及び２３２が、元々は２つの別々のシート又は一体型ヒンジを跨ぐ一つのシートの部分であり得る。シートの跨ぐ腹部は、除去され、若しくはそこに残され得る。
【００９６】
発明の別の側面の実施形態は、包装１２０に製品を充填する方法である。製品の個片、例えば、図１４に断面にて図示された棒形状の製品の個片２５２〜２６８が、ベース及び蓋窪み１３６〜１４４及び１７６〜１８４に配置される。ベースシェル１２２及び蓋シェル１２４の窪み１３６〜１４４及び１７６〜１８４は、カバーシート２３０及び２３２で被覆されてそれらを閉鎖する。カバーシート２３０及び２３２が概して平坦な縁の封止面１５６〜１６４及び１９６〜２０４に封止され、窪み１３６〜１４４及び１７６〜１８４を封止する。２個の窪みの間のカバーシート２３０及び２３２の部分がシート２３０の切れ目２３４〜２４０及びシート２３２の切れ目２４２〜２４８にて脆弱化又は切断され、２つの切れ目の間にカバーシートの２７０といった細片を形成する。ある実施形態によれば、カバーシートの２７０といった細片が一つの窪みを被覆するが、代替的に、取り出される目的物が調剤錠剤であり、推奨服用量が一回に２個の錠剤である時のように、それらが細片２７０当り１以上の窪みを被覆することができる。ある実施形態によれば、各細片が、異なる窪みを被覆するカバーシートの隣接する１以上の細片から別々に除去可能である。
【００９７】
発明の別の実施形態が図１５に図示され、ここで、２７２といった窪みが概して円形であり、蓋２７４、またベース２７６に２つのオフセットラインで設けられる。この実施形態は、錠剤又はディスク形状又は巻かれた剤形又は別の目的のために用いられることができる。図示された蓋及びベースの窪みは、包装が閉じられるときに交差しない。オフセットされたベース及び蓋窪みの一つの効用は、各ベース窪みを開けるためのプルタブ又は別の構造が、オフセットされた蓋窪みの間の空間に突出することとし、逆も然りである。或いは、オフセットされた蓋及びベースの窪みが交互配置可能であり、従って、２つの蓋窪みの間の蓋の部分内にベース窪みが向いて突出し、逆も然りである。
【００９８】
図１６は、包装の別の実施形態の詳細図であり、ベースシェル１２２のための波型シェル壁を示し、これは蓋シェル１２４にも使用可能である。この実施形態においては、内及び外面１３２、１３４の両方が波形付けられる。
【００９９】
図１７及び１８は、発明の追加の実施形態を図示し、ここでもベースシェル２８０及び蓋シェル２８２を含む。この実施形態においては、周囲シール２８３がクラムシェルに組み込まれており、ベースシェル２８０の口縁２８４及び蓋シェル２８２の口縁２８６を備える。口縁は、口縁と口縁の突合せ封止を形成可能であり、若しくは口縁は、突き合わされるテーパーを有する同心面であり得、従って、各々のリップの側面が係合する。オプションとして、周囲シール２８３が「湿密」であり、これは以下で定義される。更なる実施形態においては、周囲シールが再封止可能である；クラムシェル包装の開閉に際して、湿密封止が再構築される。例えば、包装は、少なくとも、一回に一つ、包装の全ての窪みにアクセスするのに必要な回数分開けられるまで湿密に設計される。
【０１００】
図１９及び２０は、ブリスター包装ホルダー又は外包装として用いることができるまた別の実施形態を示す。口縁２８４及び２８６は、図１７及び図１８にも示されるように、周囲シール２８３を形成する突き合せテーパーを有する同心面であり得、ただこれは図１９〜２０にとってオプション特性である。図１９及び２０は、ベースシェル２９０及び蓋シェル２９２も示し、各々、カバーシート２９８及び３００に封止されたブリスターシート２９４及び２９６を保持して取り付けられる。包装内でブリスターシート２９４及び２９６を永久的に固定することが有用であり、これにより、その内容物を取り出す前に外包装からブリスターパックを除去することによって子供耐性の閉鎖が迂回され得ない。
【０１０１】
図１７〜１８又は１９〜２０の外包装は、一体型ヒンジ及び子供耐性の閉鎖を有する一個として成形可能である。これらの実施形態においては、可撓性フィルムが、オプションとして如何なる封止も提供する必要がなく、これによりそのデザインや材質において更なる自由度が確保される。例えば、簡単な安価な紙基準の材料が区分を閉鎖するために用いることができ、他方、周囲シールが封止機能を提供する。
【０１０２】
封止が要求される発明の様々な実施形態においては、窪み又は他の包装要素が、オプションとして、製品保護の必要があるガスを除去する材料を含むことができる。この作用物質は、窪みに別々に加えられ、又はベースシェル及び／又は蓋シェルの一体部分として構成され得る。例えば、本体と、ポリマー又はプラスチック材料とそれに連行する活性作用物質の態様の第２の結合材料に対して一つの材料を成形するためにマルチ材料成形工程を用いることができる。
【０１０３】
プラスチックに連行される活性作用物質の一例が、３つの構成成分及び方法であり、次の１以上の米国特許番号に開示されている：５９１１９３７、６２１４２５５、６１３０２６３、６１７４９５２、６、６１３、４０５及び６、１２４、００６、本明細書に参照により組み込まれる。別例が活性作用物質及びポリマーの２種混合成分である。
【０１０４】
ある実施例においては、乾燥剤が連行ポリマーにて活性作用物質として用いられる。乾燥剤は、製品及び／又は包装された環境から湿気を除去するために用いることができる。乾燥剤は、相対湿度の特定範囲を維持するために選択可能である。一つの実施例においては、モレキュラーシーヴ乾燥剤を用いることができ、相対湿度を１０％未満に維持する。別の実施例においては、シリカゲル乾燥剤を用いることができ、相対湿度を１０〜３０％ＲＨ（相対湿度）又は３０〜５０％ＲＨ又は４０〜６０％ＲＨの範囲内に維持する。相対湿度は、例えば、ポリマー内に組み込まれるシリカゲルの量により調整することができる。
【０１０５】
酸素吸収剤又は保護作用物質の放出材料といった他の活性作用物質がオプションとして考えられる。これらは、２種の構成成分も同様に上述の３種の構成成分内に組み込むこともできる。
【０１０６】
ある実施形態によれば、製品の剤形が、ベース又は蓋窪みの少なくとも一つに設けられる。製品は、限定するわけではないが、押出された棒状成分、ロールされたシート成分、リーフの部分、粉砕材料及びバインダー作用物質、薬用ドロップ、錠剤、かみたばこ（plug）、これらの種類の組み合わせ（リーフのロールされた部分）、又は他の形態である。
【０１０７】
本明細書で用いられるように、包装、個別の窪み、又は他の収容器に関して用語「湿密」が以下に定義される。
【０１０８】
周囲封止を有する完全な包装に関しては、「湿密」は、包装内に浸入する湿気が、一日当り水約２５００マイクログラム未満であることを意味し、別の実施形態においては一日当り水約２０００マイクログラム、別の実施形態においては一日当り水約１５００マイクログラム、別の実施形態においては一日当り水約１０００マイクログラム、別の実施形態においては一日当り水約５００マイクログラム、更なる実施形態においては一日当り水約３００マイクログラム、また別の実施形態においては一日当り水約１５０マイクログラムであり、次の試験方法により決定される：（ａ）およそ１グラムのモレキュラーシーヴを収容器内に配置して重量を記録（測定）する；（ｂ）収容器を閉じて封止する；（ｃ）封止された収容器を８０％相対湿度及び摂氏２２度（カ氏７２度）の条件の環境チャンバーに配置する；（ｃ）一日後、モレキュラーシーヴを含む収容器を計量する；（ｄ）およそ２週間後、収容器を計量する：（ｅ）得られた値から初日サンプルを減算して日数により除算し、収容器に浸入した湿気を一日当たりの水のマイクログラムの単位で算出する。
【０１０９】
包装の個別の窪みに関しては、「湿密」は、個別の封止された窪み内に浸入する湿気が一日当り水約７５０マイクログラム未満であることを意味し、別の実施形態においては一日当り水約５００マイクログラムであり、別の実施形態においては一日当り水約２５０マイクログラムであり、別の実施形態においては一日当り水約１５０マイクログラムであり、別の実施形態においては一日当り水約１００マイクログラムであり、次の試験方法により決定される：（ａ）およそ０．２グラムのモレキュラーシーヴ（窪みサイズに応じて程度に差がある）を収容器内に配置して重量を記録（測定）する；（ｂ）窪みを閉じて封止して収容器を閉じる；（ｃ）封止した収容器を８０％相対湿度及び摂氏２２度（カ氏７７度）の条件の環境チャンバーに配置する；（ｃ）一日後、モレキュラーシーヴを含む包装を計量する；（ｄ）およそ２週間後、包装を計量する；（ｅ）得られた値から初日サンプルを減算して日数により除算し、包装に浸入した湿気を一日当たりの水のマイクログラムの単位で算出する。多数の窪み包装のための試験は、個別の窪み、それらの全て、若しくは１つの全部の間の任意の数の窪みにて実施可能である。
【０１１０】
ここで図２１〜２３を参照すると、概して３３０として示唆された子供耐性の収容器が、シェル又は筐体カバー３３２、２つの引出し又は製品トレイ３３４及び３３６、接合部３３８及び３４０により規定された停止部、及びここでは第１ラッチ３４２及び第２ラッチ３４４により規定されるラッチを備えるように図示される。
【０１１１】
シェル３３２は、オプションとして対向する第１及び第２引出し開口３４６及び３４８を有することができる。シェル３３２は、第１引出し開口３４６から第２引出し開口３４８への長手通路３５０を画定することができる。図示の実施形態においては、シェル３３２は、第１サイド開口３５２、及びこの実施形態においては第２サイド開口３５４も、更に画定することができ、シェル３３２の外部から長手通路へのアクセスを提供する。
【０１１２】
第１引出し３３４は、長手通路３５０に摺動可能に受け入れられ、第１引出し３３４が開けられるときに第１引出し開口３４６を介して突出し、また、別の実施形態においては引出しが閉じたときに少し突出する。図示の実施形態においては、第１引出し３３４は、オプションとして、第１開口３５０に対面するその第１引出し接合部３４０を有することができる。第１引出し３３４は、ガスケット３５６、及び収容器３３０内に対象物を留めて収容するための収容領域３５８を有する。
【０１１３】
第２引出し３３６は、長手通路３５０に摺動可能に受け入れられ、第１引出し３３４に対して相対的に移動可能であり、第２引出しが開けられるときに第２引出し開口３４８を介して突出し、また、別の実施形態においては引出しが閉じたときに少し突出する。図示の実施形態においては、各引出し３３４、３３６が、形状や機能において同一である。
【０１１４】
接合部３３８及び３４０により規定される停止部が通路３５０内に設けられる。これは、シェルに関して移動距離の限度を超えて摺動して離れないように第１及び第２引出しを妨げるために第１及び第２引出し３３４、３３６を係合させるように構成される。第１及び第２引出しのいずれかがその中身へのアクセスを提供するべく十分に開かれ、他方の引出しがその中身へのアクセスを阻止するべく十分に閉じられるときに移動距離の限度が到達される。
【０１１５】
図示の実施形態においては、停止部は、第１開口３４６に対面する第１引出し３３４の接合部３３６と、第２開口３４８に対面する第２引出し３３６の接合部を備え、引出し３３４、３３６が離れるように動く時に第１及び第２接合部３３８及び３４０が係合して停止部を画定する。図示の実施形態においては、接合部３３８及び３４０の少なくとも一つが、この場合においてはそれらの各々が、対応の引出し３３４又は３３６に対し、他方の引出し３３６に向って延在するある引出し３３４のリンク３６０及び逆も然りの他方の引出し３３６のリンク３６２により接続される。図示の実施形態においては、停止部は、オプションとして第１引出し３３４に関連付けられた第１部分３６０及び第２引出し３３６に関連付けられた第２部分３６２を有することができる。代替の実施形態においては、停止部は、図示のように、お互いに係合した第１及び第２部分、シェルの部分に係合した第１及び第２部分、又はラッチの部分に係合した第１及び第２部分に代替され得る。
【０１１６】
ここでは第１ラッチ３４２及び第２ラッチ３４４により画定されるラッチは、シェル３３２に対して変形した第１及び第２押しボタンガスケット３６４及び３６６の弾力性によりここでは通常は付勢され、図２１〜２４に示すように第１及び第２引出し３３４、３３６をラッチして封止する。３４２といったラッチは、その通常の付勢に抗して動作して少なくとも一つの引出し３３４又は３３６をラッチ解除する。図示の実施形態においては、ラッチは、第１引出し３３４に係合する第１ラッチ３４２及び第２引出し３３６に係合する第２ラッチ４４を備える。代替して、一部材のラッチが、同時又は交互のいずれかにて引出し３３４、３３６の双方に係合するように考案され得る。第１ラッチ３４２は、オプションとして第１引出し開口３４６に対面する第１ラッチ接合部３６８を有することができ、第１ラッチ３４２は、以下に説明のラッチ解除機構の一部を含み、これは、この実施形態においてはラッチ３４２の傾斜部３７０、より的確にはこの実施形態においては傾斜部３７０及び３７２の組である。
【０１１７】
この実施形態においては、第１及び第２ラッチ３４２及び３４４は、少なくとも部分的に長手通路３５０内にあり、第１及び第２引出し３３４、３３６を個別にラッチ解除するために第１及び第２サイド開口３５２及び３５４を介して各々接触可能である。第２ラッチ３４４は、オプションとして、第１引出し開口３４６に対面する第２ラッチ接合部３７４を有することができる。
【０１１８】
図示の実施形態においては、ラッチ３４４が押しボタン、ここでは対向の押しボタン３７６及び３７８を用いて作動される。
【０１１９】
図示の実施形態においては、第１及び第２ラッチ３４２及び３４４が形状において同一である。
【０１２０】
各引出し３３４、３３６及び対応のラッチ３４２、３４４がラッチ解除機構３８０、３８２を画定する。図示の実施形態においては、ラッチ解除機構３８０、３８２が、ラッチ３４２又は３４４上の傾斜部３７０又は３７２と、ラッチ接合部３６８から（図２４の平面の後方の）横に離すように引出し接合部３９０を反らすべく係合する引出し３３４から突出するリンク３８８上の傾斜部（ここでは傾斜部３８４及び３８６）を含む。
【０１２１】
図示の実施形態においては、第１引出し接合部３９０及び第１ラッチ接合部３６８は、第１引出し３３４が閉じられ、かつラッチ３４２が通常付勢されて閉じた第１引出し３３４をラッチする時、お互いに係合するように配置される。同様にこの実施形態においては、第２引出し接合部３９２及び第２ラッチ接合部３７４は、第２引出し３３６が閉じられ、かつラッチ３４４が通常付勢されて閉じた第２引出し３３６をラッチする時、お互いに係合するように配置される。
【０１２２】
図示の実施形態においては、第１及び第２ラッチ３４２及び３４４は、通路３５０内においてお互いに向って横に移動することによりラッチ解除するように構成され、双方のラッチ３４２及び３４４が作動される時に対応のラッチ接合部３６８又は３７４から第１及び第２引出し接合部３９０、３９２の一つを非係合にする。
【０１２３】
図示の実施形態においては、第１引出し３３４及びラッチ３４２が、両方がラッチ解除機構３８０に係合するために更に閉じた第１引出し３３４を押し、第１引出し３３４をラッチ解除するためにラッチ３３４を操作するときにのみ、第１引出し３３４をラッチ解除するように構成される。図示の実施形態においては、第２引出し３４２及びラッチ３４４が、同様に、両方が第２ラッチ解除機構３８２に係合するために更に閉じた第２引出し３３６を押し、第２引出しをラッチ解除するためにラッチ３４４を操作するときにのみ、第２引出し３３６をラッチ解除するように構成される。
【０１２４】
本実施形態の３８０といったラッチ解除機構が次のように作動する。
【０１２５】
図示の実施形態においては、ラッチ３４２の傾斜部３７０及び３７２及び対応の引出し３３４の傾斜部３８４及び３８６が、図２４（ここで傾斜部が全て裏側の構造である）に示すように引出し３３４が閉じられる時に通常は長手方向に変位され、引出し３３４が更に閉じるように押される時に図２４の右に傾斜部３８４及び３８６を動かすことにより係合の関係に長手方向に配列される。
【０１２６】
図示の実施形態においては、（引出し３３４の）第１停止部３９４及び（引出し３３６の）第２停止部３９６は、各々、リンク３６０及び３９８の移動を制限して引出し３３４、３３６が同時に押されてより十分に更に閉じられて第１引出し３３４のラッチ解除機構３８０と第２引出し３３６のラッチ解除機構３８２の双方に係合すること阻止し、これにより、第１及び第２引出しの一つのみが一度に開けられる。
【０１２７】
図示の実施形態のシェル３３２は、ラッチ解除機構３８０が係合してリンク３８８が反らされるときに引出し３３４のリンク３８８を受け入れるガイド４００及び４０２を有し、同様に、ラッチ解除機構３８２が係合して引出し３３６のリンクが反らされるときに引出し３３６のリンクを受け入れるガイド４０４及び４０６を有し、各場合にて引出しが開けられる時にそれを案内する。シェル３３２は、引出しリンク３６０を案内するガイド４０８を有し、また他方の引出しリンク３９８を案内するためのガイド４１０を有する。
【０１２８】
３３４といった引出しは、４１２といった部分カバーを更に含むことができる。ある実施形態によれば、部分カバー４１２が引出し３３２、一体型ヒンジ４１４と共に一体の部分として成形可能であり、図２４にて仮想にて示された配向４１２’にある。部分カバー４１２’は、次に、止具又は同種の構成により引出し３３４の本体に対して重ねられ、またオプションとして固定され得る。また若しくは代えて、図２４の実線にて示された閉じた位置の部分カバー４１２を有する収容器３３０の組立過程でシェル３３２内への引出し３３４の挿入により、その閉じた位置の部分カバー４１２を捕捉可能である。４１２といった部分カバーが積層物４１６へのアクセスを制限し、ユーザーにシート４１６の積層物の上部から一度に一枚のシート４１６を取ることを推奨する。
【０１２９】
図示の実施形態の更なる説明が続く。
【０１３０】
図示の実施形態は、ユーザーに提示される固体経口投薬の数を制限するためバルク（個別）配置の固体経口投薬に有用である包装３３０を包含する。個別包装３３０は、オプションとして持ち運び可能であり、軽量であり、また使用するのが簡単である。図示の包装３３０は、小さな子供が同時に押しボタン３７６、３７８を押して包装内へ引出しを押すことが困難と分かるため、効果的な子供耐性閉鎖を有する。また、一回に一つのみ動作可能な二個の引出し特性により、所定時間にユーザーがアクセスする内容物の量が制限される。包装３３０は、オプションとして、ユーザーと製品の間に感情的な結び付きを生じさせるのにも役立つことができる。操作するのが楽しく、また魅力的な触感要素を有する包装は、ここでは感情的な結び付きといったものを生じさせると見なされる。
【０１３１】
図示の実施形態は、ユーザーに固体経口投薬を届けるための個別包装を包含する。固体経口投薬は、限定するわけではないが、食用フィルム、錠剤、薬用ドロップ、及びカプセルを包含する。ある実施形態によれば、製品は食用フィルムである。ある実施形態によれば、食用フィルムは、矩形形状である；例えば、大まかなサイズは２５ｍｍ×３５ｍｍのサイズである。図示の本実施形態の個別包装は、一例としては、実質的に矩形の平行六面体であり得る：図示の実施形態は、丸み付られた端部や角部を有する実質的に矩形の平行六面体であり、やや薄くてポケット又はハンドバック内にて容易に包装を運ぶことができる。食用フィルムは、個別包装内に設けられたトレイ内に積層される。個別包装は、包装の各端に一つが配置された２つのトレイを内蔵する。
【０１３２】
トレイは、包装の各端部からスライドして出される。ある実施形態によれば、各トレイが、２５枚までの食用フィルム、より好適には一つのトレイ当り約１０枚の食用フィルムを保持する。図２１に開示の個別包装は、オプションとして２０枚の食用フィルム片を有することができる：トレイ当り１０片である。
【０１３３】
包装を開けるため、包装の中央に設けられた２つのボタン３７６及び３７８が用いられてトレイの一つがスライドして出る。ボタンは、子供耐性機構を制御するラッチ３４２、３４４に取付けられる。包装を開けるため、ボタンが押され、他方同時にトレイ（又は引出し）の一つが約１〜２ｍｍ内側へ押される。一度内側に押されると、トレイが開放され、個別包装筐体の外側へトレイが動かされる。トレイが開放されると、ユーザーは、手動でトレイを更にスライドさせて開けて製品にアクセスする。
【０１３４】
包装は、一度にアクセスされるトレイがただ一つであるように設計される。一つのトレイがユーザーに開けられると、他方のトレイが包装内においてロックされる。
【０１３５】
トレイが開けられた後、ユーザーは、２つの押しボタン３７６及び３７８を開放する。開放されると、弾性ガスケットのバネ復帰に応じて押しボタンがラッチを外側へ動かし、それらの元の位置へ復帰する。包装を閉じるため、ユーザーは、開けられたトレイを筐体カバー内へスライドさせることができる。図示の実施形態においては、トレイが、包装内に完全に収容されるとき、筐体カバーに面一になることができる。約１〜２ｍｍ、面一を越えてトレイを押すこともできる。閉じられた位置にある時、トレイが、再び包装内にロックされ、上述の手順が繰り返されるまで再び開けられることができない。
【０１３６】
図示の実施形態においては、個別包装が、５個の部品から構成される：筐体カバー、ラッチを備える２個の同一のサイドボタン、及び２個の同一の製品トレイ。
【０１３７】
個別包装は、湿気への暴露から製品を保護するように設計される。図示の個別包装は、オプションとして、製品トレイと筐体カバーの間に形成されたシールを有することができ、また、オプションとして、押しボタンと筐体カバーの間に形成されたシールを有することができる。個別包装は、（トレイが開けられ、また開かれた後）その使用期間に亘りそれらのシールを回復させる。再封止可能なシールは、トレイ当り最大５０回の開閉サイクルのために設計される。ある実施形態によれば、２２℃／８０％ＲＨ（相対湿度）の条件下において、シールが一日当り２、０００マイクログラム未満、好適には一日当り１、５００マイクログラム未満の湿気浸入速度を有し、次の試験方法により決定される：（ａ）およそ１グラムのモレキュラーシーヴを収容器内に配置して重量を記録（測定）する；（ｂ）再シール機構を閉じる；（ｃ）８０％相対湿度及び摂氏２２度の条件の環境チャンバー内に封止された収容器を配置する；（ｃ）一日後、モレキュラーシーヴを含む収容器を計量する；（ｄ）およそ２週間後、収容器を計量する；（ｅ）得られた値から初日サンプルを減算して日数により除算し、収容器に浸入した湿気を水のマイクログラムの単位で算出する。
【０１３８】
トレイ組立品は、３つの部品から構成される（１）製品トレイ、（２）一端の弾性ガスケット材料（ボタンとしても用いられる）、（３）製品へのアクセスを部分的に制限する製品蓋。
【０１３９】
製品トレイは、積層配置の食用フィルムを保持する貯蔵庫として機能する。製品トレイは、オプションとして傾斜領域を有し、積層から一枚の食用フィルムを取ることを促進させる。傾斜領域が、積層から最上フィルムを剥がすのに寄与する。典型的には、ユーザーが、食用フィルムの積層の最上に指を配置し、傾斜領域に向けて最上の個片をスライドさせる。製品トレイは、単一の材料（すなわち、ポリプロピレン又はポリエチレン）から構成され、又は活性ポリマー（すなわち、乾燥剤プラスチック）を包含して製品内の湿気レベルを調整する。ある実施形態によれば、製品トレイが、２ショット射出成形工程で製造される：外側部分が熱可塑性材料樹脂（すなわち、ポリプロピレン又はポリエチレン）で成形され、内側部分（傾斜領域）が乾燥剤プラスチックで成形される。乾燥剤プラスチック材料は、例えば、米国特許Ｎｏ．５、９１１、９３７;６、０８０、３５０;６、１３０、２６３;６、１７４、９５２;６、２１４、２５５;６、４８６、２６１;及び７、００５、４５９に記述され、本明細書に参照により組み込まれる。
【０１４０】
弾性ガスケット材料は、製品トレイの一端に設けられる。ガスケット材料の反対側に設けられた２つの突出部がある。図２４を参照すると、短い突出部が、オプションとして突出部の中間にスロットを有することができる。長い突出部が、オプションとして、突出部の一側面に沿って銛状の特徴を有することができる。短い突出部が、ラッチ機構と連動する。長い突出部が対向するトレイ内に延在し、同時に両方のトレイが開けられることを阻止する。
【０１４１】
製品トレイは、オプションとして部分的にトレイの上部上を延在する蓋を有することができる。蓋は、別部材として製造され、若しくは製品トレイに一体に製造され得る。一体部品としては、蓋が製品トレイにヒンジ付けされ得る。ある実施形態によれば、製品トレイ及び蓋が単一の射出成形工程において成形される。製品の充填前、蓋がトレイの上部上に組み付けられない。蓋は、「開」位置においてヒンジ付けされ得る。製品がトレイ内に充填された後、蓋が枢動されて閉じ、ある位置にロックされる。一度閉じられると、蓋が除去されない。
【０１４２】
ガスケットが２つの機能を果たす：（１）筐体カバーと製品トレイの間に封止を提供し、（２）ユーザーが製品トレイを内側へ押す時にバネ復帰力を提供する。包装動作の過程において、ユーザーがガスケット部材上のトレイに内側力を付与する。
【０１４３】
ガスケットは、別々の部材である若しくは製品トレイに一体的態様で製造され得る。ある実施形態によれば、ガスケットは、製品トレイに対して２ショット射出成形工程で成形される。ガスケットは、熱可塑性エラストマー（ＴＰＥ）から成る。適当なＴＰＥは、良好な湿気蒸気輸送速度を有する材料や製品トレイに用いられた熱可塑性樹脂に難なく結合する（適合する）材料である。
【０１４４】
押しボタンラッチや製品トレイが筐体カバー内に組み込まれる。各押しボタンラッチは、それらの遠位端においてフック特徴を有する。押しボタンが筐体カバー内に組み込まれるとき、フックが一緒に噛合い、押しボタンラッチが包装から外れることを阻止する。押しボタンは、包装の子供耐性機構の主要部分である。閉じた位置において、押しボタンが押されていない時、ラッチにより製品トレイが開けられることが阻止される。製品トレイの短いスロット付けされたタブが、オプションとして遠位端に沿う突起を有し、ラッチ上に設けられることができる。突起とラッチの干渉により製品トレイが開かれることが阻止される。
【０１４５】
筐体カバーは、一つの材料から構成可能である。好適な実施形態においては、筐体カバーが射出成形工程を用いて一部品に製造され得る。筐体カバーに用いられる材料がオプションとして湿気及びＵＶ光に対して良好なバリアを提供し、包装内の製品を保護することができる。材料は、オプションとして寸法安定でもあることができ、なぜなら個別包装の他の観点に相互作用して包装の動作を補助する筐体カバーの特徴があるためである。適当な材料が、ポリプロピレン（ＰＰ）、高密度ポリエチレン（ＨＤＰＥ）、環式オレフィン共重合体（ＣＯＣ）等を含む。
【０１４６】
筐体カバーの内部の底面は、オプションとして表面から突出する２個のチャンネルを有することができる。これらのチャンネルが製品トレイの短いスロット付けされたタブを捕捉するために用いられる。
【０１４７】
製品トレイのスロット付けされたタブは、オプションとしてその上面の中途にクリート（滑止め突起）のセットを有することができる。押しボタンラッチが内側に押される時、クリートがラッチに沿って進む。同時に製品トレイの一方が内側に押される。ラッチ底面がオプションとして対応のクリートを有することができ、スロット付けされたタブがおよそ約２〜３ｍｍ下方へ反らされる。押しボタンタブが完全に押し込まれると、スロット付けされたタブが下方に反らされ、タブが筐体カバーのチャンネルの一つに整合される。製品トレイが開放されると、製品トレイが包装から外側へスライドする；この外側への動きの過程において、スロット付けされたタブが筐体カバーの一方のチャンネルにより捕捉される。
【０１４８】
次に、製品トレイは、製品トレイの長いタブが移動の終端に到達するまで、包装から引き出されることができる。移動の終端は、製品トレイの銛特徴が対向の製品トレイの銛特徴に接触するときに生じる。製品トレイが開けられる最大の距離は銛の位置により規定される。
【０１４９】
押しボタンラッチが２つの部材から構成可能である：（１）筐体カバーと封止を形成する押しボタン及び（２）製品トレイを開放するために用いられる移動可能ラッチ。押しボタンラッチは、２つの部材から成って組み立てられ得る。好適な実施形態においては、押しボタンラッチが２ショット射出成形工程で製造される。押しボタンは、製品トレイのガスケットと同様の材料基準の熱可塑性エラストマーから成る。
【０１５０】
押しボタンラッチが一緒に内側へ押される。本実施形態においては、ラッチがおよそ４ｍｍ内側へ移動する。ラッチの底面のクリートのセットが、製品トレイのスロット付けされたタブの対応のクリートのセットに係合し、スロット付けされたタブを下方へ反らせる。これによりスロット付けされたタブが筐体カバーのチャンネル内に適合し、製品トレイの一方が外側へ開けられることが可能になる。
【０１５１】
図３２〜３５を参照すると、開位置にある包装４２０が、第１シェル部４２２、第２シェル部４２４、ヒンジ４２６、及び少なくとも一つのラッチ４２８を有するように図示される。第１シェル部４２２は、ベース周縁４３０、ベース側壁４３２、及び内側領域４３４を含む。第２シェル部４２４は、蓋周縁４３６、蓋側壁４３８、内部領域４４０、及び少なくとも一つの受け部４４２を含む。ある実施形態によれば、第１シェル部４２２、第２シェル部４２４、及びヒンジ４２６が一体的に成形され、若しくは非一体的である。ラッチ４２８が、作動部４４４、レバー４４６、及びラッチ係合部４４８を含む。ある実施形態によれば、作動部４４４がボタンである。レバー４４６が、第１レバー脚部４５０及び第２レバー脚部４５２を含む。ある実施形態によれば、第１レバー脚部４５０及び第２レバー脚部４５２がある角度で結合される。第２レバー脚部４５２が、例えば、第１シェル部４２２から延在するピンといった第１枢動点４５４に枢動可能に固定される。別の実施形態においては、第１シェル部４２２が、第１シェル部４２２に固定され又は一体的に成形されたベースプレート４５６を含み、ベースプレート４５６から延在する第１枢動点４５４を具備する。別の実施形態においては、枢動点４５４が、第１シェル部４２２に固定された上述の挿入体７８と類似の挿入体又はトレイから延在する。
【０１５２】
第１シェル部４２２の内側領域４３４は、上述のように、製品配置用の１以上の製品収容空間の少なくとも一部を提供するように構成される。上述のように、第１シェル部４２２は、図１に関して上述した挿入体４９０と同様の構成を有する挿入体を含むことができ、これは製品収容空間の少なくとも一部を提供するように構成され得る。そのような実施形態においては、挿入体４９０が第１シェル部４２２に動作可能に取り付けられ、例えば、挿入体が第１シェル部４２２にスナップ又は摩擦適合の使用を介して湿式溶接により固着され、及び／又は、例えば、中でもクリップ又はピンの機械的締結により取り付けられる。図３２〜３４の実施形態においては、挿入体４９０が、レバー４４６の下に配置され、ピンが挿入体から上方へ突出して枢動点４５４を生じさせる。別の実施形態においては、挿入体４９０がレバー４４６の上に配置されてレバー４４６を被覆する。例えば、第１シェル部４２２が、第１シェル部４２２への挿入体の取付けのため若しくはそこへの取付のための挿入体の配列のため、少なくとも挿入体から下方に延在する突起又はタブを受け入れるように構成された少なくとも一つの上方に向いた突起、リブ、又はスロットを含む。
【０１５３】
ベース側壁４３２は、ベース周縁４３０から上方に延在する、若しくは代替的にそこからオフセットされる。例えば、図３２〜３４に図示されるように、ベース側壁４３２がベース周縁４３０から内側にオフセットされる。ある実施形態によれば、ベース側壁４３２がベース周縁４３０から蓋側壁４３８の厚みにおよそ等しい距離だけオフセットされる。包装４２０が閉じられ、第１及び第２シェル部４２２、４２４が適切に整合される時、そのようなオフセットにより、蓋側壁４３８の外面の少なくとも一部が概してベース周縁４３０の隣接部分に概して整合し、他方、ベース側壁４３２の外面の少なくとも一部が、蓋側壁４３８の内面の部分に隣接し、又は接触する。以下でより詳細に説明するように、また、そのようなオフセットにより少なくとも一つのラッチ４２８が第２シェル部４２４の受け部４４２の少なくとも一つに係合することが許容され、閉位置に包装４２０をロックする。
【０１５４】
ある実施形態によれば、ベース及び蓋側壁４３２、４３８が、同一又は異なる構成又は輪郭を有する壁部分から構成される。例えば、ベース側壁４３２が、輪郭付けられた又は穴が設けられた壁部分４５８を含み、これは、包装４２０が閉位置にある時、ユーザーが概して第２シェル部４２４の底面の部分を上方に押圧してラッチ４２８がロック解除位置にある時に包装４２０を閉位置から開位置へ動かすことを許容する空間を提供する。
【０１５５】
例えば、図３６及び３７（ヒンジ４２６がダブルヒンジ４７６として図示される）を参照して更に図示されるように、ベース側壁４３２、蓋側壁４３８、及び／又は周縁４３０、４３６の壁部分は、内側にヒンジ４２６の少なくとも一部の配置用の空間を提供するように輪郭付けられ、若しくは、包装４２０が閉位置にある時に第１及び第２シェル部４２２、４２４の周縁４３０、４３６に整合される。加えて、ベース側壁４３２は、ラッチ係合部４４８の配置のために構成された第１アパーチャ４６０を有する少なくとも一つの壁部分を含む。更に、ベース側壁４３２が、ラッチ４２８の作動部４４４の少なくとも一部のスライド配置のための第１開口４６２を提供するように構成される。ある実施形態によれば、ベース周縁４３０が、作動部４４４の少なくとも一部の移動可能な配置のための開口も提供する。
【０１５６】
加えて、作動部４４４と第１及び第２開口４６２、４６６が図３２〜３４で包装４２０の側面に示されるが、開口４６２、４６６、ラッチ４２８、及び受け部４４２を包装４２０の他の領域に移動可能であり、例えば、第２シェル部４２４の側面部分から延びる対応の受け部４４２を有する第１シェル部４２２のフロント部分の周囲に作動部４４４を設ける。加えて、ある実施形態によれば、ラッチ４２８が第２シェル部４２４内に設けられ、また第１シェル部４２２に取付けられ、そこから延在し、若しくはそこに設けられた受け部に係合するように構成される。
【０１５７】
ある実施形態によれば、受け部４４２が、蓋側壁４４０の一部、そこから延在し、若しくはそこに隣接する。加えて、受け部４４２は、包装４２０が閉じてラッチ４２８がロックされた又はレスト位置にある時にラッチ係合部４４８の部分に係合するように構成された受け部アパーチャ４６８を含む。
【０１５８】
包装４２０が閉じられてラッチ４２８がロック又はレスト位置にある時、ラッチ係合部４４８がベース側壁４３２の壁部分４４７の第１アパーチャ４６０を介して受け部アパーチャ４６８内に突出し、これにより、包装４２０を閉位置にロックできる。ラッチ４２８は、図３３に「Ｌ」で示す、作動部４４４の概して横方向内側の変位により、レスト又はロック位置（図３２に示す）からロック解除位置（図３３及び３４に示す）に移動される。その上、ユーザーが、ユーザーの親指又は指で作動部４４４を押圧することにより作動部４４４を内側に変位させる。
【０１５９】
図３３〜３５に示すように、第１シェル部４２２の作動ガイド４７０又はベースプレート４５６が、レバー４４６のスロット４７２に係合して作動部４４４の概して横変位の案内を補助する。
【０１６０】
図３２〜３４はただ１つのラッチ４２８を図示するが、多数のラッチ４２８が用いられ得る。例えば、説明の目的のため、図３２〜３４に図示の第１シェル部４２２が、２つのラッチ４２８を収容するように構成され、それはベースプレート４５６及び／又は第１シェル部４２２の第２枢動点４５４ｂ、第２作動ガイド４７０ｂ、第２アパーチャ４６４、及び第２開口４６６の少なくとも一部の包含から裏付けられる。しかしながら、使用に際しては、第１シェル部４２２が包装４２０により用いられているラッチ４２８の数に適合するように構成され得る。
【０１６１】
作動部４４４が横内側に変位する時、第２レバー脚部４５２が第１枢動点４５４の周りを回動する。第２レバー脚部４５２が第１枢動点４５４の周りを回動する時、ラッチ係合部４４８が回動して受け部アパーチャ４６８から離間し、また外に出て、これにより、包装４２０がロック解除される。ある実施形態によれば、ラッチ係合部４４８は、第１シェル部４４２又はベースプレート４５６の溝４７４内に適合するラッチ突起４７２も含み得る。ラッチ突起４７２及び溝４７７の係合は、レバー４４６を適切な位置に保持し、及び／又はラッチ係合部４４８と第２レバー脚部４５２が回動する距離を制限することを補助する。
【０１６２】
第１レバー脚部４５０は、ラッチ４２８をレスト又はロック位置に付勢するバネとして機能するように構成及び／又は配向される。従って、第１レバー脚部４５０は、作動部４４４から内側に向いた横の力が除かれた後にラッチ４２８がレスト位置に復帰することを少なくとも補助する。例えば、図３２に示すように、レスト又はロック位置にある時、第１レバー脚部４５０が横方向「Ｌ」から離れた角度の概して直線構成を有する。しかしながら、作動部４４４が横方向内側に変位され、第２レバー脚部４５２が枢動されるため、第１レバー脚部４５０は、図３３及び３４に示すように、反らされ、曲げられ、及び／又は変形される。加えて、ある実施形態によれば、第２レバー脚部４５２が回動される程度が、例えば、ラッチ突起４７２及び溝４７４の間の係合を介して、又は第２レバー脚部４５２又はラッチ係合部４４８の回転運動を制限するポスト又は他の障害物といったものにより制限され、作動部４４４が横変位され続ける時、第１レバー脚部４５０は、反らされ、曲げられ、及び／又は変形され続ける。しかしながら、ある実施形態によれば、第１レバー脚部４５０の構成及び第２レバー脚部４５２の第１枢動点４５４の配置により第１レバー脚部４５０が変形され、反らされ、及び／又は曲げられることになり、第２レバー脚部４５２の回転動作を制限する突起又は他の障害物を必要としない。
【０１６３】
横内側の力が作動部４４４から除かれる時、第１レバー脚部４５０が、その元のレスト又はロック形状及び／又は位置に概して復帰し始める。第１レバー脚部４５０が形状に復帰し始めるとき、ラッチ４２８が、そのレスト又はロック位置に付勢されて戻され、この過程において作動ガイド４７０とのレバー４２８のスロット４７２の係合が、作動部４４４の横外側の移動をガイドし、横内側の力の付与の前に作動部４４４が保持された大凡の位置に戻る。第１レバー脚部４５０がそのレスト形状又は位置に戻ると、第２レバー脚部４５２もラッチ係合部４４８を枢動させて第１アパーチャ４６０内に戻す。
【０１６４】
作動部４４４を内側に変位させる横の力が無くしてラッチ４２８がレスト又はロック位置にある時、状況によっては、ユーザーが、第１アパーチャ４６０を介して延在するラッチ係合部４４８で包装を閉じるように試み得る。従って、ラッチ係合部４４８が包装４２０の閉鎖を阻止する干渉を形成せず、受け部４４２は、受け部アパーチャ４６８及びラッチ係合部４４８が概して整合されるまでラッチ係合部４４８の周りに受け部４４２が変形し、又は反らされることを許容する壁厚を有し、この結果、ラッチ係合部４４８が受け部アパーチャ４６８にロック係合する。受け部４４２及び／又はラッチ係合部４４８は、また、ラッチ係合部４４８が受け部アパーチャ４６８内に入り、包装４２０が閉位置にロックするまで受け部４４２がラッチ係合部４４８上をスライドすることを補助する面取り又は他の幾何表面特徴を含む。加えて、ラッチ４２８及び／又は受け部４４２の構成のため、第１シェル部４２２に対する第２シェル部４２４の閉鎖により、包装４２０を閉位置にロックするように受け部アパーチャ４６８がラッチ係合部４４８に係合する位置にあるまでラッチ係合部４４８が変位するように強いられる。
【０１６５】
ヒンジ４２６は、第１シェル部４２２に対する未ロックの第２シェル部４２４の移動を制御することを補助する。例えば、図３３を参照すると、ヒンジ４２６は、特に第２シェル部４２４が動かされて包装４２０を開け、これにより、内側領域４３４がユーザーにアクセス可能になる及び／又は包装４２０を閉じる時、少なくとも横（「Ｌ」）方向において第１シェル部４２２に対する第２シェル部４２４の動きを制限することを補助する。ヒンジ４２６の配向のため、第２シェル部４２４が開位置に動かされる時、第２シェル部４２４が第１シェル部４２２から離れるように枢動され、第１シェル部４２２又は挿入体７８の１以上の製品収容空間へのアクセスを提供する。例えば、発明のある実施形態によれば、第１シェル部４２２に対し、第２シェル部４２４が閉位置から開位置に動かされ、ここで、第２シェル部４２４が、概して第１シェル部４２２と同一平面にある。しかしながら、ヒンジ４２６は、第２シェル部４２４が第１シェル部４２２から任意の度数だけ枢動することを許容するように構成され得る。更に、例えば、とりわけ、二重折り（double-fold）、フラットトップ(flat-top)、バタフライ(butterfly)、又はピン付されたヒンジといった一体及び非一体型ヒンジを含む多様なヒンジ４２６が用いられ得る。
【０１６６】
図３６及び３７がダブルヒンジ４７６の側面断面図を図示し、これは、本明細書に記述の包装の多数の実施形態にとって好適である。そのような実施形態によれば、ヒンジ４７６は、「Ｖ」方向（図３６に示す）における第１シェル部４２２に対する第２シェル部４２４の変位を許容するように構成される。例えば、図３２〜３４に参照のヒンジ４２６は、第１シェル部４２２とダブルヒンジ４７６を接続する第１ピボット４８２、及びヒンジ４７６及び第２シェル部４２４を結合する第２ピボット４８４を有するダブルヒンジ４７６であり得る。図３６に示すように、ダブルヒンジ４７６は、第１及び第２シェル部４２２、４２４の間のミスアライメントの程度を許容し、他方、包装４２０内における封止形成を依然として許容する。より端的には、図３６に示すように、ダブルヒンジ４７６は、ベース側壁４３２及び蓋側壁４３８が少なくとも部分的にミスアライメントされ、他方、包装４２０内の少なくとも製品収容空間の周りにシール４９６が形成することを許可する。
【０１６７】
図３２〜３５を再び参照すると、リップシール機構も設けられ、図１〜５に関して説明のように、包装４２０が閉じられる時に少なくとも包装４２０の製品収容空間が外部環境から隔離される。例えば、包装４２０は、第１シェル部４２２又は挿入体から延在する第１閉リップ及び第２シェル部４２４から延在する接合の第２閉リップを含む。第１閉リップは、製品収容空間の周りの閉じたループ囲みを画定する。第２閉リップは、第１閉リップに係合し、その内部に包囲された領域をシール外の周囲空気から封止するように配置可能である。加えて、以下でより詳細に説明のように、シール外の周囲空気から少なくとも製品収容空間を封止する１以上のシールの形成を補助するべくエラストマー又は非エラストマー材料が用いられ得る。
【０１６８】
図３８及び３９は、本明細書に記述の包装の実施形態での使用に好適であるシールを有する包装４９８の部分断面図である。図３８及び３９に図示の包装４９８は、第１シェル部５０２及び第２シェル部５０４を含む。ある実施形態によれば、第１シェル部５０２が挿入体５０６を含み、挿入体５０６が製品収容空間５５０及び第１閉リップ５０８を有し、第１閉リップ５０８が傾斜外壁５１０を含む。代替して、挿入体５０６から延在するのではなく、第１閉リップ５１０が第１シェル部５０２から延在し得る。第２シェル部５０４は、第２閉リップ５１２を有し、第２閉リップ５１２の少なくとも一部が、包装４９８が閉位置にある時に第１閉リップ５０８の傾斜外壁５１０の少なくとも一部に係合するように構成される。
【０１６９】
図３８に示すように、第２閉リップ５１２は、包装４９８が開位置にある時に概して線形構成を有し、第２閉リップ４９８が第１閉リップ５０８に接触してしない。第２閉リップ５１２は、概して薄い壁厚を有し、これは、第２閉リップ５１２が包装４９８の傾斜外壁５１０に係合する時、第２閉リップ５１２が変形され、曲げられ、又は歪まれることを許容し、これにより、第２閉リップ５１２の少なくとも一部が傾斜外壁５１０の傾斜配向に概して接合又は合致する。第２閉リップ５１２及び傾斜外壁５１０間の係合により、シール外の周囲空気からそこに包囲された領域を封止するシールが形成される。
【０１７０】
例えば、ある実施形態によれば、第２閉リップ５１２が、約０．４〜０．８ｃｍ、好適には約０．４〜０．６ｃｍ、またより好適には約０．６ｃｍの厚みを有する。加えて、第１閉リップ５０８の傾斜外壁５１０が、第２閉リップ５１２を歪ませるのに適する様々な異なる角度で角度付けられ得、第１及び第２閉リップ５０８、５１２間に封止を形成する。しかしながら、傾斜外壁５１０の角度が浅すぎると、第２閉リップ５１２が過剰に第１閉リップ５０８に接触し、これにより第１及び第２閉リップ５０８、５１２間の摩擦が増加し、従い、包装４９８の開け及び／又は閉じが困難になる。また、傾斜外壁５１０の角度が急峻すぎるならば、第２閉リップ５１２が僅かに第１閉リップ５０８に接触し、これにより不適切なアライメントに対しより影響されやすいシールになってしまう。特定の実施形態によれば、第１閉リップ５０８の傾斜外壁５１０の角度が、約３〜１０度であり、また好適には約５〜８度である。例えば、ある実施形態によれば、傾斜外壁５１０が、約６．５度の角度を有する。
【０１７１】
図４０〜５４を参照すると、少なくとも一つの補助シール５２２及び／又は少なくとも一つの第２閉リップ５２６が、包装が閉じられる時に包装５１４内に封止を形成するのに用いられる。補助シール５２２又は第２閉リップ５２６は、とりわけ、側面及び／又は対面封止を形成するために用いられ、また、例えば、エラストマー又は非エラストマー材料といった弾性材料から構成される。例えば、封止係合が第１シェル部５１６又は挿入体５２０からの第１閉リップ若しくは第２シェル部５１８を補助シール５２２内に又はこれに対して押圧することにより形成され、補助シール５２２が変形して隣接の第１閉リップ又は第２閉リップ５２６の少なくとも一部の周りに封止を形成する。同様に、とりわけ、第１閉リップといった、第１シェル部５１６又は挿入体５２０の表面との押圧係合により第２閉リップ５２６が歪まれ、曲げられ、又は変形されることによっても封止が形成される。補助シール５２２が、第１シェル部５１６、挿入体５２０、又は第２シェル部５１８に取付けられ、若しくは一体的又は非一体的に成形され得る。説明の目的のため、以下の実施形態が、封止形成との関係において第２閉リップ５２６を用いて開示される。しかしながら、特定の実施形態によれば、第１シェル部５１６又は挿入体５２０から延在する第１閉リップが、第２閉リップ５２６に関する以下の説明と同様の態様で封止形成するためにも用いられる。
【０１７２】
「第２」シール５２２として言及されるものの、特定の実施形態によれば、補助シール５２２が、閉じた包装５１４内に主にしておそらく唯一の封止を形成するために用いられ、若しくはとりわけ図１〜５に関して説明したリップシールを含む他のシールと組み合わされる。補助シール５２２を示す封止配置の例示構成及び第２閉リップ５２６の使用が図４０〜５４に断面にて図示され、以下に説明する。
【０１７３】
図４０は、第１シェル部５１６、第２シェル部５１８、挿入体５２０、及び補助シール５２２を有する包装５１４を図示する。図４０の補助シール５２２は、対面封止（フェイスシール）を形成するために用いられ、とりわけ、熱可塑性エラストマー材料を含む様々な材料から構成される。ある実施形態によれば、補助シール５２２が挿入体５２０の内側領域５２４に取付又は成形される。挿入体５２０は、第１シェル部５１６、又は代替してその一部に取付けられる。第２シェル部５１８は、包装５１４が閉位置にある時に補助シール５２２に当接して第２閉リップ５２６と補助シール５２２の間に封止を形成する第２閉リップ５２６を含む。それに加えて、第２閉リップ５２６は、第２閉リップ５２６に補助シール５２２の当接弾性面を押させて封止を形成させるある長さを有する。別の実施形態によれば、補助シール５２２が第２シェル部５１８に取付又は成形され、第１シェル部５１６が、包装５１４が閉位置にある時に補助シール５２２に係合して押圧する第１閉リップを含む。
【０１７４】
別の実施形態によれば、図４０に示した補助シール５２２が、第２閉リップ５２６に対して取付又は成形される。そのような実施形態によれば、補助シール５２２が挿入体５２０又は第１シェル部５１６に対して押圧されることにより包装５１４が閉じられる時に封止が形成される。
【０１７５】
図４１は、補助シール５２２が挿入体５２０の内側領域５２４の外にある対面封止を図示する。そのような実施形態によれば、補助シール５２２が、挿入体５２０又は第１シェル部５１６に取付又は成形され、とりわけ、ポリプロピレンを含む多様な異なる材料から成る。加えて、図示のように、第２シェル部５１８の第２閉リップ５２６が、「Ｖ」形状にて終端し、これは、包装５１４が閉位置にある時に補助シール５２２内に押し込まれる。ある実施形態によれば、補助シール５２２が、第２閉リップ５２６の「Ｖ」形の突起に嵌合するように構成された接合の「Ｖ」形の凹みも有し得る。加えて、図４０のように、別の実施形態によれば、補助シール５２２が、第２シェル部５１８に取付又は成形され、包装６１４が閉位置にある時に補助シール５２２内に押圧される逆「Ｖ」形の第１閉リップを有する第１シェル部５１６又は挿入体５２２が設けられる。
【０１７６】
別の実施形態によれば、図４１に図示した補助シール５２２が、第２閉リップ５２６の底部に取付又は成形される。そのような実施形態によれば、補助シール５２２が挿入体５２０又は第１シェル部５１６に対して押圧されて包装５１４が閉じられるときに封止が形成される。
【０１７７】
図４２は、側面封止（サイドシール）を形成するための補助シール５２２の使用を図示する。図示のように、包装５１４が閉位置にある時、補助シール５２２が、第２閉リップ５２６の内面５３２と第１閉リップといった挿入体５２０の外壁面５３４の間で押圧される。ある実施形態によれば、補助シール５２２が第２閉リップ５２６又は挿入体５２０の一方に取付又は成形され、とりわけ熱可塑性エラストマー材料を含む多様な異なる材料から成る。図示のように、そのような実施形態によれば、第２閉リップ５２２が、挿入体又は第１シェル部５１６に必ずしも接触しない。しかしながら、別の実施形態によれば、対面封止が、例えば、図４２に示す補助シール５２２の延在、少なくとも一つの他方の補助シール５２２の包含、又は第２閉リップ５２６の下部と挿入体５２０及び／又は第１シェル部５１６の間の相互作用といったものにより第２閉リップ５２６の下部にも形成され得る。別の実施形態によれば、補助シール５２２が、第１閉リップ（不図示）といった第１シェル部５１６の壁と、第２シェル部５１８の第２閉リップ５２６の間に在り得る。
【０１７８】
図４３は、第２シェル部５１８に取付又は成形され、側面封止を形成する補助シール５２２を図示する。図４３に図示の補助シールは、とりわけ、熱可塑性エラストマー材料を含む多様な異なる材料から成り得る。より端的には、包装５１４が閉位置にある時に示されるように、補助シール５２２が、第１閉リップといった挿入体５２０の内壁面５３０により押圧されて封止を形成する。別の実施形態によれば、第１シェル部５１６が、第１閉リップ（不図示）といった壁を含み、第２シェル部５１８に取付又は成形された補助シール５２２に干渉（相互作用）して対面封止を形成する。代替的に、図４３の補助シール５２２が、挿入体５２０の上面又は第１シェル部５１６の壁に干渉するように延在又は配置され、その対面封止に加えて又は代わりに対面封止を形成する。
【０１７９】
別の実施形態によれば、図４３に図示の補助シール５２２が、挿入体５２０又は第１シェル部５１６に取付又は成形される。そのような実施形態によれば、補助シール５２２が挿入体５２０又は第１シェル部５１６に対して押圧されることにより包装が閉じる時に封止が形成される。そのような実施形態によれば、包装が閉じられる時、補助シール５２２が、第１シェル部５１８に係合して包装内に対面封止を形成する。
【０１８０】
第２シェル部５１８内に成形された第２閉リップ５２６により補助シール５２２が置換されることを除き、図４４は、図４３と同様である。そのような実施形態によれば、少なくとも第２シェル部５１８が、第２閉リップ５２６の変形を許容するポリプロピレンから成形される。更には、図３８及び３９の第２閉リップ５１２と同様、図４４の第２閉リップ５２６が相対的に薄く、第２閉リップ５２６が、挿入体５２０の内壁面５３０又は第１閉リップといった第１シェル部５１６との係合により、反らされ、曲げられ、又は変形されて封止を形成する。図４４に図示の本実施形態においては、包装５１４が閉位置にある時、第２閉リップ５２６が、内側に変形され、曲げられ、又は歪まされる。他の実施形態によれば、挿入体５２０及び／又は第１シェル部５１６が、第１シェル部５１６の第１閉リップといった壁を含み、第２シェル部５１８との係合により反らされ、曲げられ、又は変形されて封止を形成する。
【０１８１】
図４５は、側面封止を形成するために用いられる補助シール５２２を有する包装５１４を図示する。そのような実施形態によれば、補助シール５２２が第２シェル部５１８に取付又は成形され、挿入体５２０の外壁面５３４又は第１閉リップといった第１シェル部５１６の一部に係合する。そのような係合により補助シール５２２が外側に押圧され、これにより、補助シール５２２に変形、歪み、又は曲げが強いられ、外壁面５３４の押圧に順応し、結果として封止を形成する。そのような実施形態によれば、補助シール５２２が、第２シェル部５１８に取付又は成形され、とりわけ熱可塑性エラストマーを含む様々な材料から成り得る。
【０１８２】
しかしながら、別の実施形態によれば、図４５に図示の補助シール５２２が、例えば、上述した第１閉リップ（不図示）の外面に沿って、挿入体５２０又は第１シェル部５１６の外壁面５３４に取付又は成形される。そのような実施形態によれば、包装５１４が閉じられる時、補助シール５２２が、第２シェル部５１８に係合して対面封止を形成する。
【０１８３】
図４６は、第２シェル部５１８に成形された第２閉リップ５２６により補助シール５２２が置換された点を除き図４５と同様である。そのような実施形態によれば、少なくとも第２シェル部５１８が第２閉リップ５２６の変形を許容するポリプロピレンといった材料から成形される。更には、図３８及び３９の第２閉リップ５１２と同様、図４４の第２リップ５２６が、相対的に薄く、挿入体５２０の外壁面５３４又は第１閉リップといった第１シェル部５１６との係合により第２閉リップ５２６が反らされ、曲げられ、若しくは変形されて封止を形成する。この実施形態においては、図４６に図示のように、包装５１４が閉位置にある時、第２閉リップ５２６が外側に変形され、曲げられ、若しくは歪まされる。他の実施形態によれば、挿入体５２０及び／又は第１シェル部５１６が、第１シェル部５１６の第１閉リップといった壁を含み、第２シェル部５１８との係合により反らされ、曲げられ、又は変形されて封止を形成する。
【０１８４】
図４７は、補助シール５２２が第２シェル部５１８に取付又は成形されるならば補助シール５２２が側面封止を形成し、或いは補助シール５２２が挿入体５２０又は第１シェル部５１６に取付又は成形されるならば対面封止を形成することを図示する。図４７に開示の補助シール５２２は、図４７の補助シール５２２が挿入体５２０内に更に延在する長いシールであることを除き図４３に開示のものと同様である。図４７に開示の補助シール５２２は、とりわけ、熱可塑性エラストマーを含む様々な異なる材料から成り得る。
【０１８５】
図４８は、包装５１４内の補助シール５２２が第２シェル部５１８内に成形された第２閉リップ５２６により置換されたことを除いて図４７と同様である。そのような実施形態によれば、少なくとも第２シェル部５１８が、他の材料のうちポリプロピレンから成形され得る。図３８及び３９の第１閉リップ５１２と同様、図４４の第２閉リップ５２６が相対的に薄く、挿入体５２０の内壁面５３０又は第１閉リップといった第１シェル部５１６との係合により第２閉リップ５２６が反らされ、曲げられ、又は変形されて封止を形成する。図４８に図示の実施形態においては、包装５１４が閉位置にある時、第２閉リップ５２６が内側に変形され、曲げられ、又は歪まされる。他の実施形態によれば、挿入体５２０及び／又は第１シェル部５１６が、第１シェル部５１６の第１閉リップといった壁を含み、第２シェル部５１８との係合により反らされ、曲げられ、又は変形されて封止を形成する。
【０１８６】
図４９は、包装５１４を図示し、ここで、第２閉リップ５２６の内面５３２が挿入体５２０の外壁面５３４又は第１閉リップといった第１シェル部に係合して側面封止を形成する。そのような実施形態によれば、第２閉リップ５２６が、挿入体５２０の外壁面５３４に係合する時、曲げられ、変形され、又は歪まされて封止を形成する。ある実施形態によれば、少なくとも第２閉リップ５２６が、他の材料のうち、ポリプロピレンから成形される。
【０１８７】
図５０は、第２シェル部５１８に取付又は成形される補助シール５２２を図示する。補助シール５２２は、包装５１４が閉位置にある時に対面封止を提供することを補助するように構成及び配置される。更には、包装５１４が閉位置にある時、補助シール５２２は、挿入体５２０又は第１シェル部５１６の上面５２８に係合する。補助シール５２２と上面５２８の間の係合が対面封止を形成する。そのような実施形態によれば、補助シール５２２が、とりわけ熱可塑性エラストマーを含む様々な材料から成り得る。
【０１８８】
図５１は、補助シール５２２が、第２シェル部５１８ではなく挿入体５２０の上面５２８に成形又は取付られることを除いて図５０と同様である。従って、包装５１４が閉じられるとき、第２シェル部５１８の一部が図５１の補助シール５２２に係合して対面封止を形成し、補助シール５２２の外側の周囲空気からそこに包囲された領域を封止する。
【０１８９】
図５２は、対面封止に加え、同一又は追加の補助シール５２２を用いて包装５１４内に側面封止を提供することを除いて図５０と同様である。ある実施形態によれば、補助シール５２２の少なくとも一部が、第２シェル部５１８の一部に沿って取付又は成形される。包装５１４が閉位置にある時、挿入体５２０の上面５２８が補助シール５２２に係合し、これにより、補助シール５２２が変形、曲げ、又は歪んで上面５２８の少なくとも一部に接合し、これにより、シールの形成を補助する。加えて、同一又は追加の補助シール５２２が下方に延在し、包装５１４が閉位置にある時、側面封止が、第１閉リップといった、挿入体５２０又は第１シェル部５１６の外壁面５３４に沿って形成される。
【０１９０】
図５３は、第２シェル部５１８に取付又は成形され、蓋ガイド５３６の間に配置された補助シール５２２を図示する。そのような実施形態によれば補助シール５２２と第１閉リップといった挿入体５２０の上面５２８との係合により対面封止が形成され、シール外側の周囲空気からそこに包囲された領域が封止される。
【０１９１】
図５４は、図３８及び３９に関して上述したものと同様のシールを図示し、ここで、概して直線の第２閉リップ５１２、５２６が、挿入体５０６、５２０又は第１シェル部の傾斜外壁５１０、５３８に係合する時に曲げられ、変形され、又は歪まされる。しかしながら、図５４に図示の実施形態は、また、図４１に関して上述したものと同様の補助シール５２２を包含する。図４１に関する説明と同様、図５４に図示の補助シール５２２は、第２閉リップ５２６、挿入体５２０、又は第１シェル部５１６の一方に取付又は成形され、包装５１４が閉じられる時に対面封止を形成するために用いられる。
【０１９２】
補助シール５２２に用いられる非エラストマー材料の例は、限定するわけではないが、とりわけ、ポリプロピレン（ＰＰ）、ポリエチレン（ＰＥ）（高又は低密度）、ポリ塩化ビニル（ＰＶＣ）、環状オレフィン共重合体（ＣｏＣ）、ポリエチレンビニルアセテート（ＥＶＡ）、ポリスチレン（ＰＳ）、ポリカーボネート（ＰＣ）、ポリテレフタル酸エステル（ＰＥＴ）、ポリアミド（ナイロン）、アセタール共重合体或いはホモポリマー樹脂、及び液晶ポリマーを含む。補助シール５２２に使用されるエラストマー材料の例は、限定するわけではないが、とりわけ、Ｓａｎｔｏｐｒｅｎｅ（登録商標）熱可塑性加硫物（ＴＰＶ）、ポリオキシメチレン共重合体（ＰＯＭ）、エチレンプロピレンジエンモノマー（ＥＰＤＭ）、シリコーン（ＣＧ、ＰＧ、ＴＲ、ＦＤＡ）、スチレンブタジエンゴム（ＳＢＲ）、ポリクロロプレン（ＣＲ）、ニトリルゴム（ＮＢＲ）、及びＮｅｏｐｒｅｎｅ（登録商標）を含む。
【０１９３】
図５５〜６０を参照すると、包装５１４が開位置に図示され、第１シェル部５４２、第２シェル部５４４、挿入体５４６、ヒンジ５４８、及び少なくとも一つのラッチ５６６を含む。第１シェル部５４４は、ベース５５０、ベース側壁５５２、及び内側領域５５４を含む。ベース側壁５５２は、ベース５５０から上方へ概して延在して内側領域５５４を概して画定する。第２シェル部５４４は、蓋側壁５５６、上部５５８、内側領域５６０、及び少なくとも一つの受け部５６２を含む。蓋側壁５５６は、上部５５８から概して延在して内部領域５６０を概して画定する。
【０１９４】
ある実施形態によれば、ベース側壁５５２と蓋側壁５５６が、包装５４０が閉位置にある時に少なくとも一つの面に沿ってお互いに接合するように構成される。加えて、図５５〜６０に図示の包装５４０は、限定するわけではないが、図１〜５及び図３２〜５４に関して説明した封止構成を含む上述の封止構成を含み得る。
【０１９５】
更に、上述のように、包装５４０には様々なヒンジ５４８を用いることができ、とりわけ、例えば、図３６〜３７に関して上述のダブルヒンジ４７６、二重折りヒンジ、フラットトップヒンジ、バタフライヒンジ、又はピン付ヒンジといった一体又は非一体型ヒンジを含む。
【０１９６】
受け部５６２ａ、５６２ｂは、蓋側壁５５６の一部、そこから延在し、又はそこに隣接する。例えば、図５６に図示のように、包装５４０が、第２シェル部５４４から下方に延在して蓋側壁５５６の内面に隣接する第１及び第２受け部５６２ａ、５６２ｂを含む。加えて、第１及び第２受け部５６２ａ、５６２ｂは、以下で説明のように、包装５４０が閉位置にあり、ラッチ５６６がロック又はレスト位置にある時、以下で説明のように、ラッチ係合部５８２の一部に係合するように構成された受け部アパーチャ５６４を含む。
【０１９７】
挿入体５４６は、図３２〜３５に図示の少なくとも包装に関して上述したように、第１シェル部５４２の内側領域５５４に配置及び／又は固定されるように構成される。例えば、挿入体５４６は、第１シェル部５４２のピン又はポスト４９４上に配置されるスロット又はオリフィスを含み、挿入体５４６を第１シェル部５４２に固定するのを補助する。加えて、また上述したように、挿入体５４６は、包装５４０が開位置にある時にユーザーが少なくとも部分的にアクセス可能である製品収容空間５６８を含む。挿入体５４６の製品収容空間５６８の少なくとも一部は、カバー５７０により被覆される。カバー５７０は、製品収容空間５６８内に収容された製品の排出のために構成された少なくとも一つの分配開口５７２を含む。分配開口５７２の形状及びサイズは、分配開口５７２から取り出されるべき製品のサイズ及び形状に基づいて設定される。例えば、分配開口５７２の少なくとも一部は、相対的な長く細い棒状製品、円形製品、又は同類の製品の積層からの薄いシート製品の排出のために設定される。更に、分配開口５７２は、ユーザーが指又は親指を置いて分配開口５７２からの製品の排出を補助するアクセス開口５７４も含む。そのようなカバー５７０は、本明細書に開示の包装の実施形態の各々にとって挿入体と共に使用可能である。
【０１９８】
挿入体５４６は、少なくとも一つのラッチ５６６を含む。例えば、ある実施形態によれば、包装５４０は、挿入体５４６に対して一体的に成形された第１ラッチ５６６ａ及び第２ラッチ５６６ｂを有する。各ラッチ５６６ａ、５６６ｂは、ラッチ脚部５７６、作動部５７８、ラッチ開口５８０、及びラッチ係合部５８２を含む。ある実施形態によれば、ラッチ脚部５７６が、挿入体５４６の側面に沿って延在し、空間４８０により挿入体５４６の本体４７８から離間される。空間４８０は、作動部５７８及び／又はラッチ脚部５７６の曲げ、変形、歪み又は枢動可能動作の変位のための空間を提供するように構成される。加えて、ラッチ脚部５７６は、第１端部４８６及び第２端部４８８を有し、第１端部４８６が作動部５７８を含む、若しくはそこに取付けられ、また第２端部４８８が挿入体５４６の本体４７８に取付けられる。
【０１９９】
ラッチ開口５８０は、包装５４０が閉位置にある時に対応の受け部５６２の少なくとも一部を受容するように構成される。加えて、ラッチ係合部５８２は、包装５４０を閉じたままにロックするべく包装５４０が閉位置にある時にラッチ係合部５８２の少なくとも一部が受け部アパーチャ５６４内に延在するように構成される。図５５〜６０は、包装５４０の両側の第１及び第２受け部５６２ａ、５６２ｂ及び第１及び第２ラッチ５６６ａ、５６６ｂを図示するが、他の実施形態によれば、ラッチ５６６ａ、５６６ｂ及び受け部５６２ａ、５６２ｂが、他の箇所のうち、包装５４０のフロントを包含する様々な箇所に設けられ得る。
【０２００】
図示のように、作動部５７８ａ、５７８ｂは、各々、ベース側壁５５２の第１及び第２開口５８４、５８６を介して延在し、作動部５７８ａ、５７８ｂがユーザーにアクセス可能である。加えて、ベース側壁５５２が、第１及び第２アパーチャ５８８、５９０を含み、第１及び第２受け部５６２ａ、５６２ｂにラッチ開口５８０及びラッチ係合部５８２へのアクセスを個別に提供する。
【０２０１】
閉じた状態にロックされた包装５４０を開けるため、ユーザーは、ラッチ５６６の作動部５７８ａ、５７８ｂを押し、作動部５７８ａ、５７９ｂが（図５５において「Ｌ」により示唆されるように）概して横方向内側に変位される。作動部５７８ａ、５７８ｂの内側変位により、関連のラッチ脚部５７６ａ、５７６ｂが曲げ、反り、及び／又は変形される。作動部５７８ａ、５７８ｂのそのような内側変位により、各作動部５７６ａ、５７６ｂに対応のラッチ係合部５８２の内側変位が生じ、ラッチ係合部５８２が対応の受け部アパーチャ５６４から除去される。受け部５６２ａ、５６２ｂは、次に、各々、ラッチ開口５８０ａ、５８０ｂ及び第１及び第２アパーチャ５８８ａ、５８８ｂから除去可能となり、第２シェル部５４４が少なくとも部分的に第１シェル部５４２から離間され、包装５４０が閉位置から開位置に移動する。内側力が作動部（群）５７８ａ、５７８ｂから除去されると、対応のラッチ脚部５７６ａ、５７６ｂが、作動部（群）５７８ａ、５７８ｂが押圧される前にラッチ脚部５７６ａ、５７６ｂがとった元の形状、配向、又は位置に概して復帰し、作動部（群）５７８ａ、５７８ｂがそのレスト又はロック位置に概して復帰する。
【０２０２】
図３２〜３５に示した包装４２０に関して上述の受け部４４２に関しては、図５５及び５６に図示の受け部５６２が、包装５４０が閉じられる時に曲げ、反り、又は変形するように構成され、ラッチ係合部５８２がラッチ５６６の作動無くして受け部５６２にロック係合する。加えて、ラッチ５６６及び／又は受け部５６２の構成によって、第１シェル部５４２に対する第２シェル部５４４の閉鎖により受け部アパーチャ５６４がラッチ係合部５８２にロック係合する位置までラッチ係合部５８２が変位されて包装５４０が閉位置にロックされる。
【０２０３】
図６１〜６６を参照すると、包装６００が開位置にて図示され、包装６００が、第１シェル部６０２、第２シェル部６０４、ヒンジ６０６、及び少なくとも一つのラッチ６０８を有する。第１シェル部６０２は、ベース側壁６１０、内側領域６１２、及び少なくとも一つの突起６１４を含む。第２シェル部６０４は、蓋側壁６１６、内部領域６１８、及びフック６２０を含む。ある実施形態によれば、第１シェル部６０２、第２シェル部６０４、及びヒンジ６０６は、一体的に成形される。上述したように、挿入体６２２が第１シェル部６０２に動作可能に取り付けられ、また製品収容空間５６８を含む。加えて、図５５に関連して説明したように、カバー５７０が挿入体６２２に取付けられる。
【０２０４】
ある実施形態によれば、ベース側壁６１０及び蓋側壁６１６は、包装６００が閉位置にある時に少なくとも一つの面に沿ってお互いに接合するように構成され、包装６００内に封止を形成し得る。ある実施形態によれば、包装６００が、限定するわけではないが、図１〜５及び図３２〜５４に関して説明した封止構成を含む上述の封止構成を含み得る。
【０２０５】
更に、上述のように、包装６００には様々なヒンジを用いることができ、とりわけ、例えば、図３６〜３７に関して上述のダブルヒンジ４７６、二重折りヒンジ、フラットトップヒンジ、バタフライヒンジ、又はピン付ヒンジといった一体又は非一体型ヒンジを含む。
【０２０６】
図６１〜６４に図示のラッチ６０８は、相対的に柔軟であり、概して「Ｌ」形状の構成を有する。ラッチ６０８は、作動部６２４、第１脚部６２６、第２脚部６２８、スロット６３０、バネ６３２、及びラッチ係合部６３４を含む。ある実施形態によれば、スロット６３０及びバネ６３２が第２脚部６２８に配置される。図６１〜６４に図示のバネ６３２がラッチ６０８に一体的に成形されるが、他の実施形態によれば、バネ６３２が、ラッチ６０８に対して付勢される別の構成要素であり得る。例えば、ある実施形態によれば、別の螺旋圧縮バネがラッチをロック又はレスト位置に付勢するために用いられ得る。加えて、ある実施形態によれば、バネ６３２の少なくとも一部がスロット６３０内に配置され得る。更に、作動部６２４の少なくとも一部が、ラッチ６０８の第１端部６３６に近接配置され、他方、ラッチ係合部６３４がラッチ６０８の第２端部６３８に近接配置され得る。ラッチ係合部６３４は、包装６００が閉じられる時にフック６２０の少なくとも一部に係合するように構成され、包装６００がロックされて閉じられる。更には、フック６２０は、フック６２０から延在すると共に、包装６００が閉位置にロックされる時にラッチ係合部６３４の少なくとも一部の下に配置される少なくとも一つのプロング６４０を含む。更に、図６６に図示のように、挿入体６２２は、第１シェル部６０２内に挿入される時にラッチ６０８を被覆し、また挿入体アパーチャ６４２を含み、これを介してフック６２０が延在して包装６００が閉じられる時にラッチ係合部６３４に係合する。
【０２０７】
図６５は、包装６００の実施形態の第１シェル部６０２の斜視図を図示する。ベース側壁６１０は、以下に説明のように、突起及び作動部６２４のスライド移動を許容するように構成された開口６４４を含む。加えて、第１シェル部６０２は、ラッチ６０８が作動されるに応じて第１及び／又は第２脚部６２６、６２８の移動を案内する少なくとも一つのガイド６４６、６４８、６５０を含む。より詳細には、第１シェル部６０２は、（図６１に示唆のように）概して「Ｖ」方向に第１脚部６２６の少なくとも一部の動きを案内するのを補助する第１ガイド６４６、（図６１で「Ｌ」により示唆された）概して横方向における少なくとも第２脚部６２８の動きを案内するのを補助する第２ガイド６４８、及び／又はラッチ６０８の一部を案内するのを補助するコーナーガイド６５０を含み、ここで、第１及び第２脚部６２６、６２８が第１シェル部６０２のコーナー６５２で結合する。第１シェル部６０２は、また、ラッチ６００のスロット６３０に嵌合する突起６１４を含み、ラッチ６０８を閉位置に付勢するのと関係してバネ６３２の一部が係合する少なくとも一つの相対的に固定の面を提供する。
【０２０８】
包装６００が閉じた状態にロックされる時に図６１〜６６に図示の包装６００を開けるため、ユーザーは、作動部６２４をベース側壁６１０の側壁に沿って第１シェル部６０２の後端部６５４に向ってスライド変位させる。ある実施形態によれば、ベース側壁６１０は、ラッチがロック又はレスト位置から開位置、逆も然りに変位されるに応じて作動部が「Ｖ」方向に沿ってスライドされることを許容するように構成された開口６４４を有する。
【０２０９】
作動部６２４のスライド変位によって隣接する第１脚部６２６の少なくとも一部が概して「Ｖ」方向に動き、第２脚部６２８の少なくとも一部が「Ｌ」方向に動き、そして第１及び第２脚部６２６、６２８が結合するラッチの少なくとも一部が第１シェル部６０２のコーナー６５２の周囲を動く。ラッチ６０８の動きに応じて、ラッチ６０８のスロット６３０も第１シェル部６０２の突起６１４に沿って動き、内側に付勢されたバネ６３２を突起６１４に向う外側方向に引く。第２脚部６２８のこの動きによりラッチ係合部６３４が横方向外側に動くことにもなる。ある実施形態によれば、作動部６２４が第１脚部６２６の一部として形成される。
【０２１０】
図６１及び６３に示すように、包装６００が２個のラッチ６０８を有する、ある実施形態によれば、両方のラッチ６０８のラッチ係合部６３４が、ラッチ６０８がロック又はレスト位置にある時に第１シェル部６５８の中央横箇所の周囲にて各々に相対的に近接する。そのようなラッチ係合部６０８の相対的な近接によりフック６２０とラッチ係合部６３４間のロック係合の維持が補助される。しかしながら、図６２及び６４に示すように、ユーザーが作動部６２４をスライドさせて作動部６２４を図６３に示したレスト又はロック位置から図６４に示した開位置に変位させると、２つのラッチ６０８のラッチ係合部６３４が反対方向に外側に動き、これにより、ラッチ係合部６３４間の距離が増加し、フック６２０から非係合になり、そして包装６００がロック解除される。次に先ほどまでロックされていた包装６００が開けられる。ユーザーが作動部６２４のスライドに用いられた力を取り除くと、付勢されたバネ６３２によりラッチ６０８がこれらのレスト又はロック位置に復帰し、従って、図６１及び６３に示すように、ラッチ６０８のラッチ係合部６３４が相対的に近接するように戻る。
【０２１１】
包装６００が閉じられると、フック６２０及びラッチ係合部６３４が、面取り又は他の改良面を有し、フック６２０がラッチ係合部６３４を横方向外側に押してフック６２０のプロング６４０がラッチ係合部６３４の下に置かれ、この箇所でバネ６３２の内側付勢力によりラッチ係合部６３４がそのレスト又はロック位置に復帰されて包装６００が閉じた状態にロックされる。
【０２１２】
図６１〜６４が２つのラッチ６０８を図示するが、包装６００は、１つのラッチ６０８との使用のためにも構成可能であり、この場合、ラッチ６０８の変位によりラッチ６０８とフック６２０間のロック係合が非係合になり、包装６００が開けられることが許容される。
【０２１３】
図６７〜７２を参照すると、包装６５６が開位置にて示され、包装６５６が、第１シェル部６５８、第２シェル部６６０、ヒンジ６６２、少なくとも一つのラッチ６６４を有する。第１シェル部６５８は、ベース側壁６６６、内側領域６６８、及び少なくとも一つの突起６７０を含む。第２シェル部６６０は、蓋側壁６７２、内部領域６７４、及びフック６７６を含む。ある実施形態によれば、フック６７６は、少なくとも一つのプロング７０４を含み、これは、フック６７６から外側に延在し、包装６５６が閉じた状態にロックされている時にラッチ係合部６８６ａ、６８６ｂにロック係合する。ある実施形態によれば、第１シェル部６５８、第２シェル部６６０、及びヒンジ６６２が一体的に成形され又は非一体である。上述したように、挿入体６７８は、第１シェル部６５８に対して動作可能に取り付けられ、また製品収容空間５６８を包含する。加えて、図５５に関して説明したように、カバー５７０が挿入体６７８に対して取り付けられる。
【０２１４】
ある実施形態によれば、ベース側壁６６６及び蓋側壁６７２が、包装６５６が閉位置にある時に少なくとも一つの面に沿ってお互いに接合するように構成され、これにより包装６５６内に封止が形成され得る。加えて、包装６５６が、限定するわけではないが、図１〜５及び図３２〜５４に関して説明した封止構成を含む上述の封止構成を含み得る。
【０２１５】
上述のように、包装６５６には様々なヒンジを用いることができ、とりわけ、例えば、図３６〜３７に関して上述のダブルヒンジ４７６、二重折りヒンジ、フラットトップヒンジ、バタフライヒンジ、又はピン付ヒンジといった一体及び非一体型ヒンジを含む。
【０２１６】
図６９〜７２は、第１ラッチ６６４ａ及び第２ラッチ６６４ｂを有する包装６５６を図示する。各ラッチ６６４ａ、６６４ｂは、作動部６８０ａ、６８０ｂ、アーム６８２ａ、６８２ｂ、バネ６８４ａ、６８４ｂ、ラッチ係合部６８６ａ、６８６ｂ、第１端部６９８ａ、６９８ｂ、及び第２端部７００ａ、７００ｂを含む。作動部６８０ａ、６８０ｂが第１端部６９８ａ、６９８ｂの周囲に配置され、他方、ラッチ係合部６８６ａ、６８６ｂが第２端部に近接して配置される。アーム６８２ａ、６８２ｂは、第１シェル部６５８内の突起６７０に嵌合するスロット６８８ａ、６８８ｂを含む。スロット６８８ａ、６８８ｂ及び突起６７０のサイズは、ラッチ６６４が（図６７において「Ｌ」にて示唆される）横方向外側又は内側の一方に変位される距離を制限する。第１シェル部６５８は、開口６９０ａ、６９０ｂも含み、これを介してユーザーが作動部６８０ａ、６８０ｂにアクセスして包装６５６をロック解除する時に作動部６８０ａ、６８０ｂを概して横方向内側に押す。
【０２１７】
バネ６８４ａ、６８４ｂは、図６９及び７１に示すように、突起６７０に係合し、ラッチ６６４ａ、６６４ｂをロック又はレスト位置に付勢するように構成される。図６９〜７２に図示されたバネ６８４ａ、６８４ｂは、ラッチ６６４ａ、６６４ｂに一体的に成形されるが、他の実施形態によれば、バネ６８４ａ、６８４ｂが、ラッチ６６４ａ、６６４ｂに対して付勢された別々の部材である。加えて、ある実施形態によれば、バネ６８４ａ、６８４ｂの少なくとも一部が、スロット６８８ａ、６８８ｂ内に設けられ得る。
【０２１８】
ある実施形態によれば、アーム６８２ａ、６８２ｂが、第１シェル部６５８の側面６９２の間をフロント部分６９４に沿って延在する。ラッチ６６４ａ、６６４ｂのラッチ係合部６８６ａ、６８６ｂがアパーチャ６９６ａ、６９６ｂを有し、これらは、第１シェル部６５８内に組み込まれる時、第１シェル部６５８の横方向「Ｌ」の概して中央箇所の周囲にて重畳構成にある。例えば、図７１及び７２に示すように、第２ラッチ６６４ｂのラッチ係合部６８６ｂの少なくとも一部が、第１ラッチ６６４ａのラッチ係合部６８６ａのアパーチャ６９６ａの少なくとも一部に重畳する。２つの重畳のアパーチャ６９６ａ、６９６ｂは、包装６５６が閉じられる時にフック６７６を受容する単一の開口を形成する。
【０２１９】
閉じた包装６５６をロック解除するため、作動部６８０ａ、６８０ｂが概して横方向内側に変位される。作動部６８０ａ、６８０ｂが内側変位されると、ラッチ６６４ａ、６６４ｂがロック又はレスト位置にある時に次に第１ラッチ６６４ａのラッチ係合部６８６ａが第２ラッチ６６４ｂの作動部６８０ｂに近接するように動かされ、他方、第２ラッチ６６４ｂのラッチ係合部６８６ｂが第１ラッチ６６４ａの作動部６８０ａに近接される。そのような変位によりラッチ係合部６８６ａ、６８６ｂがフック６７６から離れるように変位し、フック６７６及びラッチ係合部６８６ａ、６８６ｂ間のロック係合が開放され、包装６５６がロック解除される。内側に向いた力が作動部６８０ａ、６８０ｂから取り除かれると、バネ６８４ａ、６８４ｂは、作動部６８０ａ、６８０ｂをこれらのレスト又はロック位置に概して戻す。
【０２２０】
ある実施形態によれば、包装６５６が閉じらる時、フック６７６、より端的にはプロング７０４、及びラッチ係合部６８６ａ、６８６ｂが、面取り、輪郭、又は他の改良面を有してプロング７０４がラッチ係合部６８６ａ、６８６ｂを概して横方向外側に押してフック６７６のプロング７０４がラッチ係合部６８６ａ、６８６ｂの下に置かれ、この箇所でバネ６８４ａ、６８４ｂの付勢力によりラッチ係合部６８６ａ、６８６ｂがこれらのレスト又はロック位置に復帰し、包装６５６が閉じた状態にロックされる。
【０２２１】
図６７〜７２は２つのラッチ６６４ａ、６６４ｂを図示するが、包装６５６は、１つのラッチ６６４ａとの使用のためにも構成可能であり、この場合、ラッチ６６４ａの変位によりラッチ６６４ａ及びフック６７６間のロック係合が非係合になり、包装６５６を開けることが許容される。
【０２２２】
図７３〜７５を参照すると、包装７０６が開位置にて示され、包装７０６が、第１シェル部７０８、第２シェル部７１０、及び挿入体７１２を有する。第１シェル部７０８は、ベース側壁７１６、少なくとも一つの開口７１４を有するベース側壁７１６を含む。第２シェル部７１０は、内部領域７２２を概して画定する蓋側壁７２０を含む。ある実施形態によれば、第２シェル部７１０が、図１〜５に関して上述した第２シェル部４４に類似の構成を有する。少なくとも一つの蓋ラッチ接合部７１８が、第２シェル部７１０から延在する。更には、図７３ａ及び７３ｂに図示の実施形態においては、第１及び第２蓋ラッチ接合部７１８ａ、７１８ｂが、第２シェル部７１０から延在する。第１及び第２シェル部７０８、７１０は、一体的又は非一体的に成形され、また、とりわけ、例えば、図３６〜３７に関して上述のダブルヒンジ４７６、二重折りヒンジ、フラットトップヒンジ、バタフライヒンジ、又はピン付ヒンジを含む一体又は非一体型ヒンジにより結合され得る。加えて、包装７０６は、限定するわけではないが、図１〜５及び図３２〜５４に関して説明した封止構成を含む上述の封止構成を含み得る。
【０２２３】
挿入体７１２は、上面７２４及び少なくとも一つのラッチ７２６を含む。上面７２４は、少なくとも一つのアパーチャ７２８を含む。加えて、上面７２４は、上述のように、カバー５７０により被覆され得る製品収容空間７３０を提供するように構成される。図７４及び７５に図示のように、ラッチ７２６は、挿入体７１２に対して一体的に成形される。図示の実施形態は、第１ラッチ７２６ａ及び第２ラッチ７２６ｂを示す。しかしながら、他の実施形態によれば、挿入体７１２は、たった一つのラッチ７２６又は２つ以上のラッチ７２６を含む。
【０２２４】
各第１及び第２ラッチ７２６ａ、７２６ｂは、作動部７３２、第１脚部７３４、第２脚部７３６、及びベースラッチ接合部７３８を含む。ベースラッチ接合部７３８が第１脚部７３４上に設けられ、他方、第２脚部７３６が挿入体７１２の本体７４０に結合される。第１脚部７３４の少なくとも一部が、挿入体７１２の上面７２４の下に設けられる。第１シェル部７０８に組み込まれると、作動部７３２の少なくとも一部が、第１シェル部７０８の開口７１４内に進入し、包装７０６をロック解除する時にユーザーがラッチ７２６を内側に押圧して変位させる。第１及び第２ベースラッチ接合部７３８ａ、７３８ｂは、挿入体７１２において、各々、第１及び第２アパーチャ７２８ａ、７２８ｂ内に配置され、又はそこから突出するように構成される。加えて、第１及び第２ベースラッチ接合部７３８ａ、７３８ｂは、各々、第１及び第２蓋ラッチ接合部７１８ａ、７１８ｂに係合するように構成され、包装７０６を閉位置にロックする。
【０２２５】
ある実施形態によれば、第２ラッチ７２６ｂの第１脚部７３４の少なくとも一部が、第１ラッチ７２６ａの第１脚部７３４の少なくとも一部上に配置され、逆も然りである。そのような実施形態によれば、第２ラッチ７２６ｂの第１脚部７３４ｂ又はベースラッチ接合部７３８ｂの構成又は配置により、第２ラッチ７２６ｂが、第１蓋ラッチ接合部７１８ａにスライドして係合し又は非係合になる第１ラッチ７２６ａのベースラッチ接合部７３８ａの能力に干渉しない。ある実施形態によれば、図７４及び７５に示すように、第１及び第２ラッチ７２６ａ、７２６ｂの第１脚部７３４ａ、７３４ｂの少なくとも一部がお互いに隣り合って配置される。
【０２２６】
使用の場合、蓋ラッチ接合部７１８ａ、７１８ｂは、包装７０６を閉位置にロックするため図４及び５に関連して上述したものと同様の態様にてベースラッチ接合部７３８ａ、７３８ｂに係合する。包装７０６をロック解除するため、ユーザーが作動部７３２ａ、７３２ｂを内側に押し、第１及び第２ベースラッチ接合部７３８ａ、７３８ｂの離間する横変位が生じ、これらの隣接の蓋ラッチ接合部７１８ａ、７１８ｂが非係合になり、包装７０６がロック解除される。
【０２２７】
ある実施形態によれば、ラッチ７２６ａ、７２６ｂの各第２脚部７３６ａ、７３６ｂの少なくとも一部が、空間７４２により挿入体７１２の隣接の本体７４０から離間され、第２脚部７３６の一端部が本体７４０に結合される。第１及び第２作動部７３２ａ、７３２ｂがこれらのレスト又はロック位置から内側に変位される時、第２脚部７３６ａ、７３６ｂの厚みや材料の選択及び／又は挿入体７１２の本体７４０への第２脚部７３６ａ、７３６ｂの取付の態様により、第２脚部７３６が曲げられ、変形され、歪まされ、及び／又は枢動されることが許容される。作動部７３２ａ、７３２ｂを内側に変位した力が除去されると、第２脚部７３６ａ、７３６ｂがそのレスト又はロック位置、形状及び／又は配向に戻るため、図７３〜７５に示すように、第２脚部７３６ａ、７３６ｂが、ラッチ７３６ａ、７３６ｂをレスト又はロック位置に復帰させるバネとして作動する。
【０２２８】
ラッチ７２６ａ、７２６ｂの第２脚部７３６も変形され、曲げられ、又は変位され、他方、包装７０６が開位置から閉位置へ変化される。より端的には、包装７０６が閉じられ、またユーザーが作動部７３２ａ、７３２ｂを内側に変位していない時、第１及び第２ベースラッチ接合部７３８ａ、７３８ｂの下側部位が、対応の第１及び第２蓋ラッチ接合部７１８ａ、７１８ｂの上側部位に概して配列され、また接触する。第１及び第２蓋ラッチ接合部７１８ａ、７１８ｂによりベースラッチ接合部７３８ａ、７３８ｂ上に作用された力によりラッチ７２６ａ、７２６ｂの第２脚部７３６ａ、７３６ｂが変形し、曲り、歪み、及び／又は枢動し、第１及び第２ベースラッチ接合部７３８ａ、７３８ｂが概して外側方向に変位され、ベース及び蓋ラッチ接合部７１８ａ、７１８ｂ、７３８ａ、７３８ｂが包装７０６をロックするために適切に配列される。ひとたびベース及び蓋ラッチ接合部７１８ａ、７１８ｂ、７３８ａ、７３８ｂが適切に配列されると、第２脚部７３６ａ、７３６ｂがそのレスト又はロック位置又は配向に復帰し、これにより第１及び第２ベースラッチ接合部７３８ａ、７３８ｂが概して内側方向に移動され、ラッチ７２６ａ、７２６ｂがこれらのレスト又はロック位置になる。ある実施形態によれば、ベース及び／又は蓋ラッチ接合部７１８ａ、７１８ｂ、７３８ａ、７３８ｂの外面が面取り又は輪郭といった面特性を有し、これが、包装７０６が閉じられる時にベースラッチ接合部７３８ａ、７３８ｂを外側に動かすことを補助する。
【０２２９】
図７６は、成形後の挿入体７１２を図示する。図示のように、ある実施形態によれば、挿入体７１２の本体７４０から離間するように延在する第１脚部７３４ａ、７３４ｂを有する挿入体７１２に対してラッチ７２６ａ、７２６ｂが一体的に成形される。そのような実施形態によれば、第１シェル部７０８への組立前、第１脚部７３４ａ、７３４ｂが挿入体７１２の本体７４０の下の位置に回転される。
【０２３０】
図７７〜８０を参照すると、包装７４４が示され、第１シェル部７４６、第２シェル部７４８、挿入体７５０、ヒンジ７５２、及び少なくとも一つのラッチ７５４を有する。ある実施形態によれば、第１及び第２シェル部７４６、７４８及び挿入体７５０が、図１〜５に図示された、各々、上述の第１及び第２シェル部４２、４４及び挿入体７８と同一又は同様の構成を概して有する。また、上述のように、第１及び第２シェル部７４６、７４８は、とりわけ、例えば、図３６〜３７に関して上述のダブルヒンジ４７６、二重折りヒンジ、フラットトップヒンジ、バタフライヒンジ、又はピン付ヒンジといった様々な一体又は非一体型ヒンジにより結合され得る。加えて、図７７〜８０に図示の包装７４４は、限定するわけではないが、図１〜５及び図３２〜５４に関して説明した封止構成を含む上述の封止構成を含み得る。例えば、図７７に図示の第１及び第２シェル部は、上述のように、各々、第１及び第２閉リップ７２、７６を有するように双方とも図示される。
【０２３１】
図７７〜７９に示すように、第１シェル部７４６がベース側壁７５６及び内側領域７５８を含み、他方、第２シェル部７４８が少なくとも一つの蓋ラッチ接合部７６０を含む。挿入体７５０は、製品収容空間７６２、及び少なくとも一つのアパーチャ７６４を含む。ある実施形態によれば、挿入体７５０は、タブといった第１取付部材を含み、これは、第１シェル部７４６のリブ突起といった第２取付部材７６６に嵌合又は適合され、挿入体７５０を第１シェル部７４６に取付又は固定する。加えて、上述のように、製品収容空間７６２の一部といった挿入体７５０の少なくとも一部がカバー５７０により被覆される。
【０２３２】
既に言及したように、包装７４４は、少なくとも一つのラッチ７５４を含む。図７７〜８０に図示の実施形態によれば、包装７４４は、上部ラッチ７５４ａ及び下部ラッチ７５４ｂを有する。上部ラッチ７５４ａは、作動部７６４ａ、バネ７７０ａ、脚部７７２ａ、開口７７４、及び第１ベースラッチ接合部７７６ａを含む。下部ラッチは、作動部７６４ｂ、バネ７７０ｂ、脚部７７２ｂ、及び第２ベースラッチ接合部７７６ｂを含む。バネ７７０ａ、７７０ｂは、上部及び下部ラッチ７５４ａ、７５４ｂに対して一体的に成形され若しくは別体である。第１及び第２ベースラッチ接合部７７６ａ、７７６ｂは、包装７４４が閉位置にある時、各々、第１及び第２蓋ラッチ接合部７６０ａ、７６０ｂにロック係合するように構成される。ある実施形態によれば、ベース及び蓋ラッチ接合部７７６ａ、７７６ｂ、７６０ａ、７６０ｂは、図１〜５に関連して上述したラッチ接合部９８、６６、８６、５４と同様の構成を有する。バネ７７０ａ、７７０ｂは、第１閉リップといった第１シェル部７４６又は挿入体７５０の壁に係合するように構成され、ラッチ７５４ａ、７５４ｂをロック又はレスト位置に付勢し、ここで、作動部７６４ａ、７６４ｂがベース側壁７５６の開口から突出する。
【０２３３】
組み立てられると、上部ラッチ７５４ａの脚部７７２ａの少なくとも一部が、図８０に示すように、下部ラッチ７５４ｂの脚部７７２ｂの少なくとも一部に重畳する。加えて、上部ラッチ７５４ａの開口７７４は、第２ベースラッチ接合部７７６ｂの挿入を受容するように構成され、また第２ラッチ接合部７７６が第２蓋ラッチ接合部７６０ｂに係合及び非係合になる時に（図７７の「Ｌ」により示唆の）横方向への第２ラッチ接合部７７６ｂの変位の能力に干渉しないようにサイズされる。包装７４４が挿入体７５０に組み立てられる時、第１及び第２ベースラッチ接合部７７６ａ、７７６ｂの少なくとも一部が、挿入体７５０のアパーチャ７６４ａ、７６４ｂを介して延在し、及び／又は包装７４４が閉位置にある時に蓋ラッチ接合部７６０ａ、７６０ｂの少なくとも一部がアパーチャ７６４ａ、７６４ｂ内に延在する。
【０２３４】
作動部７６４が十分な力により内側に押されてバネ７７０ａ、７７０ｂが少なくとも部分的に変形、反り、又は曲がる時にレスト又はロック位置からロック解除位置にラッチ７５４が移動する。作動部７６４ａ、７６４ｂが内側に変位されると、ある実施形態によれば作動部７６４ａ、７６４ｂの裏側に設けられた板バネである関連のバネ７７０ａ、７７０ｂが第１閉リップといった第１シェル部７４６又は挿入体７５０の壁又は面に対して押圧される。作動部７６４ａ、７６４ｂの変位により関連の脚部７７２ａ、７７２ｂ及びベースラッチ接合部７７６ａ、７７６ｂが作動部７６４ａ、７６４ｂと略同一方向に移動する。上部及び下部作動部７６４ａ、７６４ｂの両方が内側に変位される時、上部及び下部ラッチ７５４ａ、７５４ｂの脚部７７２ａ、７７２ｂが概して反対方向にスライドし、第１及び第２ベースラッチ接合部７７６ａ、７７６ｂ間の距離が増加する。更には、ベースラッチ接合部（群）７７６ａ、７７６ｂのスライド変位により、対応の蓋ラッチ接合部７６０ａ、７６０ｂとのロック係合からベースラッチ接合部（群）７５４ａ、７５４ｂが非係合になる。
【０２３５】
ユーザーが作動部７６４ａ、７６４ｂを開放すると、関連のバネ７７０ａ、７７０ｂにより作動部７６４ａ、７６４ｂがそのロック又はレスト位置に概して復帰し、ベースラッチ接合部７７６ａ、７７６ｂがお互いに近接するように復帰する。加えて、開けられた包装７４４が閉じられる時、蓋ラッチ接合部７６０ａ、７６０ｂが対応のベースラッチ接合部７７６ａ、７７６ｂに力を作用し、これは、バネ７７０ａ、７７０ｂを少なくとも部分的に反らし、変形し、又は曲げるのに十分であり、ベース及び蓋ラッチ接合部７７６ａ、７７６ｂ、７６０ａ、７６０ｂが整合されるまでベースラッチ接合部７７６ａ、７７６ｂが外側に変位され、この後、バネ７７０ａ、７７０ｂがベースラッチ接合部７７６ａ、７７６ｂをロック又はレスト位置に復帰させ、包装７４４が閉じた状態にロックされる。
【０２３６】
加えて、上部ラッチ７５４ａの脚部７７２ａは、下部ラッチ７５４ｂの脚部７７２ｂのアパーチャに嵌合する突起を含み、逆も然りであり、これは、ラッチ７５４ａ、７５４ｂが開位置及びロック又はレスト位置の間で移動される時に脚部７７２ａ、７７２ｂのスライド移動の案内を補助する。加えて、ある実施形態によれば、挿入体７５０又は第１シェル部７４６が少なくとも一つの突起７７８を含み、これは、作動部７６４ａ、７６４ｂの変位、又は上部及び／又は下部脚部７７２ａ、７７２ｂのスライド移動の案内を補助する。
【０２３７】
図８１〜８５は、挿入体７８０の底部７６４に取り付けられた第１及び第２ラッチ７８２ａ、７８２ｂを有する挿入体７８０の実施形態を図示する。図８１〜８５は２つのラッチ７８２ａ、７８２ｂの使用を図示するが、挿入体７８０は、１又は２以上のラッチの使用のために構成され得る。加えて、図８１〜８５に図示の挿入体７８０は、上述の様々な包装や封止構成と共に使用され得る。更には、図８３の図示の挿入体７８０が上述の挿入体のような２つの製品収容空間７８６の裏側を図示するが、挿入体７８０は、１以上の製品収容空間７８６を含むように構成され得る。
【０２３８】
ある実施形態によれば、挿入体７８０が、開口７８８、タブ７９０、各ラッチ７８２ａ、７８２ｂのためのガイド７９２を含む。ラッチ７８２ａ、７８２ｂは、作動部７９６ａ、７９６ｂ、バネ７９８ａ、７９８ｂ、脚部開口８００ａ、８００ｂ、スロット８０２ａ、８０２ｂ、及びラッチ接合部７９４ａ、７９４ｂを含む。ラッチ７８２ａ、７８２ｂは、「Ｌ」形状構成を概して形成する第１脚部８０８ａ、８０８ｂ及び第２脚部８１０ａ、８１０ｂを有する。第１脚部８０８ａ、８０８ｂは、作動部７９６ａ、７９６ｂ及びバネ７９８ａ、７９８ｂを含む、若しくはそこに取り付けられる。バネ７９８ａ、７９８ｂは、ラッチ７８２ａ、７８２ｂに一体的に成形され、又は非一体である。加えて、板及びらせん圧縮バネを含む、別々又は組み合わせのいずれかにより、様々なバネが組み込まれ得る。図８１〜８５に図示の実施形態によれば、ラッチ７８２ａ、７８２ｂは、作動部７９６ａ、７９６ｂの側面から延在し、挿入体７８０の壁面に係合する一体的に成形された板バネ７９８ａ、７９８ｂを含む。代替的に、バネ７９８ａ、７９８ｂは、第１シェル部の壁に係合する。ラッチ７８２ａ、７８２ｂがレスト又はロック位置にある時、ラッチ７８２ａ、７８２ｂは、図８１及び８２に示すように、ロック又はレスト位置にてバネ７９８により付勢される。
【０２３９】
図８１〜８５に示すように、作動部７９６ａ、７９６ｂは、挿入体７８０の開口７８８を介して延在する。また上述のように、第１シェル部が開口も含み、ラッチ７８２ａ、７８２ｂがレスト又はロック位置にある時にそれを介して作動部７９６ａ、７９６ｂが突出する。
【０２４０】
第２脚部８１０ａ、８１０ｂは、脚部開口８００ａ、８００ｂ、スロット８０２ａ、８０２ｂ、及びラッチ接合部７９４ａ、７９４ｂを含む。少なくとも、ラッチ７８２ａ、７８２ｂがレスト又はロック位置から開位置に動かされる時に（図８４にて「Ｌ」により示唆される）第２脚部８１０ａ、８１０ｂの概して横方向内側の移動を案内することを補助し、またラッチ７８２ａ、７８２ｂが開位置からロック又はレスト位置に動かされる時に第２脚部８１０ａ、８１０ｂの概して横方向外側の移動を補助するガイド７９２の挿入を受容するように脚部開口８００ａ、８００ｂが構成される。第２脚部８１０ａ、８１０ｂの端部範囲８０４の少なくとも一部が、挿入体７８０のタブ７９０の少なくとも一部を包囲し、タブ７９０がラッチ７８２ａ、７８２ｂのスロット８０２ａ、８０２ｂに受容される。スロット８０２ａ、８０２ｂ及びタブ７９０の両方が、図８１〜８５に示すように、概して傾斜した配向を有する。ある実施形態によれば、スロット８０２ａ、８０２及びタブ７９０が、挿入体７８０のフロント部分８０６から約４５度で傾斜される。
【０２４１】
ラッチ接合部７９４ａ、７９４ｂは、上述のように、第２シェル部又は蓋から延在するラッチ接合部に係合するように構成される。図８４に示すように、レスト又はロック位置の時、ラッチ接合部７９４ａ、７９４ｂは、少なくとも部分的に挿入体７８０のフロント部分８０６から突出し、包装が閉位置にある時に第２シェル部又は蓋のラッチ接合部にロック係合する。
【０２４２】
図８１〜８５に示したラッチ接合部７９４ａ、７９４ｂは、傾斜部といった、面取りされた又は輪郭付けられた面を有し、これが、包装が閉じられる過程の時にロック又は閉位置から開位置へラッチ接合部７９４ａ、７９４ｂを動かすことを補助する。例えば、包装が開いたロック解除位置から閉じたロック位置に変化される時、ラッチ７８２ａ、７８２ｂのラッチ接合部７９４ａ、７９４ｂは、蓋ラッチ接合部がラッチ７８２ａ、７８２ｂのラッチ接合部７９４ａ、７９４ｂとのロック係合のために必要な位置や配置に到達する前に蓋ラッチ接合部に接触する位置にある。従って、ラッチ接合部７９４ａ、７９４ｂは、ラッチ７８２ａ、７８２ｂのラッチ接合部７９４ａ、７９４ｂに蓋ラッチ接合部がロック係合する位置にあるまで包装に向うラッチ接合部７９４ａ、７９４ｂの変位を補助する面取り又は輪郭を含む。
【０２４３】
作動部７９６が（図８１の「Ｌ」により示唆される）概して横方向内側に変位される時、第２脚部８１０ａ、８１０ｂの少なくとも一部も概して横方向内側に移動する。上述したように、ガイド７９２は、第２脚部８１０ａ、８１０ｂの少なくとも一部の横移動の案内を補助する。しかしながら、第２脚部８１０ａ、８１０ｂの端部範囲８０４ａ、８０４ｂ、またより端的にはスロット８０２ａ、８０２ｂが、挿入体７８０の傾斜タブ７９０に係合され、作動部７９６ａ、７９６ｂの内側横変位により、少なくとも第２脚部８１０ａ、８１０ｂの端部範囲８０４ａ、８０４ｂが（図８４の「Ｓ」より示唆される）内側傾斜方向に移動される。第２脚部８１０ａ、８１０ｂの端部範囲８０４の内側傾斜変位によりラッチ７８２ａ、７８２ｂのラッチ接合部７９４ａ、７９４ｂが挿入体７８０のフロント部分８０６から退かれ、これにより、ラッチ７８２ａ、７８２ｂのラッチ接合部７９４ａ、７９４ｂが第２シェル部又は蓋のラッチ接合部から非係合になり、包装がロック解除される。
【０２４４】
図８４及び８５にも示すように、作動部７９６ａ、７９６ｂは、概して横方向に変位され包装をロック解除し、ガイド７９２の周囲の第２脚部８１０ａ、８１０ｂの概して内側横移動及び第２脚部８１０ａ、８１０ｂの端部範囲８０４ａ、８０４ｂの傾斜移動により第２脚部８１０ａ、８１０ｂの中間部８１２ａ、８１２ｂの歪み、反り、若しくは曲げが生じる。ある実施形態によれば、作動部７９６ａ、７９６ｂを変位させた圧力が除去されると、この第２脚部８１０ａ、８１０ｂの中間部８１２ａ、８１２ｂがバネとして作動し、これは、中間部８１２ａ、８１２ｂが歪、変形され、又は曲げられた状態からそのレスト又はロック形状又は配向に復帰するに応じ、少なくともラッチ７８２ａ、７８２ｂをそのレスト又はロック位置に復帰させることを補助する。
【０２４５】
図８６〜９０を参照すると、包装８１４の実施形態が図示され、第１シェル部８１６、第２シェル部８１８、挿入体８２０、ガスケット８２２、及びヒンジ８５０を有する。第１シェル部８１６は、ベース８２４及びベース側壁８２６を含み、ベース側壁８２６が、少なくとも一つの開口８２８を有する。第２シェル部８１８は、蓋側壁８３０、少なくとも一つのガイドポスト８３２、及び蓋閉リップ８３４を含む。挿入体８２０は、少なくとも一つの作動部８３２、中央領域８３８、及び上面８４０を含む。図８６〜９０に図示の実施形態においては、挿入体８２０が、３つの作動部８３６を有する。各作動部８３６は、ベース側壁８２６の接合の開口８２８を介して延在する。上述のように、ヒンジ８５０には様々なヒンジを用いることができ、とりわけ、ダブルヒンジ、二重折り、フラットトップ、バタフライ、又はピン付ヒンジを含む一体及び非一体型ヒンジといったものである。
【０２４６】
ある実施形態によれば、挿入体８２０は、少なくとも一つの製品収容空間８４４の一部を少なくとも部分的に画定する内側壁８４２を含む。加えて、挿入体８２０が、製品収容空間８４４の少なくとも一部上のカバー８４８を含み、カバー８４８が、製品収容空間８４４からの製品の排出用の分配開口８６４及び製品アクセス開口８４６を提供する。カバー８４８は、挿入体８２０又は第１シェル部８１６に一体的に成形され、若しくはそこから分離される。
【０２４７】
ある実施形態によれば、ガスケット８２２は、下部８５４に結合される上部８５２を含む。ある実施形態によれば、ガスケット８２２は、上部８５２及び下部８５４の少なくとも一部の間に空間８５６を含み、これが挿入体８２０及び／又は第１シェル部８１６の少なくとも一部を受容するように構成された内側領域を含み、ガスケット８２２を挿入体８２０及び／又は第１シェル部８１６に固定する。上部８５２は、溝８５８を含む。溝８５８は、ガスケット８２２の上部８５２と挿入体２０の隆起部（図８８）の間に画定され、これがカバーであり、包装８１４が閉位置にある時に蓋閉リップ８３４の配置を受容するように構成される。代替的に、リップ８３４を受容する溝がガスケット８２２の上部８５２に画定可能である。ガスケット８２２は、少なくとも一つのバネ８６０も含み得る。バネ８６０は、包装８１４が開位置にある時に作動部８３２に接触するように構成され、又は構成されない。ある実施形態によれば、ガスケット８２２は、補助シール５２２に関して上述したものといったエラストマー材料から構成される。包装８１４が開位置から閉位置へ変化される時、蓋閉リップ８３４が溝８５８内に延在して封止を形成する。ある実施形態によれば、蓋閉リップ８３４及び溝８５８の係合によりガスケット８２２が蓋閉リップ８３４の隣接の係合面の少なくとも一部の周囲にて変形されて封止を形成する。加えて、そのような係合が蓋閉リップ８３４とガスケット８２２の間に干渉適合も形成し、包装８１４を閉位置に保持又はロックする。
【０２４８】
ある実施形態によれば、第２シェル包装８１４から延在する１以上のガイドポスト８３２は、包装８１４が閉じられる時に第２シェル部８１８を挿入体８２０及び／又は第１シェル部８１６に適切に整合させることを少なくとも補助する。そのような実施形態によれば、各ガイドポスト８３２が、挿入体８２０又は第１シェル部８１６の対応のアパーチャ８６２に受容される。ある実施形態によれば、蓋閉リップ８３４が溝８５８に係合し始める前にガイドポスト８３２の少なくとも一部がアパーチャ８６２に受容され、第２シェル部８１８及び挿入体８２０及び／又は第１シェル部８１６がシールの任意の部分の形成が開始する前に適切に整合される。
【０２４９】
閉じた包装８１４が開けられる時、ユーザーは、作動部（群）８３６を内側に押し、バネ（群）８６０がガスケット８２２に対して押圧されてガスケット８２２がそのロック構成又は配向から少なくとも部分的に変形する。このガスケット８２２の少なくとも部分的な変形により溝８５８内の蓋閉リップ８３４の退去が許容され、包装８１４を開けることが可能になる。ある実施形態においては、ガスケット８２２の十分な変形を生じさせてリップ８３４の退去を許容するために、設けられる全ての作動部８３６が押し込まれなければならないように包装８１４が構成される。他の実施形態においては、作動部８３６の幾つかのみが押される時にリップ８３４が溝から取り外し可能である。
【０２５０】
図９１〜９５を参照すると、包装８６６が示され、第１シェル部８６８、第２シェル部８７０、ヒンジ８７２、挿入体８７４、内側壁部材８７６、及びガスケット８７８を有する。第１シェル部８６８は、ベース８８０、ベース側壁８８２、及び少なくとも一つの開口８８４を含む。第２シェル部８７０は、蓋側壁８８６、第２閉リップ８８８、及び少なくとも一つの受け部８９０を含み、受け部８９０が受け部アパーチャ８９２を有する。ある実施形態によれば、受け部８９０が、蓋側壁８８６に一体化され、又は一部である。上述のように、ヒンジ８７２が、一体又は非一体型ヒンジであり、第１及び第２シェル部８６８、８７０を結合する。挿入体８７４は、挿入体ベース８９４及び挿入体壁８９６を有する。挿入体壁８９６は、製品収容空間８９８を概して画定する。加えて、上述のように、製品収容空間８９８がカバー９００により被覆され、これが第１挿入体８７４に一体的に成形され、又は取り付けられる。
【０２５１】
ガスケット８７８は、ガスケットベース９０２及びガスケット壁９０４を有し、上述したエラストマー及び非エラストマー材料を含む、エラストマー又は非エラストマー材料から構成される。ガスケットベース９０２の少なくとも一部が、挿入体ベース９０４の下方を延在する。ガスケット壁９０４は、少なくとも図９３及び９４に示すように、ガスケットベース９０２から概して上向きに延在する。ある実施形態によれば、ガスケットベース９０２は、第１シェル部８６８のベース８８０に固着される。代替して、ガスケット８７８がガスケット８７８のベースから延在する少なくとも一つの突起、例えば、ポスト、ピン、又は壁を含み、ベースのスロット又はアパーチャに嵌合し、逆も然りであり、ガスケット８７８を第１シェル部８６８に固定する。
【０２５２】
ガスケット壁９０４は、内面９０６、外面９０８、及びガスケットリップ９１０を有する。ある実施形態によれば、ガスケット８７８の内面９０６が、挿入体壁８９６の少なくとも一部に隣接し、また接合する。ガスケット８７８は、挿入体壁８９６の周囲で少なくとも部分的に引き伸ばされ又は変形され、ガスケット８７８を挿入体８７４にしっかりと係合させる。代替して、挿入体ベース８９４がガスケットベース９０２に固着される。加えて、図９４に示すように、ある実施形態によれば、ガスケット８７８の内面９０６又は上端部が、挿入体壁８９６のリセス９１４又は面取り面に嵌合する第１突起９１２を含み、挿入体８７４をガスケット８７８に固定することが補助され、及び／又は逆も然りである。
【０２５３】
ガスケットリップ９１０は、包装８６６が閉位置にある時に第２閉リップ８８８のリセス９１６に嵌合するように構成され、包装８６６内に封止を形成する。加えて、包装８６６が閉位置にある時、ガスケット８７８の少なくとも一部が変形され、ガスケットリップ９１０が第２閉リップ８８８のリセス９１６内に押し込まれて封止を形成する。加えて、ガスケット８７８の少なくとも一部が、第２閉リップ８８８と挿入体８７４の少なくとも一部の間で、押圧され、また少なくとも部分的に変形され、これにより封止が形成される。
【０２５４】
少なくとも図９５に示されるように、内側壁部材８７６が、第１面９１８、第２面９２０、少なくとも一つのラッチ９２２を含む。第１面９１８がガスケット８７８に隣接し、かつ接合し、他方、第２面９２０が第１シェル部８６８のベース側壁８８２に隣接し、かつ接合する。ガスケット８７８の第２面９２０は、内側壁部材８７６の第１面９１８のリセス９２６又は面取り面に嵌合（結合）する第２突起９２４を含む。加えて、ある実施形態によれば、内側壁部材８７６が、相対的に硬い材料から構成される。例えば、ある実施形態によれば、内側壁部材８７６は、非エラストマー材料から構成される。
【０２５５】
図９５に図示の実施形態によれば、内側壁部材８７６が２つのラッチ９２２ａ、９２２ｂを含み、他方、第２シェルが２つの接合の受け部８９２ａ、８９２ｂを含む。ラッチ９２２ａ、９２２ｂは、作動部９２８ａ、９２８ｂ、ラッチ接合部９３０ａ、９３０ｂ、及び脚部９３２ａ、９３２ｂを含み、脚部９３２ａ、９３２ｂは、第１端部９３４ａ、９３４ｂ及び第２端部９３６ａ、９３６ｂを有する。脚部の第１端部９３４ａ、９３４ｂが作動部９２８ａ、９２８ｂを含む、又はそこで終端し、他方、第２端部９３６ａ、９３６ｂが内側壁部材８７６の本体９３８に結合される。作動部９２８ａ、９２８ｂの少なくとも一部が第１シェル部８６８の開口８８４を介して延在する。加えて、作動部９２８ａ、９２８ｂが包装８６６の内部に向って概して（図９１の「Ｌ」により示唆される）横方向に変位される時に脚部９３２ａ、９３２ｂが変位され、曲げられ、反らされ、及び／又は歪まされる領域を提供する空間９４６ａ、９４６ｂにより、脚部９３２ａ、９３２ｂの少なくとも一部が内側壁部材８７６の本体９３８から離間される。脚部９３２ａ、９３２ｂは、図９５に示すように、作動部９２８ａ、９２８ｂ及びラッチ接合部９３０ａ、９３０ｂをロック又はレスト位置に付勢するようにも構成される。
【０２５６】
ラッチ接合部９３０ａ、９３０ｂは、脚部９３２ａ、９３２ｂ又は作動部９２８ａ、９２８ｂから上向きに延在し、また挿入体８７４又は第１シェル部８６８のアパーチャ９４０ａ、９４０ｂを介して延在する。ラッチ接合部９３０ａ、９３０ｂは、包装８６６が閉じられる時に受け部アパーチャ８９２ａ、８９２ｂにロック係合するように構成される。更には、ラッチ接合部９３０ａ、９３０ｂは、包装８６６を閉位置にロックするべく受け部アパーチャ８９２ａ、８９２ｂ内に突入する突起９４２ａ、９４２ｂを有する。加えて、包装８６６が開位置から閉位置に受け部アパーチャ８９２ａ、８９２ｂがラッチ接合部９３０ａ、９３０ｂとのロック係合の位置に動かされるまで変化され、受け部８９０ａ、８９０ｂの底部がラッチ接合部９３０ａ、９３０ｂに接触する時にラッチ接合部９３０ａ、９３０ｂが反り、曲り、又は変形する能力が突起９４２の上面９４４の面取りにより促進される。
【０２５７】
ロックされた包装８６６が開けられる時、作動部９２８ａ、９２８ｂは、図９１の方向Ｌの内側に変位され、脚部９３２ａ、９３２ｂの反り、歪み、又は曲げ及びラッチ接合部９３０ａ、９３０ｂの変位が生じる。ラッチ接合部９３０ａ、９３０ｂは、少なくともラッチ接合部９３０ａ、９３０ｂが受け部８９０ａ、８９０ｂから非係合になるまで内側に変位され、包装８６６を開けることが可能になる。作動部９２８ａ、９２８ｂへの内側圧力が開放される時、脚部９３２ａ、９３２ｂがこれらのレスト又はロック位置に戻り、作動部９２８ａ、９２８ｂ及びラッチ接合部９３０ａ、９３０ｂもまたレスト又はロック位置に戻される。
【０２５８】
上述したように本明細書で説明の包装用の挿入体は、例えば、とりわけ、接着剤の使用、機械的締結、溶接又は挿入体の少なくとも一部と第１シェル部の少なくとも一部の間のスナップ又は摩擦係合を介して第１シェル部に動作可能に固定される。そのような挿入体は、下方に延在するタブを含み、これが第１シェル部に形成されたスロット、開口、又はリブといった突起に適合又は嵌合する。例えば、ある実施形態によれば、第１シェル部が、第１シェル部の内部領域の両側に沿う一つのリブ、及び第１シェル部の内部領域のフロント中央部に沿う２つの平行リブといった１以上の突起又はリブを含む。そのような実施形態によれば、挿入体が第１シェル部内に適切に配置される時、挿入体から下方に延在するタブが、第１シェル部内のリブに接合及び／又は押圧といったように係合する。
【０２５９】
図９６に示すように、本発明のある実施形態によれば、少なくとも一つのバネ９５８ａ、９５８ｂが、挿入体９５２を第１シェル部９５４に適切に配置及び／又は固定することを補助する。ある実施形態によれば、バネ９５８ａ、９５８ｂが第１シェル部に取付けられ又はそこから延在する。別の実施形態によれば、上述したものといったラッチ９５０ａ、９５０ｂが、挿入体９５２の下方に延在するタブ９５６を押圧するバネ９５８ａ、９５８ｂを含む。更には、バネ９５８ａ、９５８ｂは、レスト又はロック位置のラッチ９５０ａ、９５０ｂを付勢するために用いられるラッチ９５０ａ、９５０ｂのバネ又は脚部と同じであるか、若しくは２次のバネである。そのような実施形態によれば、バネ９５８ａ、９５８ｂが、ラッチ９５０ａ、９５０ｂに一体的に成形され、又は非一体的に取り付けられる。
【０２６０】
バネ９５８ａ、９５８ｂは、（図１の「Ｌ」又は「Ｖ」に示される）横（水平）又は縦（垂直）方向に実装され、挿入体９５２が第１シェル部９５４内に挿入された状態の挿入体９５２に力を付与し、また第１シェル部９５４内への挿入体９５２の適切な配置又は案内を補助する。例えば、ある実施形態によれば、ラッチ９５０ａ、９５０ｂがタブ９５６を押圧し、タブ９５６が第１シェル部９５４の対応の突起又はリブ９６０に対して又は内に配置されるように案内される。ある実施形態によれば、ひとたび挿入体９５２が第１シェル部９５４内に適切に配置されると、バネ９５８ａ、９５８ｂが挿入体９５２に十分な力を付与することを継続し、第１シェル部９５４内の所望な位置に挿入体９５２を保持する。別の実施形態によれば、挿入体９５２が第１シェル部９５４内に配置された後、挿入体９５４が、機械的締結、接着、又はウェット溶接（wetwelding）といった溶接を介して更に第１シェル部９５４に固定される。
【０２６１】
図９７及び９８を参照すると、ある実施形態によれば、包装９６２が、一体的に形成された第１部材９６４及び第２部材９６６を含む。ある実施形態によれば、第１部材９６４が第２シェル部９６８及び挿入体９７０を含み、他方、第２部材９６６が第１シェル部９７２を含む。別の実施形態によれば、第１部材９６４が、第２シェル部９６８、挿入体９７０及び／又はベース側壁９７４といった第１部材の一部である第１シェル部９７２の他の部分を含む。そのような実施形態によれば、第２部材９６６が第１シェル部９７２のベース９７６を含む。加えて、ある実施形態によれば、第１部材９６４が上述したものと同様の一体型ヒンジを含み、第２シェル部９６８の少なくとも一部が挿入体９７０から離間するように取り外され又は枢動されることが許容され、第１部材９６４が開けられ、また挿入体９７０内に収容された製品へのユーザーアクセスが提供される。包装９６２は、上述したシールといった、挿入体９７０内の製品収容空間をシール外の周囲空気から封止するためのシールも含む。
【０２６２】
第１部材９６４は、上述のラッチといった１以上のラッチの作動部の配置を受容するように構成された開口９７８を含む。加えて、第１部材９６４又は第２部材９６６は、組立過程においてラッチの配置を受容するように構成される。第２部材９６６は、とりわけ、摩擦係合、スナップ係合、機械的締結、溶接、又は接着といったものにより、第１部材９６４に対して動作可能に固定されるように構成される。
【０２６３】
図９９〜１０３を参照すると、包装９８０が示され、蓋９８２、スリーブ９８４、及び収容器９８６を有する。図９９〜１０３に図示の実施形態によれば、包装９８０が概して矩形状構成を有する。しかしながら、包装９８０は、とりわけ、正方形、三角形、円筒、台形、円形、非円形といった様々な幾何形状を有し得る。
【０２６４】
ある実施形態によれば、蓋９８２が、上部９８８、フロント蓋壁９９０、及び閉リップ９９２を含む。スリーブ９８４は、ベース９９４、側壁９９６、及び開口９９８を有する。図９９〜１０３に示されるように、ある実施形態によれば、スリーブ９８４の側壁９９６が、概して矩形状構成を有し、フロント壁９９６ａ、第１側壁９９６ｂ、第２側壁９９６ｃ、及びリア側壁９９６ｄを含む。ベース９９４及び側壁s９９６は、収容器９８６のスライド挿入を受容するように構成された内部領域１０００を概して画定する。加えて、蓋９８２及びスリーブ９８４は、一体的に成形され若しくは非一体である。ある実施形態によれば、蓋９８２は、スリーブ９８４に着脱可能又は枢動可能に取り付けられる。例えば、ある実施形態によれば、蓋９８２の上部９８８がスリーブ９８４のリア側壁９９６ｄに上述した１以上のヒンジといったヒンジにより結合される。
【０２６５】
収容器９８６は、側壁１００２及びベース１００４を含む。収容器９８６の側壁１００２及びベース１００４が製品収容空間１００６を概して画定し、側壁１００２の上部領域１００８が製品収容空間１００６への又はからの製品の導入及び／又は排出のために構成された収容器開口１０１０を画定する。収容器９８６がスリーブ９８４内でのスライド移動のために構成されるため、ある実施形態によれば、収容器９８６が、とりわけ矩形状構成といった、スリーブ９８４の幾何形状に類似したものを有する。
【０２６６】
スリーブ９８４の少なくとも一つの側壁が、少なくとも一つのスロット１０１２を含み、ユーザーが収容器９８６をロック又はレスト位置から開位置に変化することが許容される。例えば、図９９、１０１、１０２、及び１０３に示すように、ある実施形態によれば、スリーブ９８４のフロント側壁９９６ａが、収容器９８６の側壁１００２に取付けられ又は一部であるスライドボタン１０１４のスライド移動を許容するように構成されたスロット１０１２を有する。スロット１０１２が（図１０１の「Ｖ」により示唆される）概して縦方向に延びるように図示されるが、スロット１０１２は、とりわけ、円筒形状のスリーブ９８４及び収容器９８６との使用のために部分的に螺旋状の構成を含む、様々な構成を有し得る。スライドボタン１０１４は、側壁１００２から窪まされ、又は収容器９８６の側壁１００２から延在し、スリーブ９８４のフロント側壁９９６ａに面位置になるか、又はそこから突出する。代替的に、スライドボタン１０１４は、レスト又はロック位置から開位置へ収容器９８６をスライドさせるユーザーの能力を補助する例えば突起又は溝といった面特性を有し得る。加えて、スロット１０１２及びスライドボタン１０１４は、各々、スリーブ９８４及び収容器９８６の対応の側壁１００２の第１側壁９９６ｂ、第２側壁９９６ｃ、又はリア側壁９９６ｄ、又はこれらの結合といった収容器９８６及びスリーブ９８４の側壁１００２、９９６に沿う様々な箇所に配置され得る。
【０２６７】
少なくとも図１０３に示すように、ある実施形態によれば、包装９８０が閉じられる時、溝１０１６が閉リップ９９２の周囲に延在する。例えば、溝１０１６が、閉リップ９９２と隣接の蓋壁９９００及び／又はスリーブ９８４の側壁９９６の間を延在する。溝１０１６は、収容器９８６の側壁１００２のスライド挿入を受容するように構成され、図１０１及び１０２に示すように、収容器開口１０１０の周りに封止を形成する。更には、収容器９８６の閉リップ９９２及び側壁１００２は、包装９８０が閉じられる時に収容器開口１０１０の周りに封止を形成するようにお互いに係合するように構成される。ある実施形態によれば、閉リップ９９２が、相対的に薄い壁厚を有し、収容器９８６の側壁１００２との係合の時に閉リップ９９２が曲げ、変形し、又は歪むことが許容され、閉リップ９９２と隣接の収容器９８６の側壁１００２の面の少なくとも一部の間に封止が形成される。加えて、ある実施形態によれば、溝１０１６は、収容器９８６の側壁１００２と同様の厚みを有するが、溝１０１６の少なくとも一部への収容器９８６の側壁s１００２のスライド移動を受容するのに十分な厚みを有する。他の実施形態によれば、溝１０１６は、収容器９８６の少なくとも一つの側壁１００２のスライド挿入及び離脱の受容に加えて、図４０〜５４に関連して上述したものといった補助シール５２２を収容又は受容するようにサイズされる。そのような実施形態によれば、１以上の補助シール５２２が、収容器９８６の側壁１００２及び／又は閉リップ９９２を含む蓋９８２の間に対面及び／又は側面封止を形成するために用いられる。
【０２６８】
図９９〜１０３に図示の実施形態によれば、包装９８０が閉じられる時、収容器９８６の側壁１００２が蓋９８２の閉リップ９９２に係合したレスト又はロック位置の収容器９８６をバネ１０１８が付勢する。包装９８０が開けられる時、ユーザーは、概して縦方向下方にスリーブ９８４のスロット１０１２に沿ってスライドボタン１０１４をスライドさせ、収容器９８６が下方に変位し、従って、収容器９８６の側壁１００２が蓋９８２の溝１０１６から退去される。次に、蓋９８２がスリーブ９８４から除去又は枢動され、ユーザーは、製品収容空間１００６から又は内へ製品を排出又は導入できる。ユーザーがスライドボタン１０１４を開放すると、概して上方にバネ１０１８が収容器９８６及びスライドボタン１０１４を再び付勢し、収容器９８６がレスト又はロック位置に復帰する。
【０２６９】
包装９８０を閉じるため、ユーザーは、再びスライドボタン１０１４を概して縦方向下方にスライドさせ、収容器９８６の側壁１００２により蓋９８２が開位置から閉位置へ動かされることが干渉されない。包装が閉じられた後、スライドボタン１０１４が開放され、これにより、バネ１０１８が再び収容器９８６をロック又はレスト位置に付勢することが許容され、この際、収容器９８６の側壁１００２が溝１０１６内にまた進入する。
【０２７０】
図１０４〜１０６を参照すると、包装１０２０が図示され、ベース１０２２、蓋１０２４、及びボタン１０２６を有する。ベース１０２２は、ベース側壁１０２８、ベースショルダー１０３０、製品収容空間１０３２、及び第１オリフィスを含む。ベース側壁１０２８は、ベース１０２２の外周面１０３６を画定する。加えて、ある実施形態によれば、ベース側壁１０２８及びベースショルダー１０３０の少なくとも一部が製品収容空間１０３２の少なくとも一部を画定する。第１オリフィスは、ベース１０２２に動作可能に取り付けられるボタン１０２６の少なくとも一部の配置を受容するように構成される。
【０２７１】
蓋１０２４は、蓋側壁１０３８、上部１０４０、蓋閉リップ１０４２、蓋ショルダー１０４４、及び第２オリフィス１０４６を含む。第２オリフィス１０４６は、ベース１０２２の第１オリフィスに概して整合され、ボタン１０２６のスライド移動を受容するように構成される。蓋側壁１０３８は、蓋１０２４の周囲に延在し、変動する縦高さを有する。例えば、図１０４〜１０６に示すように、蓋１０２４の第１側面１０４８に沿う蓋側壁１０３８は、蓋１０２４の第２側面１０５０に沿う蓋側壁１０３８の高さよりも低い図１０４の「Ｖ」方向により示される高さを有する。加えて、図１０４に図示されるように、ある実施形態によれば、包装１０２０が閉位置にある時、蓋側壁１０３８の少なくとも一部が、ベース側壁１０２８の少なくとも一部に概して整合され又は面一になる。更に、蓋側壁１０３８の第２側面１０５０といった蓋側壁１０３８の少なくとも一部は、包装１０２０が閉位置にある時にベース側壁１０２８の少なくとも一部を被覆するように構成される。
【０２７２】
蓋閉リップ１０４２は、包装１０２０が閉位置にある時に包装収容空間１０３２を封止するように構成される。例えば、ある実施形態によれば、蓋閉リップ１０４２は、エラストマー又は非エラストマー材料から構成され、ベース側壁１０２８の内面の少なくとも一部に係合して製品収容空間１０３２周りに封止を形成する。かかる実施形態によれば、蓋閉リップ１０４２は、例えば、側面又は対面封止といった封止を形成するべくベース側壁１０２８に係合する時に蓋閉リップ１０４２の曲げ、変形、又は歪み許容する概して薄い壁厚を有する。別の実施形態によれば、図４０〜５４に関連して上述したものと同様の補助シール５２２が、蓋閉リップ１０４２と共に又は代替して用いられる。
【０２７３】
蓋ショルダー１０４４は、包装１０２０が閉位置にある時にベースショルダー１０３０に隣接するように構成される。ベース１０２２及び蓋１０２４のショルダー１０３０、１０４４のそのような配置は、包装１０２０の開きを阻止する干渉を形成するように構成される。加えて、図１０５〜１０６に図示のように、ある実施形態によれば、蓋１０２４は、ボタン１０２６の周りに枢動又は回転され、製品収容空間１０３２へのユーザーアクセスが許容される。そのような実施形態によれば、蓋１０２４は、ベース１０２２の第１オリフィス内に延在する又は第１オリフィスに隣接する少なくとも一つのアーム又はスリーブ１０５２も含み、また、蓋１０２４とベース１０２２の枢動取付を補助する。
【０２７４】
ある実施形態によれば、包装１０２０を開けるため、ユーザーは、図１０４の「Ｖ」により再度示唆される縦方向下方に概してボタン１０２６を変位させる。ある実施形態によれば、そのようなボタン１０２６の縦変位により蓋１０２４が縦に十分な高さだけベース１０２２から持ち上げられ、又は離間され、ベースショルダー１０３０と蓋ショルダー１０４４間の干渉が除かれ、閉リップとベース１０２２間の封止が除去され、包装１０２０が枢動的に開けられて製品収容空間１０３２が露出する。ある実施形態によれば、ボタン１０２６は、開いた包装１０２０が閉じられ、また蓋１０２４が包装１０２０を閉じるためベース１０２２に概して整合されている時、バネが封止された閉位置に包装１０２０をロックするべくベース１０２２及び蓋１０２４を一緒に引き戻すべく設けられたバネである。
【０２７５】
図１０７〜１１１は、上述の包装と共に使用され得る、製品収容空間１０５６からの製品の排出を調整する挿入体１０５４を図示する。挿入体１０５４は、スライド組立品１０５８、製品収容空間１０５６、及び分配置き場（dispenser receptacle）１０６０を含む。ある実施形態によれば、製品収容空間１０５６と分配置き場１０６０は挿入体１０５４内に一体的に成形され、又は挿入体１０５４に組み立てられる別部材である。例えば、図１１１に示すように、製品収容空間１０５６は、挿入体１０５４内で組み立てられる副挿入体１０９４内に収容される。挿入体１０５４又は副挿入体１０９４は、第１側壁１０６４及び少なくとも一つの内側開口１０６６を含む。ある実施形態によれば、第１側壁１０６４が、製品収容空間１０５６の周囲の少なくとも一部を画定する。製品収容空間１０５６は、製品収容空間１０５６から製品が取り出される口１０６８を含む。
【０２７６】
ある実施形態によれば、スライド組立品１０５８は、レバー１０７０、スライド開口１０７２、及びバネ１０７４を含む。スライド組立品１０５８は、一体又は非一体の構成を有する。バネ１０７４は、閉位置のスライド組立品１０５８を付勢し、スライド組立品１０５８が開位置にあり、ユーザーがレバー１０７０を開放する時、スライド組立品１０５８が閉位置に復帰する。ある実施形態によれば、スライド組立品１０５８が閉位置にある時に製品収容空間１０５６内の製品が分配置き場１０６０に分配されない。
【０２７７】
スライド開口１０７２は、分配置き場１０６０内へ分配するため、製品の有る量、端的にはスライド開口１０７２内に適合する製品の量を内側開口１０６６に搬送するようにサイズされる。例えば、スライド開口１０７２は、１以上の製品の個数を保持するようにサイズされる。
【０２７８】
ある実施形態によれば、挿入体１０５４又は副挿入体１０９４は、スライド組立品１０５８が開及び閉位置へ及びから移動される時、（図１１０「Ｈ」で示唆される）水平方向におけるスライド組立品１０５８の変位を案内するトラック１０７６、溝、及び／又は突起を含む。トラックは、副挿入体１０６２のリセス領域と副挿入体１０６２の第１側壁１０６４を含む。
【０２７９】
ある実施形態によれば、製品収容空間１０５６の口１０６８と内側開口１０６６がオフセットされている。そのような実施形態によれば、スライド組立品１０５８が閉位置にある時、スライド開口１０７２が製品収容空間１０５６の口１０６８に整合し、製品が製品収容空間１０５６からスライド開口１０７２に分配される。スライド組立品１０５８が開位置に移動される時、スライド開口１０７２の少なくとも一部が内側開口１０６６に概して整合される。スライド開口１０７２に包含された製品が内側開口１０６６を介して分配置き場１０６０へ進む。加えて、スライド開口１０７２が移動され内側開口１０６６に概して整合し、スライド組立品１０５８の外側スライド壁１０７８が少なくとも部分的に製品収容空間１０５６の口１０６８の前に移動し、これにより、製品収容空間１０５６から追加の製品の分配が阻止される。開けられたスライド組立品１０５８のレバー１０７０をユーザーが開放する時、バネ１０７４がスライド組立品１０５８を付勢して閉位置に戻す。
【０２８０】
他の実施形態によれば、内側開口１０６６及び製品収容空間１０５６の口１０６８が概して整合される。そのような実施形態によれば、スライドが、スライド組立品１０５８が閉位置にある時に製品収容空間１０５６の口１０６８及び内側開口１０６６からの製品の通過を阻止するスライド壁を含む。ユーザーがスライド組立品１０５８を開位置に移動する時、スライド壁も動き、スライド開口１０７２が口１０６８及び内側開口１０６６に概して整合されるようになり、製品収容空間１０５６から分配置き場１０６０へ製品が移動する。
【０２８１】
挿入体１０５４は、上述のようにカバー１０８０を含むか、若しくはそこに取付けられる。ある実施形態によれば、カバー１０８０は、製品収容空間１０５６及び分配置き場１０６０の少なくとも一部を被覆する。ある実施形態によれば、カバー１０８０はスロット１０８２を含み、レバー１０７０の少なくとも一部がスロット１０８２を介して突出し、ユーザーがレバー１０７０の少なくとも一部を把持できる。スロット１０８２は、スライド組立品１０６８が開及び閉位置の間で移動する時に（図１１０の「Ｈ」により示唆される）概して「Ｈ」方向におけるレバー１０７０におけるラッチ１０７０の変位を許容するようにも構成される。加えて、スロット１０８２が１以上のノッチ（notch）を含み、この中をレバー１０７０がスライドし、スライド組立品１０５８を開及び／又は閉位置にロックする。カバー１０８０は、分配開口１０８４も含み、これを介して分配置き場１０６０内の製品が挿入体１０５４から取り出される。
【０２８２】
図１１２〜１１６は、上述の包装と共に使用され得る、製品の分配を調整する押しボタン組立品１０８６を含む挿入体１０８４を図示する。挿入体１０８４は、カバー１０８８、製品収容空間１０９０、分配置き場１０９２、及び押しボタン組立品１０８６を含む。製品収容空間１０９０は、上述のように、挿入体１０８４の壁により規定され、若しくは副挿入体１０９４の一部である。ある実施形態によれば、製品収容空間１０９０は、製品収容空間１０９０から製品が出る通路を許容するように構成された口１０９６を含む。分配置き場１０９２は、開口１０９８を含み、これを介して分配置き場１０９２に製品が進入する。
【０２８３】
ある実施形態によれば、分配置き場１０９２の開口１０９８が、（図１１６の「Ｖ」により示唆される）縦方向において製品収容空間１０９０の口１０９６からオフセットされ、開口１０９８の底部が、口１０９６の底部よりも低い若しくは高い高さにある。更には、開口１０９８及び口１０９６が、押しボタン組立品１０８６の変位を無くして製品収容空間１０９０から分配置き場１０９２への製品の通過を阻止するのに十分な高さでオフセットされる。加えて、押しボタン組立品１０８６は、製品が口１０９６から開口１０９８へ押しボタン組立品１０８６の操作無くして進む能力に干渉するように構成される。図１１２〜１１６に図示の実施形態によれば、開口１０９８の底部が、口１０９６の底部よりも高くに配置される。
【０２８４】
押しボタン組立品１０８６は、ボタン１１００、少なくとも一つのバネ１１０２、オリフィス１１０４を含み、オリフィス１１０４は、ボタン１１００に動作可能に結合される。図１１３及び１１６に図示の実施形態によれば、押しボタン組立品１０８６は、２つのバネ１１０２を含む。オリフィス１１０４がボタン１１００の本体内に設けられ、オリフィス１１０４が製品収容空間１０９０内に格納された製品の１以上の個片の挿入を受容するようにサイズされる。ボタン１１００は、ボタン１１００の移動の案内を補助する挿入体１０８４又は副挿入体１０９４のスリーブ１１０８内に少なくとも部分的に収容される。
【０２８５】
ある実施形態によれば、バネ１１０２がボタン１１００を付勢し、オリフィス１１０４が製品収容空間１０９０の口１０９６又は分配置き場１０９２の開口１０９８の一方に概して整合され、またボタン１１００がカバー１０８６のオリフィス１１０４を介して突出する。例えば、ある実施形態によれば、バネ１１０２がボタン１１００を付勢し、オリフィス１１０４が分配置き場１０９２の開口１０９８に概して整合される。そのような実施形態によれば、ユーザーがボタン１１００を「Ｖ」方向に押圧し、ボタン１１００のオリフィス１１０４が製品収容空間１０９０の口１０９６に概して整合されるようになる。次にユーザーが包装を傾斜し、製品収容空間１０９０に収容された製品の少なくとも一つの個片がオリフィス１１０４に進入する。次にユーザーがボタン１１００を開放すると、バネ１１０２が「Ｖ」方向上側へボタン１１００を付勢し、オリフィス１１０４が分配置き場１０９２の開口１０９８に概して整合される。次にユーザーが傾斜し、次に製品がオリフィス１１０４外から分配置き場１０９２内へ移動する。製品は、次、カバー１０８６の分配開口１１０６を介して取り出される。
【０２８６】
別の実施形態によれば、押しボタンではなく、ボタン１１００が概して周方向に回動する。そのような実施形態によれば、開口１０９８の口１０９６が縦方向にオフセットする若しくはしない。ボタン１１００内のオリフィス１１０４は、とりわけ、バネ又はコイルにより付勢され、口１０９６又は開口１０９８と連通に付勢される。オリフィス１１０４が付勢されて分配置き場１０９２の開口１０９８に連通する、ある実施形態によれば、ボタン１１００は、オリフィス１１０４か口１０９６に連通するまで回転され、製品収容空間１０９０に収容された製品がオリフィス１１０４内に移動される。ひとたび製品がオリフィス１１０４内に配置されると、ボタン１１００が開放され、この後、ボタン１１００が回転し、オリフィス１１０４が分配置き場１０９２に連通した状態に復帰し、オリフィス１１０４に収容された製品が分配置き場１０９２内に移動する。
【０２８７】
図１１７〜１２３は、上述の包装と共に使用され得る、製品の分配を調整する傾斜部１１１４を有する押しボタン組立品１１１２を含む挿入体１１１０を図示する。挿入体１１１０は、製品収容空間１１１６、分配置き場１１１８、押しボタン組立品１１１２、及び傾斜部１１１４を含む。ある実施形態によれば、傾斜部１１１４及び製品収容空間１１１６は、挿入体１１１０又は副挿入体１１２０内一体的に成形される。製品収容空間１１１６は、側壁１１２２、口１１２４、及びベース１１２６を含む。傾斜部１１１４は、口１１２４の周囲又は隣接して配置される。ある実施形態によれば、傾斜部１１１４の少なくとも一部が製品収容空間１１１６内へ延在する。加えて、ある実施形態によれば、傾斜部１１１４が製品収容空間１１１６のベース１１２６から延在し、空間１１２８によりその少なくとも２つの側面の部分に沿って隣接の部材から外され又は離間される。空間１１２８は、傾斜部１１１４の少なくとも一部が、（図１２０の「Ｖ」により示唆される）概して縦方向下方において曲げ、反り、歪み、又は枢動されることを許容するべく構成される。
【０２８８】
分配置き場１１１８は、開口１１３０及び貯蔵部側壁１１３２を含む。ある実施形態によれば、分配置き場１１１８の周囲の少なくとも一部が、挿入体１１１０又は副挿入体１１２０の内側壁１１３４により画定される。内側壁１１３４は、分配置き場１１１８の開口１１３０も含む。分配置き場１１１８の開口１１３０は、縦方向において製品収容空間１１１６の口１１２４からオフセットされ、開口１１３０の少なくとも一部が、口１１２４よりも低い又は高い縦高さにある。開口１１３０及び口１１２４は、押しボタン組立品１１１２の変位を無くして製品収容空間１１１６から分配置き場１１１８への製品の通過を阻止するのに十分な高さにてオフセットされる。加えて、押しボタン組立品１１１２は、ボタン組立品１１１２の操作を無くして口１１２４から開口１１３０への製品の通過の能力に干渉するように構成される。ある実施形態によれば、分配置き場１１１８の底部の少なくとも一部が、製品収容空間１１１６のベース１１２６とは異なる縦位置にある。例えば、分配置き場１１１８の開口１１３０に近接の分配置き場１１１８の底部の少なくとも一部が、製品収容空間１１１６の口１１２４での製品収容空間１１１６のベース１１２６よりも高い又は低い縦位置にある。
【０２８９】
押しボタン組立品１１１２は、ボタン１１４８、少なくとも一つのバネ１１３６、少なくとも一つのタブ１１３８を含み、タブ１１３８が、ボタン１１４８の底部１１５０又は側面から延在する。図１１７〜１２３に図示の実施形態においては、２つのタブ１１３８が、ボタン１１４８から下方に延在するように図示される。ある実施形態によれば、バネ１１３６は、ボタン１１４８に一体的に成形され、またボタン１１４８を上方へ付勢し、バネ１１３６によりボタン１１４８がレスト位置に付勢される時、製品収容空間１１１６からの製品の少なくとも一部がボタン１１４８の底部１１５０と傾斜部１１１４の間に配置されるための空間がある。
【０２９０】
バネ１１３６は、更に縦方向上方にボタン１１４８を概して付勢し、ボタン１１４８がカバー１１４０のアパーチャ１１４４を介して突出する。カバー１１４０は、製品収容空間１１１６の少なくとも一部を被覆し、分配置き場１１１８からの製品の排出のための分配開口１１５２を含む。
【０２９１】
加えて、ある実施形態によれば、挿入体１１１０又は副挿入体１１２０は、少なくとも一つのリセスを含み、これが、ボタン１１４８の側面から延在し、ボタン１１４８が下方に変位される時にボタン１１４８の縦移動の案内を補助する突起１１４４に嵌合し、変位されたボタン１１４８がレスト位置に復帰する。
【０２９２】
ある実施形態によれば、ボタン１１４８がレスト位置にある時に包装の傾斜によって製品収容空間１１１６からの製品がボタン１１４８の下方に配置され、これにより、製品収容空間から傾斜部１１１４への製品の移動が生じる。ボタン１１４８の変位の前、内側壁１１３４及び傾斜部１１１４が、ボタン１１４８の下方にある製品が分配置き場１１１８に分配されることを阻止する。製品が分配置き場１１１８内に分配される時、ボタン１１４８は概して縦方向下方に変位される。ある実施形態によれば、ボタン１１４８が下方に変位されるため、ボタン１１４８のタブ１１３８が傾斜部１１１４又は傾斜部１１１４から延在する延長部１１４６を下方に押圧する。延長部１１４６上のタブ１１３８の下方への力及び傾斜部１１１４の側面上の空間により傾斜部１１１４が曲げ、反り、変形され、又は枢動されることが許容され、傾斜部１１１４が、製品収容空間１１１６のベース１１２６から内側壁１１３４の開口１１３０の周囲の位置へ下方に延在してボタン１１４８の下方の製品が分配置き場１１１８内に進むことを許容する。ある実施形態によれば、ボタン１１４８の下方にある製品が分配置き場１１１８に分配される時、ボタン１１４８の本体が障壁を提供し、追加の製品が製品収容空間１１１６から分配置き場１１１８へ進むことを阻止し、これにより分配製品の量が調整される。製品がボタン１１４８の下方から分配置き場１１１８に分配された後、ボタン１１４８への下方の力が開放される。次に、バネ１１３６は、ボタン１１４８を付勢してレスト位置まで戻し、ここで傾斜部１１１４及び内側壁１１３４の配列により再び製品収容空間１１１６からの分配置き場１１１８への製品の分配が阻止される。
【０２９３】
用語「備える」は、その他の要素又はステップを排除せず、また「一つ」は複数を排除しないことに留意されたい。
【符号の説明】
【０２９４】
次の参照記号が明細書及び図面において用いられる。
４０  包装
４２  第１シェル部
４４  第２シェル部
４６  （４２の）第１周辺部
４８  （４２の）第２周辺部
５０  （４４の）第１周辺部
５２  （４４の）第２周辺部
５４  第１ラッチ接合部
５６  ヒンジ
５８  ラッチ
６０  （５８の）第１脚部
６２  （５８の）第２脚部
６４  （６０の）作動部
６６  第２ラッチ接合部
６８  （４２の）周囲端
７０  （４４の）周囲端
７２  第１閉リップ
７４  （７２により画定される）囲み
７６  第２閉リップ
７８  挿入体
８０  （６２のための）第１曲げ湾曲部
８２  （６２のための）第１付勢接合部
８４  （６０の）第１ピボット
８６  第３ラッチ接合部
８８  第２ラッチ
９０  第３脚部
９２  第４脚部
９４  （９０の）作動部
９６  （９２により係合される）第２曲げ湾曲部
９８  第４ラッチ接合部
１００  （９２のための）第２付勢接合部
１０２  （９０の）第２ピボット
１０４  （挿入体７８以外の）４２の残部
１０６  （６０の）板バネ
１０８  （９０の）板バネ
１１０  リセス
１１２  （１１０の）側壁
１１４  フランジ
１１６  （１１４の）アパーチャ
１１８  （１１４の）アパーチャ
１２０  包装
１２２  ベースシェル
１２４  蓋シェル
１２６  一体型ヒンジ
１２８  第１閉鎖部デテント
１２９  第１閉鎖部アパーチャ
１３０  第２閉鎖部デテント
１３１  第２閉鎖部アパーチャ
１３２  （２２の）内面
１３４  （２２の）外面
１３６  （２２の）ベース窪み
１３８  （２２の）ベース窪み
１４０  （２２の）ベース窪み
１４２  （２２の）ベース窪み
１４４  （２２の）ベース窪み
１４６  （３６の）長い起立壁
１４８  （３８の）長い起立壁
１５０  （４６と４８の間の）ギャップ
１５２  （３６の）短い起立壁
１５４  （３８の）短い起立壁
１５６  （３６の）縁封止面
１５８  （３８の）縁封止面
１６０  （４０の）縁封止面
１６２  （４２の）縁封止面
１６４  （４４の）縁封止面
１６６  （３８の）長い起立壁
１６８  長いうね
１７２  （２４の）内面
１７４  （２４の）外面
１７６  （２４の）ベース壁
１７８  （２４の）ベース壁
１８０  （２４の）ベース壁
１８２  （２４の）ベース壁
１８４  （２４の）ベース壁
１８６  （７６の）長い起立壁
１８８  （７８の）長い起立壁
１９０  （８６と８８の間の）ギャップ
１９２  （７６の）短い起立壁
１９４  （７６の）短い起立壁
１９６  （７６の）縁封止面
１９８  （７８の）縁封止面
２００  （８０の）縁封止面
２０２  （８２の）縁封止面
２０４  （８４の）縁封止面
２０６  （７８の）長い起立壁
２１０  上向き蓋接合部
２１２  下向きベース接合部
２１４  （２８のための）弾性タブ
２１６  （４４の）仮部分
２１８  （４４の）遠位部分
２２０  上向き蓋接合部
２２２  弾性タブ
２２４  （１２２の）近位部
２２６  （１２２の）遠位部
２２８  親指タブ
２３０  封止シート
２３２  封止シート
２３４  （１３０の）切欠き
２３６  （１３０の）切欠き
２３８  （１３０の）切欠き
２４０  （１３０の）切欠き
２４２  （１３２の）切欠き
２４４  （１３２の）切欠き
２４６  （１３２の）切欠き
２４８  （１３２の）切欠き
２５０  製品個片
２５２  製品個片
２５４  製品個片
２５６  製品個片
２５８  製品個片
２６０  製品個片
２６２  製品個片
２６４  製品個片
２６６  製品個片
２６８  製品個片
２７０  細片
２７２  ウェル
２７４  蓋シェル
２７６  ベースシェル
２８０  ベースシェル(図１２)
２８２  蓋シェル(図１３)
２８３  周囲シール
２８４  （１８０の）リップ
２８６  （１８２の）リップ
２９０  ベースシェル
２９２  蓋シェル
２９４  （１９０の）ブリスターシート
２９６  （１９２の）ブリスターシート
２９８  （１９０の）カバーシート
３００  （１９２の）カバーシート
３３０  収容器
３３２  シェル
３３４  第１引出し
３３６  第２引出し
３３８  （停止部の）第１接合部
３４０  （停止部の）第２接合部
３４２  第１ラッチ
３４４  第２ラッチ
３４６  第１引出し開口
３４８  第２引出し開口
３５０  （３０の）通路
３５２  （３０の）第１サイド開口
３５４  （３０の）第２サイド開口
３５６  （３４の）ガスケット
３５８  （３４の）保管領域
３６０  （３４の）第１リンク
３６２  第２リンク
３６４  第１押しボタンガスケット
３６６  第２押しボタンガスケット
３６８  （４２の）第１ラッチ接合部
３７０  （引出し４２の）傾斜部
３７２  （引出し４２の）傾斜部
３７４  （４４の）第２ラッチ接合部
３７６  （４２の）Pushボタン
３７８  （４４の）Pushボタン
３８０  第１ラッチ解除機構
３８２  第２ラッチ解除機構
３８４  （引出し３４の）傾斜部
３８６  （引出し３４の）傾斜部
３８８  （引出し３４の）リンク
３９０  （３４の）第１引出し接合部
３９２  （３６の）第２引出し接合部
３９４  （引出し３４の）第１停止部
３９６  （引出し３６の）第２停止部
３９８  （引出し３４の）第２リンク
４００  （３２の）ガイド
４０２  （３２の）ガイド
４０４  （３２の）ガイド
４０６  （３２の）ガイド
４０８  （３２の）ガイド
４１０  （３２の）ガイド
４１２  （３４の）カバー
４２０  包装
４２２  第１シェル部
４２４  第２シェル部
４２６  ヒンジ
４２８  ラッチ
４３０  ベース周縁
４３２  ベース側壁
４３４  内側領域
４３６  蓋周縁
４３８  蓋側壁
４４０  内部領域
４４２  受け部
４４４  作動部
４４６  レバー
４４７  壁部分
４４８  ラッチ係合部
４５０  第１レバー脚部
４５２  第２レバー脚部
４５４  第１枢動点
４５６  ベースプレート
４５８  輪郭付けられた壁部分
４６０  第１アパーチャ
４６２  第１開口
４６４  第２アパーチャ
４６６  第２開口
４６８  受け部アパーチャ
４７０  作動ガイド
４７２  スロット
４７２  ラッチ突起
４７４  溝
４７６  ダブルヒンジ
４７８  本体
４８０  空間
４８２  第１ピボット
４８４  第２ピボット
４８６  第１端部
４８８  第２端部
４９０  挿入体
４９４  ポスト
４９６  シール
４９８  包装
５００  製品収容空間
５０２  第１シェル部
５０４  第２シェル部
５０６  挿入体
５０８  第１閉リップ
５１０  傾斜外壁
５１２  第２閉リップ
５１４  包装
５１６  第１シェル部
５１８  第２シェル部
５２０  挿入体
５２２  補助シール
５２４  内側領域
５２６  第２閉リップ
５２８  （挿入体５２０の）上面
５３０  （挿入体５２０の）内壁面
５３２  （第２閉リップ５３０の）内面
５３４  （挿入体５２０の）外壁面
５３６  蓋ガイド
５３８  傾斜外壁
５４０  包装
５４２  第１シェル部
５４４  第２シェル部
５４６  挿入体
５４８  ヒンジ
５５０  ベース
５５２  ベース側壁
５５４  内側領域
５５６  蓋側壁
５５８  上部
５６０  内部領域
５６２  受け部
５６４  受け部アパーチャ
５６６  ラッチ
５６８  製品収容空間
５７０  カバー
５７２  分配開口
５７４  アクセス開口
５７６  ラッチ脚部
５７８  作動部
５８０  ラッチ開口
５８２  ラッチ係合部
５８４  第１開口
５８６  第２開口
５８８  第１アパーチャ
５９０  第２アパーチャ
６００  包装
６０２  第１シェル部
６０４  第２シェル部
６０６  ヒンジ
６０８  ラッチ
６１０  ベース側壁
６１２  内側領域
６１４  突起
６１６  蓋側壁
６１８  内部領域
６２０  フック
６２２  挿入体
６２４  作動部
６２６  第１脚部
６２８  第２脚部
６３０  スロット
６３２  バネ
６３４  ラッチ係合部
６３６  第１端部
６３８  第２端部
６４０  プロング
６４２  挿入体アパーチャ
６４４  開口
６４６  第１ガイド
６４８  第２ガイド
６５０  コーナーガイド
６５２  コーナー
６５４  後端部
６５６  包装
６５８  第１シェル部
６６０  第２シェル部
６６２  ヒンジ
６６４  ラッチ
６６６  ベース側壁
６６８  内側領域
６７０  突起
６７２  蓋側壁
６７４  内部領域
６７６  フック
６７８  挿入体
６８０  作動部
６８２  アーム
６８４  バネ
６８６  ラッチ係合部
６８８  スロット
６９０  開口
６９２  側面
６９４  フロント部分
６９６  アパーチャ
６９８  第１端部
７００  第２端部
７０２  ガイド
７０４  プロング
７０６  包装
７０８  第１シェル部
７１０  第２シェル部
７１２  挿入体
７１４  開口
７１６  ベース側壁
７１８  蓋ラッチ接合部
７２０  蓋側壁
７２２  内部領域
７２４  上面
７２６  ラッチ
７２８  アパーチャ
７３０  製品収容空間
７３２  作動部
７３４  第１脚部
７３６  第２脚部
７３８  ベースラッチ接合部
７４０  本体
７４２  空間
７４４  包装
７４６  第１シェル部
７４８  第２シェル部７５０挿入体
７５２  ヒンジ
７５４  ラッチ
７５６  ベース側壁
７５８  内側領域
７６０  蓋ラッチ接合部
７６２  製品収容空間
７６４  アパーチャ
７６６  第２取付部材
７６８  作動部
７７０  バネ
７７２  脚部
７７４  開口
７７６  ベースラッチ接合部
７７８  突起
７８０  挿入体
７８２  ラッチ
７８４  底部
７８６  製品収容空間
７８８  開口
７９０  タブ
７９２  ガイド
７９４  ラッチ接合部
７９６  作動部
７９８  バネ
８００  脚部開口
８０２  スロット
８０４  端部範囲
８０６  フロント部分
８０８  第１脚部
８１０  第２脚部
８１２  中間部
８１４  包装
８１６  第１シェル部
８１８  第２シェル部
８２０  挿入体
８２２  ガスケット
８２４  ベース
８２６  ベース側壁
８２８  開口
８３０  蓋側壁
８３２  ガイドポスト
８３４  蓋閉リップ
８３６  作動部
８３８  中央領域
８４０  上面
８４２  内側壁
８４４  製品収容空間
８４６  アクセス開口
８４８  カバー
８５０  ヒンジ
８５２  上部
８５４  下部
８５６  空間
８５８  溝
８６０  バネ
８６２  アパーチャ
８６４  分配開口
８６６  包装
８６８  第１シェル部
８７０  第２シェル部
８７２  ヒンジ
８７４  挿入体
８７６  内側壁部材
８７８  ガスケット
８８０  ベース
８８２  ベース側壁
８８４  開口
８８６  蓋側壁
８８８  第２閉リップ
８９０  受け部
８９２  受け部アパーチャ
８９４  挿入体ベース
８９６  挿入体壁
８９８  製品収容空間
９００  カバー
９０２  ガスケットベース
９０４  ガスケット壁
９０６  内面
９０８  外面
９１０  ガスケットリップ
９１２  第１突起
９１４  （ガスケット８７８の）リセス
９１６  （第２閉リップ８８８の）リセス
９１８  第１面
９２０  第２面
９２２  ラッチ
９２４  第２突起
９２６  （内側壁部材８７６の）リセス
９２８  作動部
９３０  ラッチ接合部
９３２  脚部
９３４  第１端部
９３６  第２端部
９３８  本体
９４０  アパーチャ
９４２  （ラッチ接合部９３０の）突起
９４４  上面
９４６  空間
９４８  包装
９５０  ラッチ
９５２  挿入体
９５４  第１シェル部
９５６  タブ
９５８  バネ
９６０  リブ
９６２  包装
９６４  第１部材
９６６  第２部材
９６８  第２シェル部
９７０  挿入体
９７２  第１シェル部
９７４  ベース側壁
９７６  ベース
９７８  開口
９８０  包装
９８２  蓋
９８４  スリーブ
９８６  収容器
９８８  上部
９９０  蓋壁
９９２  閉じたリップ
９９４  ベース
９９６  （スリーブ９８４の）側壁
９９８  （スリーブ９８４の）開口
１０００  内部領域
１００２  側壁(of収容器９８６)
１００４  ベース(of収容器９８６)
１００６  製品収容空間
１００８  上部領域
１０１０  収容器開口
１０１２  スロット
１０１４  スライドボタン
１０１６  溝
１０１８  バネ
１０２０  包装
１０２２  ベース
１０２４  蓋
１０２６  ボタン
１０２８  ベース側壁
１０３０  ベースショルダー
１０３２  製品収容空間
１０３４  第１オリフィス
１０３６  外周面
１０３８  蓋側壁
１０４０  上部
１０４２  蓋閉リップ
１０４４  蓋ショルダー
１０４６  第２オリフィス
１０４８  第１側面
１０５０  第２側面
１０５２  スリーブ
１０５４  挿入体
１０５６  製品収容空間
１０５８  スライド組立品
１０６０  分配置き場
１０６２  副挿入体
１０６４  第１側壁
１０６６  内側開口
１０６８  口
１０７０  レバー
１０７２  スライド開口
１０７４  バネ
１０７６  トラック
１０７８  外側スライド壁
１０８０  カバー
１０８２  スロット
１０８４  挿入体
１０８６  押しボタン組立品
１０８８  カバー
１０９０  製品収容空間
１０９２  分配置き場
１０９４  副挿入体
１０９６  口
１０９８  （分配置き場１０９２の）開口
１１００  ボタン
１１０２  バネ
１１０４  オリフィス
１１０６  分配開口
１１０８  スリーブ
１１１０  挿入体
１１１２  押しボタン組立品
１１１４  傾斜部
１１１６  製品収容空間
１１１８  分配置き場
１１２０  副挿入体
１１２２  側壁
１１２４  口
１１２６  ベース
１１２８  空間
１１３０  開口
１１３２  貯蔵部側壁
１１３４  内側壁
１１３６  バネ
１１３８  タブ
１１４０  カバー
１１４２  アパーチャ
１１４４  突起
１１４６  延長部
１１４８  ボタン
１１５０  （ボタン１１４８の）底部
１１５２  分配開口
【図１】
0006051172.tif 000002
【図２】
0006051172.tif 000003
【図２Ａ】
0006051172.tif 000004
【図３】
0006051172.tif 000005
【図３Ａ】
0006051172.tif 000006
【図４】
0006051172.tif 000007
【図５】
0006051172.tif 000008
【図６】
0006051172.tif 000009
【図７】
0006051172.tif 000010
【図８】
0006051172.tif 000011
【図９】
0006051172.tif 000012
【図１０】
0006051172.tif 000013
【図１１】
0006051172.tif 000014
【図１２】
0006051172.tif 000015
【図１３】
0006051172.tif 000016
【図１４】
0006051172.tif 000017
【図１５】
0006051172.tif 000018
【図１６】
0006051172.tif 000019
【図１７】
0006051172.tif 000020
【図１８】
0006051172.tif 000021
【図１９】
0006051172.tif 000022
【図２０】
0006051172.tif 000023
【図２１】
0006051172.tif 000024
【図２２】
0006051172.tif 000025
【図２３】
0006051172.tif 000026
【図２４】
0006051172.tif 000027
【図２５】
0006051172.tif 000028
【図２６】
0006051172.tif 000029
【図２７】
0006051172.tif 000030
【図２８】
0006051172.tif 000031
【図２９】
0006051172.tif 000032
【図３０】
0006051172.tif 000033
【図３１】
0006051172.tif 000034
【図３２】
0006051172.tif 000035
【図３３】
0006051172.tif 000036
【図３４】
0006051172.tif 000037
【図３５】
0006051172.tif 000038
【図３６】
0006051172.tif 000039
【図３７】
0006051172.tif 000040
【図３８】
0006051172.tif 000041
【図３９】
0006051172.tif 000042
【図４０】
0006051172.tif 000043
【図４１】
0006051172.tif 000044
【図４２】
0006051172.tif 000045
【図４３】
0006051172.tif 000046
【図４４】
0006051172.tif 000047
【図４５】
0006051172.tif 000048
【図４６】
0006051172.tif 000049
【図４７】
0006051172.tif 000050
【図４８】
0006051172.tif 000051
【図４９】
0006051172.tif 000052
【図５０】
0006051172.tif 000053
【図５１】
0006051172.tif 000054
【図５２】
0006051172.tif 000055
【図５３】
0006051172.tif 000056
【図５４】
0006051172.tif 000057
【図５５】
0006051172.tif 000058
【図５６】
0006051172.tif 000059
【図５７】
0006051172.tif 000060
【図５８】
0006051172.tif 000061
【図５９】
0006051172.tif 000062
【図６０】
0006051172.tif 000063
【図６１】
0006051172.tif 000064
【図６２】
0006051172.tif 000065
【図６３】
0006051172.tif 000066
【図６４】
0006051172.tif 000067
【図６５】
0006051172.tif 000068
【図６６】
0006051172.tif 000069
【図６７】
0006051172.tif 000070
【図６８】
0006051172.tif 000071
【図６９】
0006051172.tif 000072
【図７０】
0006051172.tif 000073
【図７１】
0006051172.tif 000074
【図７２】
0006051172.tif 000075
【図７３ａ】
0006051172.tif 000076
【図７３ｂ】
0006051172.tif 000077
【図７４】
0006051172.tif 000078
【図７５】
0006051172.tif 000079
【図７６】
0006051172.tif 000080
【図７７】
0006051172.tif 000081
【図７８】
0006051172.tif 000082
【図７９】
0006051172.tif 000083
【図８０】
0006051172.tif 000084
【図８１】
0006051172.tif 000085
【図８２】
0006051172.tif 000086
【図８３】
0006051172.tif 000087
【図８４】
0006051172.tif 000088
【図８５】
0006051172.tif 000089
【図８６】
0006051172.tif 000090
【図８７】
0006051172.tif 000091
【図８８】
0006051172.tif 000092
【図８９】
0006051172.tif 000093
【図９０】
0006051172.tif 000094
【図９１】
0006051172.tif 000095
【図９２】
0006051172.tif 000096
【図９３】
0006051172.tif 000097
【図９４】
0006051172.tif 000098
【図９５】
0006051172.tif 000099
【図９６】
0006051172.tif 000100
【図９７】
0006051172.tif 000101
【図９８】
0006051172.tif 000102
【図９９】
0006051172.tif 000103
【図１００】
0006051172.tif 000104
【図１０１】
0006051172.tif 000105
【図１０２】
0006051172.tif 000106
【図１０３】
0006051172.tif 000107
【図１０４】
0006051172.tif 000108
【図１０５】
0006051172.tif 000109
【図１０６】
0006051172.tif 000110
【図１０７】
0006051172.tif 000111
【図１０８】
0006051172.tif 000112
【図１０９】
0006051172.tif 000113
【図１１０】
0006051172.tif 000114
【図１１１】
0006051172.tif 000115
【図１１２】
0006051172.tif 000116
【図１１３】
0006051172.tif 000117
【図１１４】
0006051172.tif 000118
【図１１５】
0006051172.tif 000119
【図１１６】
0006051172.tif 000120
【図１１７】
0006051172.tif 000121
【図１１８】
0006051172.tif 000122
【図１１９】
0006051172.tif 000123
【図１２０】
0006051172.tif 000124
【図１２１】
0006051172.tif 000125
【図１２２】
0006051172.tif 000126
【図１２３】
0006051172.tif 000127